(57)【要約】  第１のＳＩＭに関連付けられた第１の無線周波数（ＲＦ）リソース上の送信から同じデバイス中の第２のＳＩＭに関連付けられた第２のＲＦリソースの受信機回路へのデセンスの緩和を可能にする方法が提供される。デュアルＳＩＭデュアルアクティブ（ＤＳＤＡ）デバイスなどのマルチＳＩＭワイヤレスデバイスが、競合する信号からの干渉を低減する最適なアクションを決定するためにアップリンク信号とダウンリンク信号との特性を利用し得る。緩和アクションは、ネットワーク側の関与を必要とせず、干渉防止対策を実装するための処理時間を大幅に改善し得る。【選択図】図４Ａ
2016507181.tif 000002
【特許請求の範囲】
【請求項１】
マルチＳＩＭワイヤレスデバイスにおける受信機デセンスを自律的に緩和する方法であって、
第１の加入者識別モジュール（ＳＩＭ）に関連付けられた第１の無線周波数（ＲＦ）リソース上のスケジュールされた送信と第２のＳＩＭに関連付けられた第２のＲＦリソース上の受信アクティビティとの間の潜在的干渉を検出することと、
前記スケジュールされた送信と前記受信アクティビティとの間の潜在的干渉のレベルを計算することと、
前記潜在的干渉の計算されたレベルに基づいて前記第２のＲＦリソースの受信回路のデセンスのレベルを予測することと、
前記予測されるデセンスレベルが所定のしきい値を超えるかどうかを決定することと、
前記予測されるデセンスレベルが前記所定のしきい値を超えると決定することに応答して緩和アクションを選択することと、
前記マルチＳＩＭワイヤレスデバイス上で前記選択された緩和アクションを実行することと
を備える方法。
【請求項２】
前記第１のＲＦリソース上の前記スケジュールされた送信と前記第２のＲＦリソース上の前記受信アクティビティとの間の潜在的干渉を検出することは、前記第１のＲＦリソースからの側波帯雑音と前記第２のＲＦリソースの前記受信回路の通過帯域との重複に基づく、
請求項１に記載の方法。
【請求項３】
前記緩和アクションは、
送信電力を低減することと、
前記スケジュールされた送信中の干渉データの一部分を取り消すことと、
前記スケジュールされた送信中のすべての干渉データを取り消すことと、
前記スケジュールされた送信を遅延させることと、
前記スケジュールされた送信を処理することと
からなるグループから選択される、請求項１に記載の方法。
【請求項４】
緩和アクションを選択することは、
前記スケジュールされた送信の特性と前記受信アクティビティの特性とを決定することと、
前記スケジュールされた送信の前記特性と前記受信アクティビティの前記特性とがテーブルルックアップパラメータとして使用されるテーブルルックアッププロセスを使用することと
を備え、前記緩和アクションは、前記スケジュールされた送信の前記特性と前記受信アクティビティの前記特性とに対応するアドレスをもつ要素として記憶される、
請求項３に記載の方法。
【請求項５】
緩和アクションを選択することは、
前記受信アクティビティが前記ダウンリンク上で高優先度データを受信することを備えるかどうかを決定することと、
前記受信アクティビティが前記ダウンリンク上で高優先度データを受信することを備えると決定することに応答して、前記スケジュールされた送信が制御チャネル上のメッセージであるかどうかを決定することと、
前記スケジュールされた送信が制御チャネル上のメッセージでないと決定することに応答して、前記スケジュールされた送信がサービスに悪影響を及ぼすことなしに遅延され得るかどうかを決定することと、
前記スケジュールされた送信がサービスに悪影響を及ぼすことなしには遅延され得ないと決定することに応答して、前記スケジュールされた送信の電力を低減することが前記スケジュールされた送信の失敗を引き起こすことになるかどうかを決定することと、
前記スケジュールされた送信の電力を低減することが前記スケジュールされた送信の失敗を引き起こすことになると決定することに応答して、前記スケジュールされた送信の一部を取り消すことが前記受信アクティビティへの干渉を十分に低減することになるかどうかを決定することと、
前記スケジュールされた送信の一部を取り消すことが干渉を十分に低減することにならないと決定することに応答して、前記スケジュールされた送信のすべてを取り消すことと
を備える、請求項３に記載の方法。
【請求項６】
前記スケジュールされた送信が制御チャネル上のメッセージであると決定することに応答して、前記スケジュールされた送信上の制御データが以前に遅延されたことがあるかどうかを決定することと、
前記制御チャネル上の前記メッセージが以前に遅延されたことがないと決定することに応答して、前記スケジュールされた送信を遅延させるためのフレームの数を決定し、遅延させるためのフレームの前記数を保存することと、
フレームの前記決定された数だけ前記スケジュールされた送信を遅延させることと
をさらに備える、請求項５に記載の方法。
【請求項７】
前記制御チャネル上の前記メッセージが以前に遅延されたことがあると決定することに応答して、次の利用可能な機会において前記スケジュールされた送信を送ることをさらに備える、
請求項６に記載の方法。
【請求項８】
前記制御チャネルは、
高速付随制御チャネル（ＦＡＣＣＨ）と、
低速付随制御チャネル（ＳＡＣＣＨ）と、
スタンドアロン専用制御チャネル（ＳＤＣＣＨ）と、
パケット付随制御チャネル（ＰＡＣＣＨ）と、
ランダムアクセス制御チャネル（ＲＡＣＨ）と
からなるグループから選択される、請求項６に記載の方法。
【請求項９】
前記スケジュールされた送信は、トラフィックチャネル（ＴＣＨ）上のデータを備え、緩和アクションを選択することは、
前記受信アクティビティがＴＣＨ上でデータを受信することを備えるかどうかを決定することと、
前記受信アクティビティがＴＣＨ上でデータを受信することを備えると決定することに応答して、前記第１のＲＦリソースと前記第２のＲＦリソースとの相対的アクティビティ状態に基づいて、前記スケジュールされた送信を処理することと前記受信アクティビティを処理することとの間で優先度を付けることと
をさらに備える、請求項５に記載の方法。
【請求項１０】
前記制御チャネルは、ＳＡＣＣＨであり、緩和アクションを選択することは、
前記受信アクティビティがＳＡＣＣＨ上でメッセージを受信することを備えるかどうかを決定することと、
前記受信アクティビティがＳＡＣＣＨ上でメッセージを受信することを備えることに応答して、前記第１のＲＦリソースと前記第２のＲＦリソースとの相対的アクティビティ状態に基づいて、前記スケジュールされた送信を処理することと前記受信アクティビティを処理することとの間で優先度を付けることと
をさらに備える、請求項８に記載の方法。
【請求項１１】
前記受信アクティビティが近くのネットワークの信号強度をモニタすることを伴うかどうかを決定することと、
前記受信アクティビティが近くのネットワークの信号強度をモニタすることを伴うと決定することに応答して、前記受信アクティビティを異なるタイムスロットまたはフレームに移動することと
をさらに備える、請求項５に記載の方法。
【請求項１２】
前記スケジュールされた送信がサービスに悪影響を及ぼすことなしに遅延され得ると決定することに応答して、前記スケジュールされた送信を遅延させることをさらに備える、
請求項５に記載の方法。
【請求項１３】
電力を低減することが前記スケジュールされた送信の失敗を引き起こすことにならないと決定することに応答して、前記スケジュールされた送信の電力を低減することをさらに備える、
請求項５に記載の方法。
【請求項１４】
前記スケジュールされた送信の一部を取り消すことが潜在的干渉を十分に低減することになると決定することに応答して、前記スケジュールされた送信の一部を取り消すことをさらに備え、
前記スケジュールされた送信のすべてではないがいくつかの潜在的干渉データは、前記アップリンク上で送られる、
請求項５に記載の方法。
【請求項１５】
前記スケジュールされた送信の前記決定された特性は、前記スケジュールされた送信は、前記アップリンク上でその上で送られるべきであるチャネルを備える、
請求項４に記載の方法。
【請求項１６】
前記受信アクティビティの前記決定された特性は、データが前記ダウンリンク上でその上で受信され得るチャネルを備える、
請求項４に記載の方法。
【請求項１７】
第１の加入者識別モジュール（ＳＩＭ）と、
第２のＳＩＭと、
ディスプレイと、
メモリと、
前記第１のＳＩＭに関連付けられた第１の無線周波数（ＲＦ）リソースと、
前記第２のＳＩＭに関連付けられた第２のＲＦリソースと、
前記ディスプレイ、前記メモリ、前記第１のＲＦリソース、および前記第２のＲＦリソースに結合されたプロセッサと
を備え、前記プロセッサは、
前記第１のＲＦリソース上のスケジュールされた送信と前記第２のＲＦリソース上の受信アクティビティとの間の潜在的干渉を検出することと、
前記スケジュールされた送信と前記受信アクティビティとの間の潜在的干渉のレベルを計算することと、
潜在的干渉の前記計算されたレベルに基づいて前記第２のＲＦリソースの受信回路のデセンスのレベルを予測することと、
前記予測されるデセンスレベルが所定のしきい値を超えるかどうかを決定することと、
前記予測されるデセンスレベルが前記所定のしきい値を超えると決定することに応答して緩和アクションを選択することと、
前記マルチＳＩＭワイヤレスデバイス上で前記選択された緩和アクションを実行することと
を備える動作を実行するようにプロセッサ実行可能命令で構成された、マルチＳＩＭワイヤレスデバイス。
【請求項１８】
前記プロセッサは、
前記第１のＲＦリソース上の前記スケジュールされた送信と前記第２のＲＦリソース上の前記受信アクティビティとの間の潜在的干渉を検出することは、前記第１のＲＦリソースからの側波帯雑音と前記第２のＲＦリソースの前記受信回路の通過帯域との重複に基づくような動作を実行するようにプロセッサ実行可能命令で構成された、
請求項１７に記載のマルチＳＩＭワイヤレスデバイス。
【請求項１９】
前記プロセッサは、前記緩和アクションが、
送信電力を低減することと、
前記スケジュールされた送信中の干渉データの一部分を取り消すことと、
前記スケジュールされた送信中のすべての干渉データを取り消すことと、
前記スケジュールされた送信を遅延させることと、
前記スケジュールされた送信を処理することと
からなるグループから選択されるような動作を実行するようにプロセッサ実行可能命令で構成された、請求項１７に記載のマルチＳＩＭワイヤレスデバイス。
【請求項２０】
前記プロセッサは、緩和アクションを選択することが、
前記スケジュールされた送信の特性と前記受信アクティビティの特性とを決定することと、
前記スケジュールされた送信の前記特性と前記受信アクティビティの前記特性とがテーブルルックアップパラメータとして使用されるテーブルルックアッププロセスを使用することと
をさらに備えるような動作を実行するようにプロセッサ実行可能命令で構成され、
前記緩和アクションは、前記スケジュールされた送信の前記特性と前記受信アクティビティの前記特性とに対応するアドレスをもつ要素として記憶される、
請求項１９に記載のマルチＳＩＭワイヤレスデバイス。
【請求項２１】
前記プロセッサは、緩和アクションを選択することが、
前記受信アクティビティが前記ダウンリンク上で高優先度データを受信することを備えるかどうかを決定することと、
前記受信アクティビティが前記ダウンリンク上で高優先度データを受信することを備えると決定することに応答して、前記スケジュールされた送信が制御チャネル上のメッセージであるかどうかを決定することと、
前記スケジュールされた送信が制御チャネル上のメッセージでないと決定することに応答して、前記スケジュールされた送信がサービスに悪影響を及ぼすことなしに遅延され得るかどうかを決定することと、
前記スケジュールされた送信がサービスに悪影響を及ぼすことなしには遅延され得ないと決定することに応答して、前記スケジュールされた送信の電力を低減することが前記スケジュールされた送信の失敗を引き起こすことになるかどうかを決定することと、
前記スケジュールされた送信の電力を低減することが前記スケジュールされた送信の失敗を引き起こすことになると決定することに応答して、前記スケジュールされた送信の一部を取り消すことが前記受信アクティビティへの干渉を十分に低減することになるかどうかを決定することと、
前記スケジュールされた送信の一部を取り消すことが干渉を十分に低減することにならないと決定することに応答して、前記スケジュールされた送信のすべてを取り消すことと
をさらに備えるような動作を実行するようにプロセッサ実行可能命令で構成される、請求項１９に記載のマルチＳＩＭワイヤレスデバイス。
【請求項２２】
前記プロセッサは、
前記スケジュールされた送信が制御チャネル上のメッセージであると決定することに応答して、前記スケジュールされた送信上の制御データが以前に遅延されたことがあるかどうかを決定することと、
前記制御チャネル上の前記メッセージが以前に遅延されたことがないと決定することに応答して、前記スケジュールされた送信を遅延させるためのフレームの数を決定し、遅延させるためのフレームの前記数を保存することと、
フレームの前記決定された数だけ前記スケジュールされた送信を遅延させることと
をさらに備える動作を実行するようにプロセッサ実行可能命令で構成された、請求項２１に記載のマルチＳＩＭワイヤレスデバイス。
【請求項２３】
前記プロセッサは、
前記制御チャネル上の前記メッセージが以前に遅延されたことがあると決定することに応答して、次の利用可能な機会において前記スケジュールされた送信を送ることをさらに備える、
動作を実行するようにプロセッサ実行可能命令で構成された、請求項２２に記載のマルチＳＩＭワイヤレスデバイス。
【請求項２４】
前記プロセッサは、前記制御チャネルが、
高速付随制御チャネル（ＦＡＣＣＨ）と、
低速付随制御チャネル（ＳＡＣＣＨ）と、
スタンドアロン専用制御チャネル（ＳＤＣＣＨ）と、
パケット付随制御チャネル（ＰＡＣＣＨ）と、
ランダムアクセス制御チャネル（ＲＡＣＨ）と
からなるグループから選択されるような動作を実行するようにプロセッサ実行可能命令で構成された、請求項２２に記載のマルチＳＩＭワイヤレスデバイス。
【請求項２５】
前記プロセッサは、
前記スケジュールされた送信がトラフィックチャネル（ＴＣＨ）上のデータを備え、
緩和アクションを選択することは、
前記受信アクティビティがＴＣＨ上でデータを受信することを備えるかどうかを決定することと、
前記受信アクティビティがＴＣＨ上でデータを受信することを備えると決定することに応答して、前記第１のＲＦリソースと前記第２のＲＦリソースとの相対的アクティビティ状態に基づいて、前記スケジュールされた送信を処理することと前記受信アクティビティを処理することとの間で優先度を付けることと
を備えるような動作を実行するようにプロセッサ実行可能命令で構成された、請求項２１に記載のマルチＳＩＭワイヤレスデバイス。
【請求項２６】
前記制御チャネルがＳＡＣＣＨであり、前記プロセッサは、緩和アクションを選択することが、
前記受信アクティビティがＳＡＣＣＨ上でメッセージを受信することを備えるかどうかを決定することと、
前記受信アクティビティがＳＡＣＣＨ上でメッセージを受信することを備えることに応答して、前記第１のＲＦリソースと前記第２のＲＦリソースとの相対的アクティビティ状態に基づいて、前記スケジュールされた送信を処理することと前記受信アクティビティを処理することとの間で優先度を付けることと
をさらに備えるような動作を実行するようにプロセッサ実行可能命令で構成される、請求項２４に記載のマルチＳＩＭワイヤレスデバイス。
【請求項２７】
前記プロセッサは、
前記受信アクティビティが近くのネットワークの信号強度をモニタすることを伴うかどうかを決定することと、
前記受信アクティビティが近くのネットワークの信号強度をモニタすることを伴うと決定することに応答して、前記受信アクティビティを異なるタイムスロットまたはフレームに移動することと
をさらに備える動作を実行するようにプロセッサ実行可能命令で構成された、請求項２１に記載のマルチＳＩＭワイヤレスデバイス。
【請求項２８】
前記プロセッサは、
前記スケジュールされた送信がサービスに悪影響を及ぼすことなしに遅延され得ると決定することに応答して、前記スケジュールされた送信を遅延させることをさらに備える動作を実行するようにプロセッサ実行可能命令で構成された、
請求項２１に記載のマルチＳＩＭワイヤレスデバイス。
【請求項２９】
前記プロセッサは、
電力を低減することが前記スケジュールされた送信の失敗を引き起こすことにならないと決定することに応答して、前記スケジュールされた送信の電力を低減することをさらに備える動作を実行するようにプロセッサ実行可能命令で構成された、
請求項２１に記載のマルチＳＩＭワイヤレスデバイス。
【請求項３０】
前記プロセッサは、
前記スケジュールされた送信の一部を取り消すことが潜在的干渉を十分に低減することになると決定することに応答して、前記スケジュールされた送信の一部を取り消すことをさらに備える動作を実行するようにプロセッサ実行可能命令で構成され、
前記スケジュールされた送信のすべてではないがいくつかの潜在的干渉データは、前記アップリンク上で送られる、
請求項２１に記載のマルチＳＩＭワイヤレスデバイス。
【請求項３１】
前記プロセッサは、前記スケジュールされた送信の前記決定された特性が、前記スケジュールされた送信が前記アップリンク上でその上で送られるべきであるチャネルを備えるような動作を実行するようにプロセッサ実行可能命令で構成された、
請求項２０に記載のマルチＳＩＭワイヤレスデバイス。
【請求項３２】
前記プロセッサは、前記受信アクティビティの前記決定された特性が、データが前記ダウンリンク上でその上で受信され得るチャネルを備えるような動作を実行するようにプロセッサ実行可能命令で構成された、
請求項２０に記載のマルチＳＩＭワイヤレスデバイス。
【請求項３３】
マルチＳＩＭワイヤレスデバイスであって、
第１の加入者識別モジュール（ＳＩＭ）と、
第２のＳＩＭと、
前記第１のＳＩＭに関連付けられた第１の無線周波数（ＲＦ）リソースと、
前記第２のＳＩＭに関連付けられた第２のＲＦリソースと、
前記第１のＳＩＭに関連付けられた前記第１のＲＦリソース上のスケジュールされた送信と前記第２のＳＩＭに関連付けられた前記第２のＲＦリソース上の受信アクティビティとの間の潜在的干渉を検出するための手段と、
前記スケジュールされた送信と前記受信アクティビティとの間の潜在的干渉のレベルを計算するための手段と、
潜在的干渉の前記計算されたレベルに基づいて前記第２のＲＦリソースの受信回路のデセンスのレベルを予測するための手段と、
前記予測されるデセンスレベルが所定のしきい値を超えるかどうかを決定するための手段と、
前記予測されるデセンスレベルが前記所定のしきい値を超えると決定することに応答して緩和アクションを選択するための手段と、
前記マルチＳＩＭワイヤレスデバイス上で前記選択された緩和アクションを実行するための手段と
を備える、マルチＳＩＭワイヤレスデバイス。
【請求項３４】
前記第１のＲＦリソース上の前記スケジュールされた送信と前記第２のＲＦリソース上の前記受信アクティビティとの間の潜在的干渉を検出するための手段は、前記第１のＲＦリソースからの側波帯雑音と前記第２のＲＦリソースの前記受信回路の通過帯域との重複に基づく、
請求項３３に記載のマルチＳＩＭワイヤレスデバイス。
【請求項３５】
前記緩和アクションは、
送信電力を低減することと、
前記スケジュールされた送信中の干渉データの一部分を取り消すことと、
前記スケジュールされた送信中のすべての干渉データを取り消すことと、
前記スケジュールされた送信を遅延させることと、
前記スケジュールされた送信を処理することと
からなるグループから選択される、請求項３３に記載のマルチＳＩＭワイヤレスデバイス。
【請求項３６】
緩和アクションを選択するための手段は、
前記スケジュールされた送信の特性と前記受信アクティビティの特性とを決定するための手段と、
前記スケジュールされた送信の前記特性と前記受信アクティビティの前記特性とがテーブルルックアップパラメータとして使用されるテーブルルックアッププロセスを使用するための手段と
を備え、前記緩和アクションは、前記スケジュールされた送信の前記特性と前記受信アクティビティの前記特性とに対応するアドレスをもつ要素として記憶される、
請求項３５に記載のマルチＳＩＭワイヤレスデバイス。
【請求項３７】
緩和アクションを選択するための手段は、
前記受信アクティビティが前記ダウンリンク上で高優先度データを受信することを備えるかどうかを決定するための手段と、
前記受信アクティビティが前記ダウンリンク上で高優先度データを受信することを備えると決定することに応答して、前記スケジュールされた送信が制御チャネル上のメッセージであるかどうかを決定するための手段と、
前記スケジュールされた送信が制御チャネル上のメッセージでないと決定することに応答して、前記スケジュールされた送信がサービスに悪影響を及ぼすことなしに遅延され得るかどうかを決定するための手段と、
前記スケジュールされた送信がサービスに悪影響を及ぼすことなしには遅延され得ないと決定することに応答して、前記スケジュールされた送信の電力を低減することが前記スケジュールされた送信の失敗を引き起こすことになるかどうかを決定するための手段と、
前記スケジュールされた送信の電力を低減することが前記スケジュールされた送信の失敗を引き起こすことになると決定することに応答して、前記スケジュールされた送信の一部を取り消すことが前記受信アクティビティへの干渉を十分に低減することになるかどうかを決定するための手段と、
前記スケジュールされた送信の一部を取り消すことが干渉を十分に低減することにならないと決定することに応答して、前記スケジュールされた送信のすべてを取り消すための手段と
を備える、請求項３５に記載のマルチＳＩＭワイヤレスデバイス。
【請求項３８】
前記スケジュールされた送信が制御チャネル上のメッセージであると決定することに応答して、前記スケジュールされた送信上の制御データが以前に遅延されたことがあるかどうかを決定するための手段と、
前記制御チャネル上の前記メッセージが以前に遅延されたことがないと決定することに応答して、前記スケジュールされた送信を遅延させるためのフレームの数を決定し、遅延させるためのフレームの前記数を保存するための手段と、
フレームの前記決定された数だけ前記スケジュールされた送信を遅延させるための手段と
をさらに備える、請求項３７に記載のマルチＳＩＭデバイス。
【請求項３９】
前記制御チャネル上の前記メッセージが以前に遅延されたことがあると決定することに応答して、次の利用可能な機会において前記スケジュールされた送信を送るための手段をさらに備える、
請求項３８に記載のマルチＳＩＭワイヤレスデバイス。
【請求項４０】
前記制御チャネルは、
高速付随制御チャネル（ＦＡＣＣＨ）と、
低速付随制御チャネル（ＳＡＣＣＨ）と、
スタンドアロン専用制御チャネル（ＳＤＣＣＨ）と、
パケット付随制御チャネル（ＰＡＣＣＨ）と、
ランダムアクセス制御チャネル（ＲＡＣＨ）と
からなるグループから選択される、請求項３８に記載のマルチＳＩＭワイヤレスデバイス。
【請求項４１】
前記スケジュールされた送信がトラフィックチャネル（ＴＣＨ）上のデータを備え、緩和アクションを選択するための手段は、
前記受信アクティビティがＴＣＨ上でデータを受信することを備えるかどうかを決定するための手段と、
前記受信アクティビティがＴＣＨ上でデータを受信することを備えると決定することに応答して、前記第１のＲＦリソースと前記第２のＲＦリソースとの相対的アクティビティ状態に基づいて、前記スケジュールされた送信を処理することと前記受信アクティビティを処理することとの間で優先度を付けるための手段と
をさらに備える、請求項３７に記載のマルチＳＩＭワイヤレスデバイス。
【請求項４２】
前記制御チャネルは、ＳＡＣＣＨであり、緩和アクションを選択するための手段は、
前記受信アクティビティがＳＡＣＣＨ上でメッセージを受信することを備えるかどうかを決定するための手段と、
前記受信アクティビティがＳＡＣＣＨ上でメッセージを受信することを備えることに応答して、前記第１のＲＦリソースと前記第２のＲＦリソースとの相対的アクティビティ状態に基づいて、前記スケジュールされた送信を処理することと前記受信アクティビティを処理することとの間で優先度を付けるための手段と
をさらに備える、請求項４０に記載のマルチＳＩＭワイヤレスデバイス。
【請求項４３】
前記受信アクティビティが近くのネットワークの信号強度をモニタすることを伴うかどうかを決定するための手段と、
前記受信アクティビティが近くのネットワークの信号強度をモニタすることを伴うと決定することに応答して、前記受信アクティビティを異なるタイムスロットまたはフレームに移動するための手段と
をさらに備える、請求項３７に記載のマルチＳＩＭワイヤレスデバイス。
【請求項４４】
前記スケジュールされた送信がサービスに悪影響を及ぼすことなしに遅延され得ると決定することに応答して、前記スケジュールされた送信を遅延させるための手段をさらに備える、
請求項３７に記載のマルチＳＩＭワイヤレスデバイス。
【請求項４５】
電力を低減することが前記スケジュールされた送信の失敗を引き起こすことにならないと決定することに応答して、前記スケジュールされた送信の電力を低減するための手段をさらに備える、
請求項３７に記載のマルチＳＩＭワイヤレスデバイス。
【請求項４６】
前記スケジュールされた送信の一部を取り消すことが潜在的干渉を十分に低減することになると決定することに応答して、前記スケジュールされた送信の一部を取り消すための手段をさらに備え、
前記スケジュールされた送信のすべてではないがいくつかの潜在的干渉データは、アップリンク上で送られる、
請求項３７に記載のマルチＳＩＭワイヤレスデバイス。
【請求項４７】
前記スケジュールされた送信の前記決定された特性は、前記スケジュールされた送信が前記アップリンク上でその上で送られるべきであるチャネルを備える、
請求項３６に記載のマルチＳＩＭワイヤレスデバイス。
【請求項４８】
前記受信アクティビティの前記決定された特性は、データが前記ダウンリンク上でその上で受信され得るチャネルを備える、
請求項３６に記載のマルチＳＩＭワイヤレスデバイス。
【請求項４９】
第１の加入者識別モジュール（ＳＩＭ）に関連付けられた第１の無線周波数（ＲＦ）リソース上のスケジュールされた送信と第２のＳＩＭに関連付けられた第２のＲＦリソース上の受信アクティビティとの間の潜在的干渉を検出することと、
前記スケジュールされた送信と前記受信アクティビティとの間の潜在的干渉のレベルを計算することと、
潜在的干渉の前記計算されたレベルに基づいて前記第２のＲＦリソースの受信回路のデセンスのレベルを予測することと、
前記予測されるデセンスレベルが所定のしきい値を超えるかどうかを決定することと、
前記予測されるデセンスレベルが前記所定のしきい値を超えると決定することに応答して緩和アクションを選択することと、
マルチＳＩＭワイヤレスデバイス上で前記選択された緩和アクションを実行することと
を備える動作を前記マルチＳＩＭワイヤレスデバイスプロセッサに実行させるように構成されたプロセッサ実行可能命令を記憶した非一時的プロセッサ可読記憶媒体。
【請求項５０】
前記記憶されたプロセッサ実行可能命令は、前記第１のＲＦリソース上の前記スケジュールされた送信と前記第２のＲＦリソース上の前記受信アクティビティとの間の潜在的干渉を検出することが、前記第１のＲＦリソースからの側波帯雑音と前記第２のＲＦリソースの前記受信回路の通過帯域との重複に基づくような動作を前記マルチＳＩＭワイヤレスデバイスプロセッサに実行させるように構成された、
請求項４９に記載の非一時的プロセッサ可読記憶媒体。
【請求項５１】
前記記憶されたプロセッサ実行可能命令は、前記緩和アクションが、
送信電力を低減することと、
前記スケジュールされた送信中の干渉データの一部分を取り消すことと、
前記スケジュールされた送信中のすべての干渉データを取り消すことと、
前記スケジュールされた送信を遅延させることと、
前記スケジュールされた送信を処理することと
からなるグループから選択されるような動作を前記マルチＳＩＭワイヤレスデバイスプロセッサに実行させるように構成された、
請求項４９に記載の非一時的プロセッサ可読記憶媒体。
【請求項５２】
前記記憶されたプロセッサ実行可能命令は、緩和アクションを選択することが、
前記スケジュールされた送信の特性と前記受信アクティビティの特性とを決定することと、
前記スケジュールされた送信の前記特性と前記受信アクティビティの前記特性とがテーブルルックアップパラメータとして使用されるテーブルルックアッププロセスを使用することと
を備えるような動作を前記マルチＳＩＭワイヤレスデバイスプロセッサに実行させるように構成され、
前記緩和アクションは、前記スケジュールされた送信の前記特性と前記受信アクティビティの前記特性とに対応するアドレスをもつ要素として記憶される、
請求項５１に記載の非一時的プロセッサ可読記憶媒体。
【請求項５３】
前記記憶されたプロセッサ実行可能命令は、緩和アクションを選択することが、
前記受信アクティビティがダウンリンク上で高優先度データを受信することを備えるかどうかを決定することと、
前記受信アクティビティが前記ダウンリンク上で高優先度データを受信することを備えると決定することに応答して、前記スケジュールされた送信が制御チャネル上のメッセージであるかどうかを決定することと、
前記スケジュールされた送信が制御チャネル上のメッセージでないと決定することに応答して、前記スケジュールされた送信がサービスに悪影響を及ぼすことなしに遅延され得るかどうかを決定することと、
前記スケジュールされた送信がサービスに悪影響を及ぼすことなしには遅延され得ないと決定することに応答して、前記スケジュールされた送信の電力を低減することが前記スケジュールされた送信の失敗を引き起こすことになるかどうかを決定することと、
前記スケジュールされた送信の電力を低減することが前記スケジュールされた送信の失敗を引き起こすことになると決定することに応答して、前記スケジュールされた送信の一部を取り消すことが前記受信アクティビティへの干渉を十分に低減することになるかどうかを決定することと、
前記スケジュールされた送信の一部を取り消すことが干渉を十分に低減することにならないと決定することに応答して、前記スケジュールされた送信のすべてを取り消すことと
を備えるような動作を前記マルチＳＩＭワイヤレスデバイスプロセッサに実行させるように構成された、請求項５１に記載の非一時的プロセッサ可読記憶媒体。
【請求項５４】
前記記憶されたプロセッサ実行可能命令は、
前記スケジュールされた送信が制御チャネル上のメッセージであると決定することに応答して、前記スケジュールされた送信上の制御データが以前に遅延されたことがあるかどうかを決定することと、
前記制御チャネル上の前記メッセージが以前に遅延されたことがないと決定することに応答して、前記スケジュールされた送信を遅延させるためのフレームの数を決定し、遅延させるためのフレームの前記数を保存することと、
フレームの前記決定された数だけ前記スケジュールされた送信を遅延させることと
をさらに備える動作を前記マルチＳＩＭワイヤレスデバイスプロセッサに実行させるように構成された、請求項５３に記載の非一時的プロセッサ可読記憶媒体。
【請求項５５】
前記記憶されたプロセッサ実行可能命令は、
前記制御チャネル上の前記メッセージが以前に遅延されたことがあると決定することに応答して、次の利用可能な機会において前記スケジュールされた送信を送ることをさらに備える動作を前記マルチＳＩＭワイヤレスデバイスプロセッサに実行させるように構成された、
請求項５４に記載の非一時的プロセッサ可読記憶媒体。
【請求項５６】
前記記憶されたプロセッサ実行可能命令は、前記制御チャネルは、
高速付随制御チャネル（ＦＡＣＣＨ）と、
低速付随制御チャネル（ＳＡＣＣＨ）と、
スタンドアロン専用制御チャネル（ＳＤＣＣＨ）と、
パケット付随制御チャネル（ＰＡＣＣＨ）と、
ランダムアクセス制御チャネル（ＲＡＣＨ）と
からなるグループから選択されるような動作を前記マルチＳＩＭワイヤレスデバイスプロセッサに実行させるように構成された、請求項５４に記載の非一時的プロセッサ可読記憶媒体。
【請求項５７】
前記スケジュールされた送信がトラフィックチャネル（ＴＣＨ）上のデータを備え、前記記憶されたプロセッサ実行可能命令は、緩和アクションを選択することが、
前記受信アクティビティがＴＣＨ上でデータを受信することを備えるかどうかを決定することと、
前記受信アクティビティがＴＣＨ上でデータを受信することを備えると決定することに応答して、前記第１のＲＦリソースと前記第２のＲＦリソースとの相対的アクティビティ状態に基づいて、前記スケジュールされた送信を処理することと前記受信アクティビティを処理することとの間で優先度を付けることと
をさらに備えるような動作を前記マルチＳＩＭワイヤレスデバイスプロセッサに実行させるように構成された、請求項５３に記載の非一時的プロセッサ可読記憶媒体。
【請求項５８】
前記制御チャネルは、ＳＡＣＣＨであり、前記記憶されたプロセッサ実行可能命令は、緩和アクションを選択することが、
前記受信アクティビティがＳＡＣＣＨ上でメッセージを受信することを備えるかどうかを決定することと、
前記受信アクティビティがＳＡＣＣＨ上でメッセージを受信することを備えることに応答して、前記第１のＲＦリソースと前記第２のＲＦリソースとの相対的アクティビティ状態に基づいて、前記スケジュールされた送信を処理することと前記受信アクティビティを処理することとの間で優先度を付けることと
をさらに備えるような動作を前記マルチＳＩＭワイヤレスデバイスプロセッサに実行させるように構成された、請求項５６に記載の非一時的プロセッサ可読記憶媒体。
【請求項５９】
前記記憶されたプロセッサ実行可能命令は、
前記受信アクティビティが近くのネットワークの信号強度をモニタすることを伴うかどうかを決定することと、
前記受信アクティビティが近くのネットワークの信号強度をモニタすることを伴うと決定することに応答して、前記受信アクティビティを異なるタイムスロットまたはフレームに移動することと
をさらに備える動作を前記マルチＳＩＭワイヤレスデバイスプロセッサに実行させるように構成された、請求項５３に記載の非一時的プロセッサ可読記憶媒体。
【請求項６０】
前記記憶されたプロセッサ実行可能命令は、
前記スケジュールされた送信がサービスに悪影響を及ぼすことなしに遅延され得ると決定することに応答して、前記スケジュールされた送信を遅延させること
をさらに備える動作を前記マルチＳＩＭワイヤレスデバイスプロセッサに実行させるように構成された、請求項５３に記載の非一時的プロセッサ可読記憶媒体。
【請求項６１】
前記記憶されたプロセッサ実行可能命令は、
電力を低減することが前記スケジュールされた送信の失敗を引き起こすことにならないと決定することに応答して、前記スケジュールされた送信の電力を低減することをさらに備える動作を前記マルチＳＩＭワイヤレスデバイスプロセッサに実行させるように構成された、
請求項５３に記載の非一時的プロセッサ可読記憶媒体。
【請求項６２】
前記記憶されたプロセッサ実行可能命令は、
前記スケジュールされた送信の一部を取り消すことが潜在的干渉を十分に低減することになると決定することに応答して、前記スケジュールされた送信の一部を取り消すことをさらに備える動作を前記マルチＳＩＭワイヤレスデバイスプロセッサに実行させるように構成され、
前記スケジュールされた送信のすべてではないがいくつかの潜在的干渉データがアップリンク上で送られる、
請求項５３に記載の非一時的プロセッサ可読記憶媒体。
【請求項６３】
前記記憶されたプロセッサ実行可能命令は、前記スケジュールされた送信の前記決定された特性が、前記スケジュールされた送信が前記アップリンク上でその上で送られるべきであるチャネルを備えるような動作を前記マルチＳＩＭワイヤレスデバイスプロセッサに実行させるように構成された、
請求項５２に記載の非一時的プロセッサ可読記憶媒体。
【請求項６４】
前記記憶されたプロセッサ実行可能命令は、前記受信アクティビティの前記決定された特性が、データが前記ダウンリンク上でその上で受信され得るチャネルを備えるような動作を前記マルチＳＩＭワイヤレスデバイスプロセッサに実行させるように構成された、
請求項５２に記載の非一時的プロセッサ可読記憶媒体。
【発明の詳細な説明】
【技術分野】
【０００１】
[0001]本発明は、一般にマルチＳＩＭワイヤレス通信デバイスに関し、より詳細には、複数無線デュアルＳＩＭデュアルアクティブ（ＤＳＤＡ：dual-SIM dual active）ワイヤレス通信デバイスにおける同時通信による受信機感度を下げることを防ぐことに関する。
【背景技術】
【０００２】
[0002]受信機感度を下げること（「デセンス」）、または受信機感度の劣化は、近くの送信機からの雑音干渉から生じ得る。特に、２つの無線機が互いに近接し、一方がアップリンク上で送信し、他方がダウンリンク上で受信しているとき、送信機からのフィードバックが受信機によってピッキングされ得る。その結果、受信信号が破損し、復号することが困難または不可能になり得る。さらに、受信信号を測定する電力モニタによって送信機からのフィードバックが検出され得、それにより、モバイルデバイスがセルサイトの存在を誤って決定し得る。特に、複数の加入者識別モジュール（ＳＩＭ）で構成されたデバイスなど、複数無線デバイスでは、送信機と受信機との必要とされる近接度により、受信機デセンスが問題を提示することがある。
【０００３】
[0003]概して、モバイルデバイス無線受信機は、同時送信信号からの干渉を低減するためのフィルタを有し得る。効果的にするためには、信号が増幅された後の無線回路中に送信フィルタが配置される必要があるが、それには、高電力レベルを処理することができるフィルタが必要であり、そのようなフィルタは高価である。したがって、モバイル通信システムのためのプロトコルは、（ＵＴＲＡＮ  ＴＤＤ、Ｅ−ＵＴＲＡＮ  ＴＤＤなど）同時の送信と受信を回避すること、（ＧＳＭ（登録商標）、ＵＴＲＡＮ  ＦＤＤ、Ｅ−ＵＴＲＡＮ  ＦＤＤなど）送信信号と受信信号との間の周波数領域を十分に分離することなどによって）送信機においてフィルタを使用する必要なしにデセンスを緩和するように設計される。
【０００４】
[0004]デュアルＳＩＭモバイルデバイスは、サービスオプションおよび他の特徴におけるそれらのフレキシビリティにより、増加し普及している。デュアルＳＩＭモバイルデバイスの１つのタイプ、デュアルＳＩＭデュアルアクティブ（ＤＳＤＡ）デバイスは、両方のＳＩＭに対応するネットワークとの同時アクティブ接続を可能にする。ＤＳＤＡデバイスは、典型的には、各ＳＩＭに関連付けられた別々の送信／受信チェーンを有する。したがって、以前の通信システム設計は、ＤＳＤＡモバイルデバイス中など、同じデバイス内で同時にこれらの無線アクセス技術のうちの２つ以上を動作させるデバイスにおいてデセンスを防ぐのには、不十分である。
【発明の概要】
【０００５】
[0005]様々な実施形態のシステム、方法、およびデバイスは、複数無線デバイスが、デバイス上の送信機からデバイス上の受信機への予測されるデセンス干渉を緩和するためのアクションを実行することを可能にする。一実施形態では、マルチＳＩＭワイヤレスデバイス中の受信機へのデセンスを緩和することは、第１のＳＩＭ上のスケジュールされた送信と第２のＳＩＭ上の受信アクティビティとの間の潜在的干渉を検出することを含み得、それにおいて、第１のＳＩＭは第１の無線周波数（ＲＦ）リソースに関連付けられ、第２のＳＩＭは第２のＲＦリソースに関連付けられる。干渉が検出されたとき、スケジュールされた送信と受信アクティビティとの間の潜在的干渉のレベルが計算され得、および、計算された潜在的干渉に基づく受信機へのデセンスのレベルが予測され得る。これに基づいて、予測されるデセンスレベルが所定のしきい値を超えるかどうかに関する決定が行われ得る。予測されるデセンスレベルが所定のしきい値を超える場合、緩和アクションが選択され、マルチＳＩＭデバイス上で実行され得る。
【図面の簡単な説明】
【０００６】
[0006]本明細書に組み込まれ、本明細書の一部をなす添付の図面は、本発明の例示的な実施形態を示し、上記の概略的な説明および下記の発明を実施するための形態とともに、本発明の特徴を説明するのに役立つ。
【図１】様々な実施形態とともに使用するのに好適なネットワークの通信システムブロック図。
【図２】一実施形態によるデュアルＳＩＭデュアルアクティブワイヤレス通信デバイスを示すブロック図。
【図３】一実施形態による、デュアルＳＩＭデュアルアクティブワイヤレス通信デバイス中の異なる送信／受信チェーンの構成要素間の相互作用を示すブロック図。
【図４Ａ】デュアルＳＩＭデュアルアクティブデバイスにおいて受信機へのデセンス干渉を緩和するための実施形態方法を示すプロセスフロー図。
【図４Ｂ】デュアルＳＩＭデュアルアクティブデバイスにおいて受信機へのデセンス干渉を緩和するための実施形態方法を示すプロセスフロー図。
【図５】デュアルＳＩＭデュアルアクティブデバイスにおいて受信機へのデセンス干渉を緩和するための代替実施形態方法を示すプロセスフロー図。
【図６】ワイヤレスデバイスにおいて取られ得る例示的な所定のデセンス緩和アクションを示すデータ構造図。
【図７】様々な実施形態とともに使用するのに好適な例示的なモバイルデバイスの構成要素図。
【図８】様々な実施形態とともに使用するのに好適な別の例示的なモバイルデバイスの構成要素図。
【発明を実施するための形態】
【０００７】
[0015]様々な実施形態について添付の図面を参照しながら詳細に説明する。可能な場合はいつでも、同じまたは同様の部分を指すために図面全体にわたって同じ参照番号が使用される。特定の例および実装形態になされる言及は、説明のためであり、本発明の範囲または特許請求の範囲を限定するものではない。
【０００８】
[0016]「例示的」という単語は、本明細書では「例、事例、または例示の働きをすること」を意味するために使用される。「例示的」として本明細書で説明するいかなる実装形態も、必ずしも他の実装形態よりも好ましいまたは有利であると解釈されるべきではない。
【０００９】
[0017]「ワイヤレスデバイス」、「ワイヤレス通信デバイス」、および「モバイルデバイス」という用語は、本明細書では、セルラー電話、スマートフォン、パーソナルまたはモバイルマルチメディアプレーヤ、個人情報端末（ＰＤＡ）、ラップトップコンピュータ、タブレットコンピュータ、スマートブック、パームトップコンピュータ、ワイヤレス電子メール受信機、マルチメディアインターネット対応セルラー電話、ワイヤレスゲームコントローラ、ならびに、ワイヤレス通信経路を確立し、ワイヤレス通信経路を介してデータを送信／受信するためのプログラマブルプロセッサおよびメモリおよび回路を含む同様のパーソナル電子デバイスのうちのいずれか１つまたはすべてを指すために互換的に使用される。
【００１０】
[0018]本明細書で使用する「ＳＩＭ」、「ＳＩＭカード」および「加入者識別モジュール」という用語は、国際モバイル加入者識別情報（ＩＭＳＩ）、関係するキー、および／またはネットワーク上のワイヤレスデバイスを識別および／または認証するために使用される他の情報を記憶する、リムーバブルカード中に埋め込まれる集積回路を意味するために互換的に使用される。ＳＩＭという用語はまた、ＳＩＭに記憶された情報により、ワイヤレスデバイスが特定のネットワークとの通信リンクを確立し、したがってＳＩＭと通信ネットワークが互いに相関することが可能になるので、特定のＳＩＭに関連付けられた通信ネットワークへの簡略な言及として使用されることがある。
【００１１】
[0019]本明細書で使用する「マルチＳＩＭデバイス」、「マルチＳＩＭワイヤレスデバイス」「デュアルＳＩＭデバイス」「デュアルＳＩＭデュアルアクティブデバイス」および「ＤＳＤＡデバイス」という用語は、２つ以上のＳＩＭで構成され、両方の加入のネットワークとの通信を独立して処理することが可能であるワイヤレスデバイスについて説明するために置換可能に使用される。
【００１２】
[0020]本明細書で使用する「競合」および「競合する」という用語は、送信機からの雑音干渉が受信機において信号干渉を引き起こしているかまたは引き起こし得る状況を指す。
【００１３】
[0021]セルラーネットワークなどの無線周波数通信システムでは、受信機との雑音干渉は送信機によって引き起こされ得る。送信機は、それの動作周波数においてエネルギーを放射することに加えて、それの動作周波数の上および下の周波数（すなわち、側波帯）においてエネルギーを放射する。このバンドスプレッドは、近くのまたはコロケートされた受信機の動作周波数が数メガヘルツ（ＭＨｚ）離れている場合でも、その受信機の通過帯域内に入り得る。したがって、送信機雑音は、受信機において「オンチャネル（on-channel）」信号のように見え得、受信機においてフィルタ処理されて除去されない。受信機デセンスは、この送信機雑音が所望の信号と競合することによって引き起こされ、それにより、事実上、受信機の動作性能が劣化する。これは、送信機と受信機がモバイルデバイスなどの同じデバイス中にあるときに特に問題である。
【００１４】
[0022]様々な実施形態は、同じデバイス内の別の無線機の送信機から受信機への予測されるデセンスを緩和するためのシステムおよび方法を提供する。様々な実施形態では、予測されるデセンスは、送信機と受信機が、隣接または重複する周波数帯域上で動作していることの結果であり得る。様々な実施形態は、ワイヤレスデバイスが受信機へのデセンスを緩和するためにアクションを自律的に取ることを可能にする。本実施形態方法は、異なるそれぞれのＳＩＭに関連付けられた異なる送信／受信チェーン上の信号間の干渉を緩和するための方法を提供する。特に、ワイヤレスデバイスは、受信機デセンスを緩和するために、ネットワーク関与なしに、独立したアクションを取り得る。すなわち、ネットワーク側のアクション（たとえば、信号を異なる周波数またはタイムスロットに移動すること）を必要とするのではなく、本実施形態方法は、干渉状況が認識または予測されるとすぐにモバイルデバイスにおいて問題の解決を可能にする。さらに、本実施形態方法では、ワイヤレスデバイスは、干渉する物理チャネル上にマッピングされた論理チャネルの特性に基づいて、送信メッセージと受信メッセージとの間の予測される干渉を補正し得る。
【００１５】
[0023]図１に、様々な実施形態とともに使用するのに好適なワイヤレスネットワークシステム１００を示す。ワイヤレス通信デバイス１０２、１０３、および１０４とワイヤレス送信機／受信機１０６が一緒にワイヤレスデータネットワーク１０８を構成する。ワイヤレスデータネットワーク１０８を使用して、ワイヤレスデバイス１０２、１０３、および１０４とワイヤレスセルタワーまたは基地局１０６との間でデータがワイヤレス送信され得る。ワイヤレスデバイス１０２、１０３、および１０４とワイヤレスセルタワーまたは基地局１０６との間の送信は、Ｗｉ−Ｆｉ（登録商標）、ＣＤＭＡ、ＴＤＭＡ、ＧＳＭ、ＰＣＳ、Ｇ−３、Ｇ−４、ＬＴＥ、または任意の他のタイプの接続を含む、任意のセルラーネットワークにより得る。ワイヤレスネットワーク１０８は、インターネット１１２に接続するルータ１１０と通信中であり得る。このようにして、データが、当技術分野でよく知られている方法によってワイヤレスデバイス１０２、１０３、および１０４から／にワイヤレスネットワーク１０８およびルータ１１０を介してインターネット１１２上でサーバ１１４に／から送信され得る。様々な実施形態は特にワイヤレスネットワークに有用であるが、本実施形態は、ワイヤレスネットワークに限定されず、本方法への変更なしにワイヤードネットワーク上でも実装され得る。
【００１６】
[0024]ワイヤレスデバイス１０２の一部または全部は、マルチモード能力を用いて構成され得、異なるワイヤレスリンク／無線アクセス技術（ＲＡＴ）を介して異なるワイヤレスネットワークと通信するために複数のトランシーバを含み得る。たとえば、ワイヤレスデバイス１０２は、デュアルＳＩＭワイヤレスデバイスなどにおいて、異なるサブスクリプション上で複数のワイヤレスデータネットワークを介して通信するように構成され得る。特に、ワイヤレスデバイス１０２は、デュアルＳＩＭデバイスが、概して独立した送信／受信チェーンであるが、２つの独立した通信セッションに同時に参加することを可能にするデュアルＳＩＭデュアルアクティブ（ＤＳＤＡ）能力を用いて構成され得る。
【００１７】
[0025]明快のために、本明細書で説明する技法および実施形態は、複数のＧＳＭサブスクリプションで構成されたワイヤレスデバイスに関係するが、それらは他の無線アクセスネットワーク（たとえば、ＵＭＴＳ、ＷＣＤＭＡ（登録商標）、ＬＴＥなど）上のサブスクリプションに拡張され得る。
【００１８】
[0026]ＧＳＭ規格は、異なるワイヤレスデバイスと基地局との間で同時通信がどのように行われ得るかを定義する多元接続方式を採用する。各セル内では、その規格によって周波数分割多元接続（ＦＤＭＡ）技法と時分割多元接続（ＴＤＭＡ）技法との組合せが採用される。特に、各２５ＭＨｚ帯域は、２００ｋＨｚ間隔で離間された１２４個のキャリア周波数に分割され、各キャリア周波数は８つのタイムスロットに分割され、各タイムスロットは約０．５７７ｍｓ持続する。各キャリアのための８つのタイムスロットは、約４．６１５ｍｓ持続する単一のＴＤＭＡ「フレーム」と見なされ得、これがワイヤレスデバイスによって採用され得る。このようにして、個々の物理チャネルが形成され得、それらの各々は特定のキャリア周波数およびタイムスロット番号に対応する。
【００１９】
[0027]物理チャネルにマッピングされた論理チャネルは、物理チャネル内で搬送される情報によってカテゴリー分類される。特に、トラフィックチャネル（ＴＣＨ）は、回線交換またはパケット交換ネットワーク中で音声またはユーザデータを搬送し、ハーフレートまたはフルレートであり得る。制御チャネルは、回線交換またはパケット交換ネットワーク中でシグナリングまたは同期データを搬送し、ブロードキャスト制御チャネル（ＢＣＨ）、共通制御チャネル（ＣＣＣＨ）、および専用制御チャネルとしてさらにカテゴリー分類され得る。
【００２０】
[0028]図２は、様々な実施形態を実装するために好適であるマルチＳＩＭワイヤレスデバイス２００の機能ブロック図である。ワイヤレスデバイス２００は、第１のサブスクリプションに関連付けられた第１の識別モジュールＳＩＭ−１  ２０４ａを受け入れ得る第１のＳＩＭインターフェース２０２ａを含み得る。ワイヤレスデバイス２００はまた、第２のサブスクリプションに関連付けられた第２の識別モジュールＳＩＭ−２  ２０４ｂを受け入れ得る第２のＳＩＭインターフェース２０２ｂを含み得る。
【００２１】
[0029]様々な実施形態におけるＳＩＭは、ＧＳＭおよび／またはＵＭＴＳネットワークへのアクセスを可能にする、ＳＩＭおよび／またはＵＳＩＭ適用例で構成されたユニバーサル集積回路カード（ＵＩＣＣ：Universal Integrated Circuit Card）であり得る。ＵＩＣＣはまた、電話帳のための記憶および他の適用例を与え得る。代替的に、ＣＤＭＡネットワークでは、ＳＩＭはカード上のＵＩＣＣリムーバブルユーザ識別モジュール（Ｒ−ＵＩＭ）またはＣＤＭＡ加入者識別モジュール（ＣＳＩＭ）であり得る。
【００２２】
[0030]各ＳＩＭカードは、ＣＰＵ、ＲＯＭ、ＲＡＭ、ＥＥＰＲＯＭ（登録商標）およびＩ／Ｏ回路を有し得る。様々な実施形態において使用されるＳＩＭは、ユーザアカウント情報、国際モバイル加入者識別情報（ＩＭＳＩ）、ＳＩＭアプリケーションツールキット（ＳＡＴ）コマンドのセットおよび電話帳連絡先のための記憶スペースを含んでいることがある。ＳＩＭカードは、ＳＩＭカードネットワーク事業者プロバイダを示すためのホームパブリックランドモバイルネットワーク（ＨＰＬＭＮ）コードをさらに記憶し得る。識別のために集積回路カード識別情報（ＩＣＣＩＤ）ＳＩＭシリアル番号がＳＩＭカード上に印刷される。
【００２３】
[0031]ワイヤレスデバイス２００は、コーダ／デコーダ（ＣＯＤＥＣ）２０８に結合され得る、汎用プロセッサ２０６などの少なくとも１つのコントローラを含み得る。ＣＯＤＥＣ２０８は、今度は、スピーカー２１０とマイクロフォン２１２とに結合され得る。汎用プロセッサ２０６はまた、少なくとも１つのメモリ２１４に結合され得る。メモリ２１４は、プロセッサ実行可能命令を記憶する非一時的有形コンピュータ可読記憶媒体であり得る。たとえば、これらの命令は、対応するベースバンドＲＦリソースチェーンであるが第１または第２のサブスクリプションに関係する通信データをルーティングすることを含み得る。
【００２４】
[0032]メモリ２１４は、オペレーティングシステム（ＯＳ）、ならびにユーザアプリケーションソフトウェアおよび実行可能命令を記憶し得る。メモリ２１４はまた、アレイデータ構造などのアプリケーションデータを記憶し得、所定のまたはプリフェッチされた要素をルックアップテーブル／デセンス緩和行列に記憶するために使用され得、それの一例については図５および図６を参照しながら以下で詳細に説明する。
【００２５】
[0033]汎用プロセッサ２０６およびメモリ２１４はそれぞれ、少なくとも１つのベースバンドモデムプロセッサ２１６に結合され得る。ワイヤレスデバイス２００中の各ＳＩＭ（たとえば、ＳＩＭ−１  ２０２ａおよびＳＩＭ−２  ２０２ｂ）はベースバンドＲＦリソースチェーンに関連付けられ得る。各ベースバンドＲＦリソースチェーンは、ＳＩＭ上での通信のためのベースバンド／モデム機能を実行するためのベースバンドモデムプロセッサ２１６と、本明細書では一般にＲＦリソース２１８と呼ばれる１つまたは複数の増幅器および無線機とを含み得る。一実施形態では、ベースバンドＲＦリソースチェーンは、共通のベースバンドモデムプロセッサ２０６（すなわち、ワイヤレスデバイス上のすべてのＳＩＭのためのベースバンド／モデム機能を実行する単一のデバイス）を共有し得る。代替的に、各ベースバンドＲＦリソースチェーンは物理的または論理的に別々のベースバンドプロセッサ（たとえば、ＢＢ１、ＢＢ２）を含み得る。
【００２６】
[0034]ＲＦリソース２１８ａ、２１８ｂはそれぞれ、ワイヤレスデバイスの関連するＳＩＭのための送信／受信機能を実行するトランシーバであり得る。ＲＦリソース２１８ａ、２１８ｂは、別々の送信回路および受信回路を含むか、または送信機機能と受信機機能とを組み合わせるトランシーバを含み得る。ＲＦリソース２１８ａ、２１８ｂはワイヤレスアンテナ（たとえば、第１のワイヤレスアンテナ２２０ａおよび第２のワイヤレスアンテナ２２０ｂ）に結合され得る。ワイヤレスデバイス２００の少なくとも１つのメモリ２１４はオペレーティングシステム（ＯＳ）とユーザアプリケーションソフトウェアとを記憶し得る。
【００２７】
[0035]特定の実施形態では、汎用プロセッサ２０６、メモリ２１４、ベースバンドプロセッサ２１６、およびＲＦリソーレス２１８ａ、２１８ｂはシステムオンチップデバイス２２２中に含まれ得る。第１および第２のＳＩＭ２０２ａ、２０２ｂならびにそれらの対応するインターフェース２０４ａ、２０４ｂはシステムオンチップデバイス２２２の外部にあり得る。さらに、インターフェースまたはコントローラなど、様々な入出力デバイスがシステムオンチップデバイス２１６の構成要素に結合され得る。ワイヤレスデバイス２００において使用するのに好適な例示的なユーザ入力構成要素としては、限定はしないが、キーパッド２２４およびタッチスクリーンディスプレイ２２６があり得る。
【００２８】
[0036]一実施形態では、キーパッド２２４、タッチスクリーンディスプレイ２２６、マイクロフォン２１２、またはそれらの組合せは、出呼を開始するようにとの要求を受信する機能を実行し得る。たとえば、タッチスクリーンディスプレイ２２６は、連絡先リストから連絡先の選択を受け取るかまたは電話番号を受け取り得る。別の例では、タッチスクリーンディスプレイ２２６とマイクロフォン２１２の一方または両方は、出呼を開始するようにとの要求を受信する機能を実行し得る。たとえば、タッチスクリーンディスプレイ２２６は、連絡先リストからまたは電話番号を受け取るために連絡先の選択を受け取り得る。別の例として、出呼を開始するようにとの要求は、マイクロフォン２１２を介して受信される音声コマンドの形態であり得る。当技術分野で知られているように、ワイヤレスデバイス２００中の様々なソフトウェアモジュールおよび機能の間に、それらの間の通信を可能にするためのインターフェースが設けられ得る。
【００２９】
[0037]図３に、別々のＲＦリソース中の送信構成要素と受信構成要素とのブロック図を示す。たとえば、図２を参照しながら上記で説明したように、送信機３０２は１つのＲＦリソース２１８ａの一部であり得、受信機３０４は別のＲＦリソース２１８ｂの一部であり得る。特定の実施形態では、送信機３０２は、送信されるべきデータをフォーマットし、符号化し、インターリーブし得るデータプロセッサ３０６を含み得る。送信機３０２は、たとえば、ガウス型最小シフトキーイング（ＧＭＳＫ）を実行することによって、キャリア信号を符号化データで変調する変調器３０８を含み得る。１つまたは複数の送信回路３１０は、送信のためのＲＦ被変調信号を生成するために、（たとえば、フィルタ処理、増幅、およびアップコンバートすることによって）被変調信号を調整し得る。ＲＦ被変調信号は、たとえば、図２に示されているアンテナ２２０ａなどのアンテナを介して基地局３１２に送信され得る。
【００３０】
[0038]受信機３０４において、アンテナ２２０ｂは、たとえば基地局３１４からＲＦ被変調信号を受信し得る。ただし、アンテナ２２０ｂは、送信機３０２から何らかのＲＦシグナリングをも受信し得、このＲＦシグナリングは、最終的に基地局３１４からの所望の信号と競合する。１つまたは複数の受信回路３１６は、受信されたＲＦ被変調信号を調整（たとえば、フィルタ処理、増幅、およびダウンコンバート）し、調整された信号をデジタル化し、サンプルを復調器３１８に与え得る。復調器３１８は、変調された搬送波から元の情報を担持する信号を抽出し得、復調された信号をデータプロセッサ３２０に与え得る。データプロセッサ３２０は、信号をデインターリーブし、復号して、元の復号されたデータを取得し得、復号されたデータをワイヤレスデバイス中の他の構成要素に与え得る。送信機と受信機との動作は、図２に示されているベースバンドプロセッサ２０６などのプロセッサによって制御され得る。様々な実施形態では、送信機３０２と受信機３０４との各々は、それらの対応する受信回路および送信回路（図示せず）から分離された回路として実装され得る。代替的に、送信機３０２および受信機３０４はそれぞれ、対応する受信回路および送信回路と（すなわち、ＳＩＭ−１とＳＩＭ−２とに関連付けられたトランシーバとして）組み合わせられ得る。
【００３１】
[0039]上記で説明したように、受信機デセンスは、アップリンク上で送信される第１のＳＩＭに関連付けられたデータが、第２のＳＩＭに関連付けられた異なる送信／受信チェーン上の受信アクティビティに干渉するときに起こり得る。所望の信号が破損し、復号することが困難または不可能になり得る。さらに、周囲のセルの信号強度を測定する電力モニタによって送信機からの雑音が検出され得、それにより、モバイルデバイスが近くのセルサイトの存在を誤って決定し得る。例示的な実施形態では２つのＳＩＭに関連付けられた送信データと受信データとの間の干渉に関して説明するが、追加のＳＩＭおよびネットワーク接続がマルチＳＩＭワイヤレスデバイスにおいて使用可能であり得る。
【００３２】
[0040]一実施形態では、マルチＳＩＭデバイス中の別のＳＩＭに関連付けられた送信信号からの干渉により受信機デセンスが起こり得ることを予測すると、ワイヤレスデバイスは、最適なデセンス緩和アクションを選択するためのアルゴリズムを実装し得る。緩和アクションは、限定はしないが、送信信号の電力を低減すること、アップリンク上で干渉データの一部のみを送信すること、アップリンク上での送信を遅延させること、送信を通常処理すること、およびアップリンク上の干渉データを取り消すことを含み得る。送信信号と受信信号との様々な特性（たとえば、チャネル特性、優先度など）への緩和アクションを調整することによって、ワイヤレスデバイスは、サービスの起こり得る劣化を最小限に抑えながら干渉の低減を最大にし得る。緩和アクションは、干渉が予測されるとすぐに、ネットワークからの応答を待つことなしに取られ得る。
【００３３】
[0041]ワイヤレスデバイスにおけるいくつかの緩和アクションは、スケジュールされた送信への変更を伴い得る。たとえば、アップリンク上で送られるべきデータは通常ワイヤレスデバイスによってスケジュールされ、処理され得るが、そのようなデータ送信がいくつかのスケジュールされた受信バースト（たとえば、呼設定）と競合することになる（すなわち、干渉することになる）とき、優先度はダウンリンク信号に割り振られ得、ワイヤレスデバイスは、（たとえば、スケジュールされた送信を遅延させるか、取り消すかまたは調整することによって）アップリンク上の競合する送信を回避し得る。
【００３４】
[0042]一実施形態では、ワイヤレスデバイスは、デセンス緩和アルゴリズム／プロセスを実装することによってデセンス緩和アクションのアドホック選択を行い得る。図４Ａに示された実施形態では、マルチＳＩＭワイヤレスデバイスは、第１のＳＩＭ上のスケジュールされた送信と第２のＳＩＭ上の受信アクティビティとの間の競合を回避または低減するための方法４００を採用し得る。方法４００の動作は、図２に示された汎用プロセッサ２０６、またはメモリとベースバンドモデムプロセッサ２１６とに結合され得る別個のコントローラ（図示せず）など、ワイヤレスデバイスの１つまたは複数のプロセッサによって実装され得る。
【００３５】
[0043]方法４００のブロック４０２において、ワイヤレスデバイスのプロセッサが、スケジュールされた送信からおよび受信アクティビティへの潜在的干渉を検出し得る。たとえば、ワイヤレスデバイスは、送信および／または受信周波数、送信および／または受信電力、あるいはそれらの組合せなど、各ＳＩＭに関連付けられた通信のためのパラメータ値を検出し得る。一実施形態では、送信／受信電力は、ワイヤレスデバイス中に構成要素として含まれ得、測定値をプロセッサに出力し得る、様々なＲＦ信号分析器および／または計測器のうちの１つまたは複数を使用して測定され得る。ブロック４０４において、プロセッサは、検出された送信／受信パラメータ値を使用して受信アクティビティへの潜在的干渉の量を計算し得る。たとえば、プロセッサによってアクセスされ、検出された送信／受信パラメータ値に適用され得るワイヤレスデバイスのメモリ上に、ルックアップテーブルまたは式が記憶され得る。ブロック４０６において、プロセッサは、受信アクティビティへの潜在的干渉の計算された量に基づいて、第２のＳＩＭに関連付けられた受信機へのデセンスのレベルを予測し得る。決定ブロック４０８において、プロセッサは、デセンスの予測されるレベルが所定のしきい値を超えるかどうかを決定することによって、受信機デセンスを緩和するためのプロセスを使用すべきかどうかを決定し得る。予測されるデセンスが所定のしきい値よりも大きくない場合（すなわち、決定ブロック４０８＝「Ｎｏ」）、プロセッサは、ブロック４１０において、潜在的受信機デセンスを許容し、スケジュールされた送信を通常通り処理し得る。予測されるデセンスが、決定されたしきい値を超える場合（すなわち、決定ブロック４０８＝「Ｙｅｓ」）、決定ブロック４１２において、プロセッサは、受信アクティビティが高優先度信号であるかどうかを決定し得る。この決定は、受信信号の重要性にのみ基づくか、または競合する送信および受信バースト間の相対的優先度と活用可能な特性とに基づき得る。
【００３６】
[0044]たとえば、概して優先度を伴って扱われない受信信号は、トラフィックチャネル（ＴＣＨ）上で送られる音声データよりも高い優先度として指定され得る。すなわち、符号化された音声データバーストの取消しは、受信相手のデバイスが、受話者にとって検出不可能な小さいギャップを生成する快適雑音を挿入し得るので、送信への有意な影響を有しないことがある。したがって、ＴＣＨ上のバーストは必要な場合は最終的に取り消され得るので、そのようなフレキシビリティをもたない他の信号は、アップリンク上で送られるべきＴＣＨデータに勝る「高優先度」ステータスを受け取り得る。
【００３７】
[0045]干渉が予測される受信信号が高優先度信号でない場合（すなわち、決定ブロック４１２＝「Ｎｏ」）、ワイヤレスデバイスプロセッサは、決定ブロック４１４において、受信アクティビティが、第２のＳＩＭ上で周囲セルの信号強度をモニタすることを構成するかどうかを決定し得る。受信アクティビティが周囲セルの信号強度をモニタすることを構成する場合（すなわち、決定ブロック４１４＝「はい」）、プロセッサは、ブロック４１６において、受信信号をＴＤＭＡフレーム中の異なるタイムスロットにまたは異なるＴＤＭＡフレームに移動し、受信アクティビティを処理し得る。予測される干渉が、第２のＳＩＭに関連付けられた受信機のための電力モニタからの信号へのものでない場合（すなわち、決定ブロック４１４＝「いいえ」）、ワイヤレスデバイスプロセスは、ブロック４１８において、スケジュールされた送信を通常通りに処理し得る。
【００３８】
[0046]プロセッサが、受信アクティビティが高優先度信号であると決定した場合（すなわち、決定ブロック４１２＝「はい」）、ワイヤレスデバイスプロセッサは、決定ブロック４２０において、競合するデータがアップリンク制御チャネル上で送られるようにスケジュールされるかどうかを決定し得る。競合するデータがアップリンク制御チャネル上で送られるようにスケジュールされる場合（すなわち、決定ブロック４２０＝「はい」）、ブロック４２２において、ワイヤレスデバイスプロセッサは、図４Ｂを参照しながら以下で説明するようにアップリンク制御チャネルバーストを処理するための別個のプロセスを実行し得る。
【００３９】
[0047]競合するデータがアップリンク制御チャネル上で送られるようにスケジュールされない場合（すなわち、決定ブロック４２０＝「いいえ」）、決定ブロック４２４において、ワイヤレスデバイスは、潜在的干渉を回避するために、スケジュールされた送信が遅延され得るかどうかを決定し得る。そのような決定は、遅延がサービスに悪影響を及ぼさないいくつかのチャネルの特性を活用し得る。干渉を回避するために送信信号が遅延され得る場合（すなわち、決定ブロック４２４＝「はい」）、ブロック４２６において、受信アクティビティが完了するまで、またはスケジュールされた受信アクティビティ中に既知のギャップがあるまで、スケジュールされた送信は遅延され得る。干渉を回避するためにスケジュールされた送信が遅延され得ない場合（すなわち、決定ブロック４２４＝「いいえ」）、ワイヤレスデバイスプロセッサは、決定ブロック４２８において、第１のＳＩＭに関連付けられた送信機のための電力を低減することが、スケジュールされた送信の失敗を引き起こすことなしに、受信アクティビティへの予測される干渉を十分に低減し得るかどうかを決定し得る。送信電力を低減することが、スケジュールされた送信の失敗を引き起こすことなしに予測される干渉を十分に低減し得る場合（すなわち、決定ブロック４２８＝「はい」）、ブロック４３０において、ワイヤレスデバイスプロセッサは、第１のＳＩＭに関連付けられた送信信号を低減し得る。送信電力を低減することが、成功した送信のための要件を満たしながら、予測される干渉を十分に低減し得ない場合（すなわち、決定ブロック４２８＝「いいえ」）、決定ブロック４３２において、ワイヤレスデバイスプロセッサは、スケジュールされた送信フレーム中の競合するバーストのいくつかを取り消すこと（すなわち、部分送信）が、受信信号への予測される干渉を十分に低減し得るかどうかを決定し得る。たとえば、部分送信は、いくつかの制御信号のための符号化に組み込まれた冗長性を活用し得る。
【００４０】
[0048]スケジュールされた送信フレーム中の競合するバーストのいくつかを取り消すことが、予測される干渉を十分に低減し得る場合（すなわち、決定ブロック４３２＝「はい」）、ワイヤレスデバイスは、ブロック４３４において、アップリンク上でフレームを部分的に送信し得る。競合するバーストのいくつかを取り消すことが、予測される干渉を十分に低減し得ない場合（すなわち、決定ブロック４３２＝「いいえ」）、ワイヤレスデバイスプロセッサは、ブロック４３６において、スケジュールされた送信フレームを取り消し得る。
【００４１】
[0049]このようにして、送信アクティビティと受信アクティビティとの特定の組合せへの緩和アクションを調整することによって、ワイヤレスデバイスプロセッサは、サービスの起こり得る劣化を最小限に抑えながら干渉の低減を最大にし得る。
【００４２】
[0050]予測されるデセンスレベルが所定のしきい値を超えると決定した（すなわち、決定ブロック４０８＝「はい」）後の方法４００のための例示的な使用事例、スケジュールされた送信は、ＲＡＣＨ上で送られるべきバーストであり得、受信アクティビティはブロードキャスト制御チャネル（ＢＣＣＨ）上のメッセージであり得る。ワイヤレスデバイスプロセッサは、決定ブロック４１２において、ＢＣＣＨが高優先度（またはＲＡＣＨ上の信号よりも高い優先度）を割り振られるべきであると決定し得る。ワイヤレスデバイスプロセッサは、決定ブロック４２０において、送信が制御チャネル上で送られるようにスケジュールされないと決定し得る。
【００４３】
[0051]図４Ｂに、制御チャネル上で送られるべきであるスケジュールされた送信（すなわち、決定ブロック４２０＝「はい」）を処理するための実施形態方法を示す。特に、制御チャネル上のメッセージが遅延され得る間、ワイヤレスデバイスプロセッサは、プロトコルスタックの上位レイヤへの悪影響を回避するために、制御チャネルを１回のみ遅延させるように構成され得る。方法４５０では、ワイヤレスデバイスプロセッサは、決定ブロック４５２において、スケジュールされた送信が以前に遅延されたことがあるかどうかを決定し得る。たとえば、ワイヤレスデバイスプロセッサは、この決定を行うためにアプリケーション記憶のエリアまたはＲＡＭにアクセスし得る。スケジュールされた送信が以前に遅延されたことがない場合（すなわち、決定ブロック４５２＝「いいえ」）、ワイヤレスデバイスプロセッサは、ブロック４５４において、受信アクティビティへの潜在的干渉を回避するために制御チャネル送信をそれだけ遅延させるフレームの数を決定し得る。ブロック４５６において、ワイヤレスデバイスプロセッサは、遅延情報を、たとえば、アプリケーション記憶またはＲＡＭに保存して、遅延情報を方法４５０の後続のサイクルにとってアクセス可能にし得る。ブロック４５８において、ワイヤレスデバイスプロセッサは、決定されたフレームの数だけ制御チャネル上の送信を遅延させ得る。
【００４４】
[0052]スケジュールされた送信が以前に遅延されたことがある場合（すなわち、決定ブロック４５２＝「はい」）、ワイヤレスデバイスプロセッサは、ブロック４６０において、次の利用可能な機会において制御チャネル上で遅延されたメッセージを送信し得る。
【００４５】
[0053]別の実施形態では、ワイヤレスデバイスプロセッサ上でデセンス緩和アクションを選択することに関与する多数のステップが事前に実行され得る。すなわち、図４Ａを参照しながら上記で説明したようにアドホック選択に依拠する代わりに、スケジュールされた送信と受信アクティビティとの様々な組合せのための選択プロセス（たとえば、図４Ａの方法４００におけるアルゴリズム）の結果があらかじめ決定され、デセンス緩和行列／ルックアップテーブルに記憶され得る。アップリンク信号とダウンリンク信号との多くの特性は事前に知られ、ワイヤレスデバイスプロセッサ上に記憶され得るので、この実施形態では、ワイヤレスデバイスプロセッサは、競合シナリオごとに、それが発生したときに、デセンス緩和アルゴリズム（たとえば、方法４５０）のステップを実行することを必要とされない。このようにして、送信および受信の信号タイプのための大部分またはすべての干渉シナリオについて結果が展開され得る。特定の実施形態では、デセンス行列は、図４Ａを参照しながら上記で説明した可能な緩和アクションのうちの１つを示し得る。このようにして、送信アクティビティと受信アクティビティとの特定の組合せへの緩和アクションを調整することによって、ワイヤレスデバイスは、サービスの起こり得る劣化を最小限に抑えながら干渉の低減を最大にし得る（すなわち、干渉を最小限に抑え得る）。
【００４６】
[0054]図５に、デセンス緩和行列を使用して最適な緩和アクションを選択する実施形態方法を示す。方法５００は、図４Ａのブロック４０２〜４０８中の動作から開始し得る。ブロック５０２において、ワイヤレスデバイスプロセッサは、デセンス緩和アクションまたは情報を含んでいるかまたはそれにリンクされたアレイ、行列または他のデータ構造上でテーブルルックアッププロセスを実行し得る。ブロック５０２において、ワイヤレスデバイスプロセッサは、対応する緩和アクションが記憶されたメモリアドレスの位置を特定するために、スケジュールされた送信の特性を第１のルックアップインデックスまたはパラメータとして使用し、受信アクティビティの特性を第２のルックアップインデックスまたはパラメータとして使用し得る。ブロック５０４において、ワイヤレスデバイスプロセッサは、行列を使用して、スケジュールされた送信の特性（たとえば、論理チャネルなど）に基づいて最適なデセンス緩和アクションを選択し得る。ブロック５０６において、ワイヤレスデバイスプロセッサは、ワイヤレスデバイスプロセッサ上で、選択された緩和アクションを実装し得る。このようにして、図４Ａと同様に、緩和アクションは、送信アクティビティと受信アクティビティとの特定の組合せ調整され得る。
【００４７】
[0055]図６に、表６００に示された例示的なデセンス行列を示す。表６００は、ワイヤレスデバイス上のメモリに記憶され、上記の図２に示された汎用プロセッサ２０６などのプロセッサによってアクセスされ得る。ルックアップ基準のために使用され得る、スケジュールされた送信のための様々なチャネルは、表の列の見出し６０２として示され、のためのルックアップ基準のために使用され得る、スケジュールされた受信アクティビティのための受信チャネルは、表の行の見出し６０４として記載されている。スケジュールされた送信アクティビティと受信アクティビティとの各組合せに適した緩和アクション（たとえば、ＸＭＬスクリプトまたはコマンドリスト）が、スケジュールされた送信アクティビティと受信アクティビティとの特性に対応するアドレスとともにメモリに記憶され得る。言い換えれば、スケジュールされた送信アクティビティと受信アクティビティとの特性は、対応する緩和アクションが記憶されたメモリ中のアドレスの位置を特定するためのルックアップインデックスまたはパラメータとして使用され得る。
【００４８】
[0056]図６中の列と行との見出しに記載されているチャネルは、３ＧＰＰ  ＴＲ  ２１．９０５バージョン１１．２．０リリース１１において定義されている略語である。スケジュールされた送信の可能なキャリアとして与えられ得るアップリンク制御チャネルとしては、限定はしないが、ランダムアクセス制御チャネル（ＲＡＣＨ）、トラフィックチャネル（ＴＣＨ）、低速専用制御チャネル（ＳＤＣＣＨ）上のバーストに関連付けられた低速付随制御チャネル（ＳＡＣＣＨ）、ＴＣＨに関連付けられたＳＡＣＣＨ、高速付随制御チャネル（ＦＡＣＣＨ）、パケットデータチャネル（ＰＤＣＨ）、およびパケット付随制御チャネル（ＰＡＣＣＨ）があり得る。
【００４９】
[0057]ＰＡＣＣＨチャネルはＲＬＣ／ＭＡＣ制御メッセージを搬送する。ＰＡＣＣＨメッセージを送信するためのブロックは、表６００の最後の列に示された予約済み無線ブロック期間（ＲＲＢＰ）を使用して、パケット交換ネットワークによってワイヤレスデバイスのために予約され得る。
【００５０】
[0058]可能な受信アクティビティとして与えられ得るダウンリンクチャネルとしては、限定はしないが、同期チャネル（ＳＣＨ）、ページングチャネル（ＰＣＨ）、ブロードキャスト制御チャネル（ＢＣＣＨ）、（ＦＡＣＣＨをも含んでいることがある）ＴＣＨ、ＴＣＨに関連付けられたＳＡＣＣＨ、ＳＤＣＣＨに関連付けられたＳＡＣＣＨ、周波数補正チャネル（ＦＣＣＨ）、パケット専用チャネル（ＰＤＣＨ）、およびパケット付随制御チャネル（ＰＡＣＣＨ）を含み得る。表６００の最下行６０４に示された、別の可能な受信アクティビティは、近くのセルにおいて信号強度を測定するモニタから信号を受信することを含み得る。たとえば、受信アクティビティは、近くのＧＳＭセルについての信号強度の測定を含み得る。別の実施形態では、受信アクティビティは、（すなわち、ＩｎｔｅｒＲＡＴ測定（「ＩＲＡＴ」））と呼ばれる、他の技術を使用するセルについての信号強度の測定を含み得る。表６００の下から３番目の行６０４に示された、別の可能な受信アクティビティは、ＰＤＣＨのリリースを強制するためのメッセージを受信するまで動作していることがあるＴ３１９２タイマーのためのメッセージを含み得る。
【００５１】
[0059]例示的な緩和アクションは、様々な信号干渉について図６のデセンス緩和行列に示されている。この場合も、スケジュールされた送信チャネルと受信アクティビティとの各組合せについて、あらかじめ定義された緩和アクションが、ルックアップ基準として行列と送信特性（列）と受信アクティビティ特性（行）とを使用して識別され得るアドレスにおいてメモリに記憶され得る。
【００５２】
[0060]これらの論理チャネルのマッピングを定義する特性および詳細については、ＧＳＭ規格に、特に３ＧＰＰ  ＴＳ  ４５．００２．  ３ＧＰＰ  ＴＳ  ４５．００２バージョン１１．０．０リリース１１に詳細に記載されている。
【００５３】
[0061]デセンス緩和行列６００は、ワイヤレスデバイス上にアレイデータ構造で記憶され得る。様々な実施形態では、予測される干渉を低減するために、送信アクティビティから受信アクティビティへの潜在的干渉のためのそれらの特性に基づく緩和アクションが、必要に応じて送信信号チャネルと受信信号チャネルとの組合せについて取り出され得る。緩和アクションの選択を最適化するために、デセンス緩和行列データとともに、送信信号と受信信号との他の特性に関係するデータ値が記憶され得る（たとえば、信号強度、ＱｏＳなど）。図４Ａを参照しながら上記で説明したのと同じ使用事例（すなわち、ＲＡＣＨ上で送られるべき送信およびＢＣＣＨ上の受信バースト）では、ワイヤレスデバイスプロセッサは、ＲＡＣＨを遅延させるための命令として示された、記憶された行列中の対応する情報にアクセスするだけであり得る。
【００５４】
[0062]様々な実施形態は、図７にそれの一例が示されている、様々なモバイルデバイスのいずれかにおいて実装され得る。たとえば、モバイルデバイス７００は、内部メモリ７０４および７１０に結合されたプロセッサ７０２を含み得る。内部メモリ７０４および７１０は、揮発性メモリまたは不揮発性メモリであり得、セキュアメモリおよび／または暗号化メモリ、あるいは非セキュアメモリおよび／または非暗号化メモリ、またはそれらの任意の組合せでもあり得る。プロセッサ７０２はまた、抵抗性感知タッチスクリーン、容量性感知タッチスクリーン赤外線感知タッチスクリーンなど、タッチスクリーンディスプレイ７０６に結合され得る。さらに、モバイルデバイス７００のディスプレイはタッチスクリーン能力を有する必要がない。さらに、モバイルデバイス７００は、プロセッサ７０２に結合されたワイヤレスデータリンクおよび／またはセルラー電話トランシーバ７１６に接続され得る、電磁放射を送信および受信するための１つまたは複数のアンテナ７０８を有し得る。モバイルデバイス７００はまた、ユーザ入力を受け入れるための物理的ボタン７１２ａおよび７１２ｂを含み得る。モバイルデバイス７００はまた、モバイルデバイス７００をオンおよびオフするための電源ボタン７１８を含み得る。
【００５５】
[0063]上記で説明した様々な実施形態はまた、図８に示されたラップトップコンピュータ８１０など、様々なパーソナルコンピューティングデバイス内に実装され得る。多くのラップトップコンピュータは、コンピュータのポインティングデバイスとして機能するタッチパッドタッチ面８１７を含み、したがって、タッチスクリーンディスプレイを装備したモバイルコンピューティングデバイス上で実装され上記で説明したものと同様の、ドラッグ、スクロール、およびフリックジェスチャーを受け入れ得る。ラップトップコンピュータ８１０は、典型的には、揮発性メモリ８１２と、フラッシュメモリのディスクドライブ８１３などの大容量不揮発性メモリとに結合されたプロセッサ８１１を含むことになる。コンピュータ８１０はまた、プロセッサ８１１に結合されたフロッピー（登録商標）ディスクドライブ８１４とコンパクトディスク（ＣＤ）ドライブ８１５とを含み得る。コンピュータデバイス７１０はまた、ＵＳＢまたはＦｉｒｅＷｉｒｅ（登録商標）コネクタソケットなど、データ接続を確立するための、または外部メモリデバイスを受け入れるための、プロセッサ８１１に結合されたいくつかのコネクタポート、あるいはプロセッサ８１１をネットワークに結合するための他のネットワーク接続回路を含み得る。ノートブック構成では、コンピュータ筐体は、プロセッサ８１１にすべて結合された、タッチパッド８１７と、キーボード８１８と、ディスプレイ８１９とを含む。コンピューティングデバイスの他の構成は、よく知られているように、プロセッサに（たとえば、ＵＳＢ入力を介して）結合されたコンピュータマウスまたはトラックボールを含み得、これも、様々な実施形態とともに使用され得る。
【００５６】
[0064]プロセッサ７０２および８１１は、上記で説明した様々な実施形態の機能を含む、様々な機能を実行するようにソフトウェア命令（アプリケーション）によって構成され得る任意のプログラマブルマイクロプロセッサ、マイクロコンピュータ、あるいは１つまたは複数のマルチプルプロセッサチップであり得る。いくつかのデバイスでは、１つのプロセッサがワイヤレス通信機能専用にされ、１つのプロセッサが他のアプリケーションの実行専用にされるなど、マルチプルプロセッサが設けられ得る。典型的には、ソフトウェアアプリケーションは、アクセスされプロセッサ７０２および８１にロードされる前に、内部メモリ７０４、７１０、８１２および８１３に記憶され得る。プロセッサ７０２および８１は、アプリケーションソフトウェア命令を記憶するのに十分な内部メモリを含み得る。多くのデバイスでは、内部メモリは、揮発性メモリ、またはフラッシュメモリなどの不揮発性メモリ、あるいは両方の混合であり得る。本明細書では、メモリへの一般的言及は、内部メモリ、またはデバイスに接続されたリムーバブルメモリ、ならびにプロセッサ７０２および８１１自体の内部のメモリを含む、プロセッサ７０２および８１１および２９０２によってアクセス可能なメモリを指す。
【００５７】
[0065]上記の方法の説明およびプロセスフロー図は、例示的な例として与えられたものにすぎず、様々な実施形態のステップが提示された順序で実行されなければならないことを要求または暗示するものではない。当業者によって諒解されるように、上記の実施形態におけるステップの順序は任意の順序で実行され得る。「その後」、「次いで」、「次に」などの単語は、ステップの順序を限定するものではなく、これらの単語は、単に、読者に方法の説明を案内するために使用される。さらに、たとえば、冠詞「ａ」、「ａｎ」または「ｔｈｅ」を使用する単数形の請求項要素への言及は、その要素を単数形に限定するものと解釈されるべきではない。
【００５８】
[0066]本明細書では、あるＳＩＭに関連付けられたデータ送信と、異なるＳＩＭに関連付けられたデータ受信とについて説明するために「第１の」および「第２の」という用語が使用されるが、そのような識別子は便宜上のものにすぎず、様々な実施形態を特定の順序、シーケンス、ネットワークまたはキャリアのタイプに限定するものではない。
【００５９】
[0067]本明細書で開示する実施形態に関して説明した様々な例示的な論理ブロック、モジュール、回路、およびアルゴリズムステップは、電子ハードウェア、コンピュータソフトウェア、または両方の組合せとして実装され得る。ハードウェアとソフトウェアのこの互換性を明確に示すために、様々な例示的な構成要素、ブロック、モジュール、回路、およびステップについて、上記では概してそれらの機能に関して説明した。そのような機能がハードウェアとして実装されるか、またはソフトウェアとして実装されるかは、特定の適用例および全体的なシステムに課せられた設計制約に依存する。当業者は、説明した機能を特定の適用例ごとに様々な方法で実装し得るが、そのような実装の決定は、本発明の範囲からの逸脱を生じるものと解釈されるべきではない。
【００６０】
[0068]本明細書で開示する態様に関して説明した様々な例示的な論理、論理ブロック、モジュール、および回路を実装するために使用されるハードウェアは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰおよびマイクロプロセッサの組合せ、複数のマイクロプロセッサ、ＤＳＰコアと連携する１つまたは複数のマイクロプロセッサ、あるいは任意の他のそのような構成として実装され得る。代替的に、いくつかのステップまたは方法は、所与の機能に固有の回路によって実行され得る。
【００６１】
[0069]１つまたは複数の例示的な態様では、説明した機能は、ハードウェア、ソフトウェア、ファームウェア、またはそれらの任意の組合せで実装され得る。ソフトウェアで実装される場合、これらの機能は、非一時的コンピュータ可読媒体または非一時的プロセッサ可読媒体上に１つまたは複数の命令またはコードとして記憶され得る。本明細書で開示する方法またはアルゴリズムのステップは、非一時的コンピュータ可読記憶媒体または非一時的プロセッサ可読記憶媒体上に存在し得るプロセッサ実行可能ソフトウェアモジュール中で実施され得る。非一時的コンピュータ可読記憶媒体または非一時的プロセッサ可読記憶媒体は、コンピュータまたはプロセッサによってアクセスされ得る任意の記憶媒体であり得る。限定ではなく例として、そのような非一時的コンピュータ可読媒体または非一時的プロセッサ可読媒体は、所望のプログラムコードを命令またはデータ構造の形態で記憶するために使用され得、コンピュータによってアクセスされ得る、ＲＡＭ、ＲＯＭ、ＥＥＰＲＯＭ、ＦＬＡＳＨメモリ、ＣＤ−ＲＯＭまたは他の光ディスクストレージ、磁気ディスクストレージまたは他の磁気ストレージデバイス、あるいは任意の他の媒体を含み得る。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピーディスク（disk）、およびｂｌｕ−ｒａｙ（登録商標）ディスク（disc）を含み、ディスク（disk）は、通常、データを磁気的に再生し、ディスク（disc）は、データをレーザーで光学的に再生する。上記の組合せも、非一時的コンピュータ可読媒体および非一時的プロセッサ可読媒体の範囲内に含まれる。さらに、方法またはアルゴリズムの動作は、コンピュータプログラム製品に組み込まれ得る、非一時的プロセッサ可読媒体および／またはコンピュータ可読媒体上のコードおよび／または命令の１つまたは任意の組合せ、あるいはそのセットとして存在し得る。
【００６２】
[0070]開示する実施形態の上記の説明は、当業者が本発明を製作または使用できるように与えられたものである。これらの実施形態に対する様々な変更は当業者には容易に明らかであり、本明細書で定義した一般原理は、本発明の趣旨または範囲から逸脱することなく他の実施形態に適用され得る。したがって、本発明は、本明細書で示された実施形態に限定されるものではなく、以下の特許請求の範囲ならびに本明細書で開示する原理および新規の特徴に合致する最も広い範囲を与えられるべきである。
【図１】
2016507181.tif 000003
【図２】
2016507181.tif 000004
【図３】
2016507181.tif 000005
【図４Ａ】
2016507181.tif 000006
【図４Ｂ】
2016507181.tif 000007
【図５】
2016507181.tif 000008
【図６】
2016507181.tif 000009
【図７】
2016507181.tif 000010
【図８】
2016507181.tif 000011
【手続補正書】
【提出日】平成27年10月5日(2015.10.5)
【手続補正１】
【補正対象書類名】特許請求の範囲
【補正対象項目名】全文
【補正方法】変更
【補正の内容】
【特許請求の範囲】
【請求項１】
マルチ加入者識別モジュール（ＳＩＭ）ワイヤレスデバイスにおける受信機デセンスを自律的に緩和する方法であって、
第１のＳＩＭに関連付けられた第１の無線周波数（ＲＦ）リソース上のスケジュールされた送信と第２のＳＩＭに関連付けられた第２のＲＦリソース上の受信アクティビティとの間の潜在的干渉を検出することと、
前記スケジュールされた送信と前記受信アクティビティとの間の潜在的干渉のレベルを計算することと、
前記潜在的干渉の計算されたレベルに基づいて前記第２のＲＦリソースの受信回路のデセンスのレベルを予測することと、
前記予測されるデセンスレベルが所定のしきい値を超えるかどうかを決定することと、
前記予測されるデセンスレベルが前記所定のしきい値を超えると決定することに応答して、前記受信アクティビティが高優先度ダウンリンク信号を受信することを備えるかどうかを決定することと、
前記受信アクティビティが高優先度ダウンリンク信号を受信することを備えると決定することに応答して緩和アクションを選択して前記選択された緩和アクションを実行することと、
前記受信アクティビティが高優先度ダウンリンク信号を受信することを備えないと決定することに応答して
前記受信アクティビティが近くのネットワークの信号強度をモニタすることを伴うかどうかを決定することと、
前記受信アクティビティが近くのネットワークの信号強度をモニタすることを伴うと決定することに応答して、前記受信アクティビティを異なるタイムスロットまたはフレームに移動することと
を備える方法。
【請求項２】
前記第１のＲＦリソース上の前記スケジュールされた送信と前記第２のＲＦリソース上の前記受信アクティビティとの間の潜在的干渉を検出することは、前記第１のＲＦリソースからの側波帯雑音と前記第２のＲＦリソースの前記受信回路の通過帯域との重複に基づく、
請求項１に記載の方法。
【請求項３】
前記緩和アクションは、
送信電力を低減することと、
前記スケジュールされた送信中の干渉データの一部分を取り消すことと、
前記スケジュールされた送信中のすべての干渉データを取り消すことと、
前記スケジュールされた送信を遅延させることと、
前記スケジュールされた送信を処理することと
を備えるグループから選択される、請求項１に記載の方法。
【請求項４】
緩和アクションを選択することは、
前記スケジュールされた送信の特性と前記受信アクティビティの特性とを決定することと、
前記スケジュールされた送信の前記特性と前記受信アクティビティの前記特性とがテーブルルックアップパラメータとして使用されるテーブルルックアッププロセスを使用することと
を備え、前記緩和アクションは、前記スケジュールされた送信の前記特性と前記受信アクティビティの前記特性とに対応するアドレスをもつ要素として記憶される、
請求項３に記載の方法。
【請求項５】
緩和アクションを選択することは、
前記スケジュールされた送信が制御チャネル上のメッセージであるかどうかを決定することと、
前記スケジュールされた送信が制御チャネル上のメッセージでないと決定することに応答して、前記スケジュールされた送信がサービスに悪影響を及ぼすことなしに遅延され得るかどうかを決定することと、
前記スケジュールされた送信がサービスに悪影響を及ぼすことなしには遅延され得ないと決定することに応答して、前記スケジュールされた送信の電力を低減することが前記スケジュールされた送信の失敗を引き起こすことになるかどうかを決定することと、
前記スケジュールされた送信の電力を低減することが前記スケジュールされた送信の失敗を引き起こすことになると決定することに応答して、前記スケジュールされた送信の一部を取り消すことが前記受信アクティビティへの干渉を十分に低減することになるかどうかを決定することと、
前記スケジュールされた送信の一部を取り消すことが干渉を十分に低減することにならないと決定することに応答して、前記スケジュールされた送信のすべてを取り消すことと
を備える、請求項１に記載の方法。
【請求項６】
前記スケジュールされた送信が制御チャネル上のメッセージであると決定することに応答して、前記スケジュールされた送信上の制御データが以前に遅延されたことがあるかどうかを決定することと、
前記制御チャネル上の前記メッセージが以前に遅延されたことがないと決定することに応答して、前記スケジュールされた送信を遅延させるためのフレームの数を決定し、遅延させるためのフレームの前記数を保存することと、
フレームの前記決定された数だけ前記スケジュールされた送信を遅延させることと
をさらに備える、請求項５に記載の方法。
【請求項７】
前記制御チャネル上の前記メッセージが以前に遅延されたことがあると決定することに応答して、次の利用可能な機会において前記スケジュールされた送信を送ることをさらに備える、
請求項６に記載の方法。
【請求項８】
前記制御チャネルは、
高速付随制御チャネル（ＦＡＣＣＨ）と、
低速付随制御チャネル（ＳＡＣＣＨ）と、
スタンドアロン専用制御チャネル（ＳＤＣＣＨ）と、
パケット付随制御チャネル（ＰＡＣＣＨ）と、
ランダムアクセス制御チャネル（ＲＡＣＨ）と
を備えるグループから選択される、請求項６に記載の方法。
【請求項９】
前記スケジュールされた送信は、トラフィックチャネル（ＴＣＨ）上のデータを備え、緩和アクションを選択することは、
前記受信アクティビティがＴＣＨ上でデータを受信することを備えるかどうかを決定することと、
前記受信アクティビティがＴＣＨ上でデータを受信することを備えると決定することに応答して、前記第１のＲＦリソースと前記第２のＲＦリソースとの相対的アクティビティ状態に基づいて、前記スケジュールされた送信を処理することと前記受信アクティビティを処理することとの間で優先度を付けることと
をさらに備える、請求項５に記載の方法。
【請求項１０】
前記制御チャネルは、ＳＡＣＣＨであり、緩和アクションを選択することは、
前記受信アクティビティがＳＡＣＣＨ上でメッセージを受信することを備えるかどうかを決定することと、
前記受信アクティビティがＳＡＣＣＨ上でメッセージを受信することを備えることに応答して、前記第１のＲＦリソースと前記第２のＲＦリソースとの相対的アクティビティ状態に基づいて、前記スケジュールされた送信を処理することと前記受信アクティビティを処理することとの間で優先度を付けることと
をさらに備える、請求項８に記載の方法。
【請求項１１】
前記スケジュールされた送信がサービスに悪影響を及ぼすことなしに遅延され得ると決定することに応答して、前記スケジュールされた送信を遅延させることをさらに備える、
請求項５に記載の方法。
【請求項１２】
電力を低減することが前記スケジュールされた送信の失敗を引き起こすことにならないと決定することに応答して、前記スケジュールされた送信の電力を低減することをさらに備える、
請求項５に記載の方法。
【請求項１３】
前記スケジュールされた送信の一部を取り消すことが潜在的干渉を十分に低減することになると決定することに応答して、前記スケジュールされた送信の一部を取り消すことをさらに備え、
前記スケジュールされた送信のすべてではないがいくつかの潜在的干渉データは、前記アップリンク上で送られる、
請求項５に記載の方法。
【請求項１４】
前記スケジュールされた送信の前記決定された特性は、前記スケジュールされた送信は、前記アップリンク上でその上で送られるべきであるチャネルを備える、
請求項４に記載の方法。
【請求項１５】
前記受信アクティビティの前記決定された特性は、データが前記ダウンリンク上でその上で受信され得るチャネルを備える、
請求項４に記載の方法。
【請求項１６】
第１の加入者識別モジュール（ＳＩＭ）に関連付けられた第１の無線周波数（ＲＦ）リソースと、
第２のＳＩＭに関連付けられた第２のＲＦリソースと、
前記ディスプレイ、前記メモリ、前記第１のＲＦリソース、および前記第２のＲＦリソースに結合されたプロセッサと
を備え、前記プロセッサは、
前記第１のＲＦリソース上のスケジュールされた送信と前記第２のＲＦリソース上の受信アクティビティとの間の潜在的干渉を検出することと、
前記スケジュールされた送信と前記受信アクティビティとの間の潜在的干渉のレベルを計算することと、
潜在的干渉の前記計算されたレベルに基づいて前記第２のＲＦリソースの受信回路のデセンスのレベルを予測することと、
前記予測されるデセンスレベルが所定のしきい値を超えるかどうかを決定することと、
前記予測されるデセンスレベルが前記所定のしきい値を超えると決定することに応答して、前記受信アクティビティが高優先度ダウンリンク信号を受信することを備えるかどうかを決定することと、
前記受信アクティビティが高優先度ダウンリンク信号を受信することを備えると決定することに応答して緩和アクションを選択して前記選択された緩和アクションを実行することと、
前記受信アクティビティが高優先度ダウンリンク信号を受信することを備えないと決定することに応答して
前記受信アクティビティが近くのネットワークの信号強度をモニタすることを伴うかどうかを決定することと、
前記受信アクティビティが近くのネットワークの信号強度をモニタすることを伴うと決定することに応答して、前記受信アクティビティを異なるタイムスロットまたはフレームに移動することと
を備える動作を実行するようにプロセッサ実行可能命令で構成された、ワイヤレスデバイス。
【請求項１７】
前記プロセッサは、
前記第１のＲＦリソース上の前記スケジュールされた送信と前記第２のＲＦリソース上の前記受信アクティビティとの間の潜在的干渉を検出することは、前記第１のＲＦリソースからの側波帯雑音と前記第２のＲＦリソースの前記受信回路の通過帯域との重複に基づくような動作を実行するようにプロセッサ実行可能命令で構成された、
請求項１６に記載のマルチＳＩＭワイヤレスデバイス。
【請求項１８】
前記プロセッサは、前記緩和アクションが、
送信電力を低減することと、
前記スケジュールされた送信中の干渉データの一部分を取り消すことと、
前記スケジュールされた送信中のすべての干渉データを取り消すことと、
前記スケジュールされた送信を遅延させることと、
前記スケジュールされた送信を処理することと
を備えるグループから選択されるような動作を実行するようにプロセッサ実行可能命令で構成された、請求項１６に記載のワイヤレスデバイス。
【請求項１９】
前記プロセッサは、緩和アクションを選択することが、
前記スケジュールされた送信の特性と前記受信アクティビティの特性とを決定することと、
前記スケジュールされた送信の前記特性と前記受信アクティビティの前記特性とがテーブルルックアップパラメータとして使用されるテーブルルックアッププロセスを使用することと
をさらに備えるような動作を実行するようにプロセッサ実行可能命令で構成され、
前記緩和アクションは、前記スケジュールされた送信の前記特性と前記受信アクティビティの前記特性とに対応するアドレスをもつ要素として記憶される、
請求項１８に記載のワイヤレスデバイス。
【請求項２０】
前記プロセッサは、緩和アクションを選択することが、
前記スケジュールされた送信が制御チャネル上のメッセージであるかどうかを決定することと、
前記スケジュールされた送信が制御チャネル上のメッセージでないと決定することに応答して、前記スケジュールされた送信がサービスに悪影響を及ぼすことなしに遅延され得るかどうかを決定することと、
前記スケジュールされた送信がサービスに悪影響を及ぼすことなしには遅延され得ないと決定することに応答して、前記スケジュールされた送信の電力を低減することが前記スケジュールされた送信の失敗を引き起こすことになるかどうかを決定することと、
前記スケジュールされた送信の電力を低減することが前記スケジュールされた送信の失敗を引き起こすことになると決定することに応答して、前記スケジュールされた送信の一部を取り消すことが前記受信アクティビティへの干渉を十分に低減することになるかどうかを決定することと、
前記スケジュールされた送信の一部を取り消すことが干渉を十分に低減することにならないと決定することに応答して、前記スケジュールされた送信のすべてを取り消すことと
を備えるような動作を実行するようにプロセッサ実行可能命令で構成される、請求項１６に記載のワイヤレスデバイス。
【請求項２１】
前記プロセッサは、
前記スケジュールされた送信が制御チャネル上のメッセージであると決定することに応答して、前記スケジュールされた送信上の制御データが以前に遅延されたことがあるかどうかを決定することと、
前記制御チャネル上の前記メッセージが以前に遅延されたことがないと決定することに応答して、前記スケジュールされた送信を遅延させるためのフレームの数を決定し、遅延させるためのフレームの前記数を保存することと、
フレームの前記決定された数だけ前記スケジュールされた送信を遅延させることと
をさらに備える動作を実行するようにプロセッサ実行可能命令で構成された、請求項２０に記載のワイヤレスデバイス。
【請求項２２】
前記プロセッサは、
前記制御チャネル上の前記メッセージが以前に遅延されたことがあると決定することに応答して、次の利用可能な機会において前記スケジュールされた送信を送ることをさらに備える、
動作を実行するようにプロセッサ実行可能命令で構成された、請求項２１に記載のワイヤレスデバイス。
【請求項２３】
前記プロセッサは、前記制御チャネルが、
高速付随制御チャネル（ＦＡＣＣＨ）と、
低速付随制御チャネル（ＳＡＣＣＨ）と、
スタンドアロン専用制御チャネル（ＳＤＣＣＨ）と、
パケット付随制御チャネル（ＰＡＣＣＨ）と、
ランダムアクセス制御チャネル（ＲＡＣＨ）と
を備えるグループから選択されるような動作を実行するようにプロセッサ実行可能命令で構成された、請求項２１に記載のワイヤレスデバイス。
【請求項２４】
前記プロセッサは、
前記スケジュールされた送信がトラフィックチャネル（ＴＣＨ）上のデータを備え、
緩和アクションを選択することは、
前記受信アクティビティがＴＣＨ上でデータを受信することを備えるかどうかを決定することと、
前記受信アクティビティがＴＣＨ上でデータを受信することを備えると決定することに応答して、前記第１のＲＦリソースと前記第２のＲＦリソースとの相対的アクティビティ状態に基づいて、前記スケジュールされた送信を処理することと前記受信アクティビティを処理することとの間で優先度を付けることと
を備えるような動作を実行するようにプロセッサ実行可能命令で構成された、請求項２０に記載のワイヤレスデバイス。
【請求項２５】
前記制御チャネルがＳＡＣＣＨであり、前記プロセッサは、緩和アクションを選択することが、
前記受信アクティビティがＳＡＣＣＨ上でメッセージを受信することを備えるかどうかを決定することと、
前記受信アクティビティがＳＡＣＣＨ上でメッセージを受信することを備えることに応答して、前記第１のＲＦリソースと前記第２のＲＦリソースとの相対的アクティビティ状態に基づいて、前記スケジュールされた送信を処理することと前記受信アクティビティを処理することとの間で優先度を付けることと
をさらに備えるような動作を実行するようにプロセッサ実行可能命令で構成される、請求項２３に記載のワイヤレスデバイス。
【請求項２６】
前記プロセッサは、
前記スケジュールされた送信がサービスに悪影響を及ぼすことなしに遅延され得ると決定することに応答して、前記スケジュールされた送信を遅延させることをさらに備える動作を実行するようにプロセッサ実行可能命令で構成された、
請求項２０に記載のワイヤレスデバイス。
【請求項２７】
前記プロセッサは、
電力を低減することが前記スケジュールされた送信の失敗を引き起こすことにならないと決定することに応答して、前記スケジュールされた送信の電力を低減することをさらに備える動作を実行するようにプロセッサ実行可能命令で構成された、
請求項２０に記載のワイヤレスデバイス。
【請求項２８】
前記プロセッサは、
前記スケジュールされた送信の一部を取り消すことが潜在的干渉を十分に低減することになると決定することに応答して、前記スケジュールされた送信の一部を取り消すことをさらに備える動作を実行するようにプロセッサ実行可能命令で構成され、
前記スケジュールされた送信のすべてではないがいくつかの潜在的干渉データは、前記アップリンク上で送られる、
請求項２０に記載のワイヤレスデバイス。
【請求項２９】
前記プロセッサは、前記スケジュールされた送信の前記決定された特性が、前記スケジュールされた送信が前記アップリンク上でその上で送られるべきであるチャネルを備えるような動作を実行するようにプロセッサ実行可能命令で構成された、
請求項１９に記載のワイヤレスデバイス。
【請求項３０】
前記プロセッサは、前記受信アクティビティの前記決定された特性が、データが前記ダウンリンク上でその上で受信され得るチャネルを備えるような動作を実行するようにプロセッサ実行可能命令で構成された、
請求項１９に記載のワイヤレスデバイス。
【請求項３１】
ワイヤレスデバイスであって、
第１の加入者識別モジュール（ＳＩＭ）に関連付けられた第１の無線周波数（ＲＦ）リソースと、
第２のＳＩＭに関連付けられた第２のＲＦリソースと、
前記第１のＳＩＭに関連付けられた前記第１のＲＦリソース上のスケジュールされた送信と前記第２のＳＩＭに関連付けられた前記第２のＲＦリソース上の受信アクティビティとの間の潜在的干渉を検出するための手段と、
前記スケジュールされた送信と前記受信アクティビティとの間の潜在的干渉のレベルを計算するための手段と、
潜在的干渉の前記計算されたレベルに基づいて前記第２のＲＦリソースの受信回路のデセンスのレベルを予測するための手段と、
前記予測されるデセンスレベルが所定のしきい値を超えるかどうかを決定するための手段と、
前記予測されるデセンスレベルが前記所定のしきい値を超えると決定することに応答して、前記受信アクティビティが高優先度ダウンリンク信号を受信することを備えるかどうかを決定するための手段と、
前記受信アクティビティが高優先度ダウンリンク信号を受信することを備えると決定することに応答して緩和アクションを選択して前記選択された緩和アクションを実行するための手段と、
前記受信アクティビティが高優先度ダウンリンク信号を受信することを備えないと決定することに応答して
前記受信アクティビティが近くのネットワークの信号強度をモニタすること、および受信アクティビティを伴うかどうかを決定するための手段と、
前記受信アクティビティが近くのネットワークの信号強度をモニタすることを伴うと決定することに応答して、前記受信アクティビティを異なるタイムスロットまたはフレームに移動するための手段と
を備える、ワイヤレスデバイス。
【請求項３２】
前記第１のＲＦリソース上の前記スケジュールされた送信と前記第２のＲＦリソース上の前記受信アクティビティとの間の潜在的干渉を検出するための手段は、前記第１のＲＦリソースからの側波帯雑音と前記第２のＲＦリソースの前記受信回路の通過帯域との重複に基づく、
請求項３１に記載のワイヤレスデバイス。
【請求項３３】
前記緩和アクションは、
送信電力を低減することと、
前記スケジュールされた送信中の干渉データの一部分を取り消すことと、
前記スケジュールされた送信中のすべての干渉データを取り消すことと、
前記スケジュールされた送信を遅延させることと、
前記スケジュールされた送信を処理することと
を備えるグループから選択される、請求項３１に記載のワイヤレスデバイス。
【請求項３４】
緩和アクションを選択するための手段は、
前記スケジュールされた送信の特性と前記受信アクティビティの特性とを決定するための手段と、
前記スケジュールされた送信の前記特性と前記受信アクティビティの前記特性とがテーブルルックアップパラメータとして使用されるテーブルルックアッププロセスを使用するための手段と
を備え、前記緩和アクションは、前記スケジュールされた送信の前記特性と前記受信アクティビティの前記特性とに対応するアドレスをもつ要素として記憶される、
請求項３３に記載のワイヤレスデバイス。
【請求項３５】
緩和アクションを選択するための手段は、
前記スケジュールされた送信が制御チャネル上のメッセージであるかどうかを決定するための手段と、
前記スケジュールされた送信が制御チャネル上のメッセージでないと決定することに応答して、前記スケジュールされた送信がサービスに悪影響を及ぼすことなしに遅延され得るかどうかを決定するための手段と、
前記スケジュールされた送信がサービスに悪影響を及ぼすことなしには遅延され得ないと決定することに応答して、前記スケジュールされた送信の電力を低減することが前記スケジュールされた送信の失敗を引き起こすことになるかどうかを決定するための手段と、
前記スケジュールされた送信の電力を低減することが前記スケジュールされた送信の失敗を引き起こすことになると決定することに応答して、前記スケジュールされた送信の一部を取り消すことが前記受信アクティビティへの干渉を十分に低減することになるかどうかを決定するための手段と、
前記スケジュールされた送信の一部を取り消すことが干渉を十分に低減することにならないと決定することに応答して、前記スケジュールされた送信のすべてを取り消すための手段と
を備える、請求項３１に記載のワイヤレスデバイス。
【請求項３６】
前記スケジュールされた送信が制御チャネル上のメッセージであると決定することに応答して、前記スケジュールされた送信上の制御データが以前に遅延されたことがあるかどうかを決定するための手段と、
前記制御チャネル上の前記メッセージが以前に遅延されたことがないと決定することに応答して、前記スケジュールされた送信を遅延させるためのフレームの数を決定し、遅延させるためのフレームの前記数を保存するための手段と、
フレームの前記決定された数だけ前記スケジュールされた送信を遅延させるための手段と
をさらに備える、請求項３５に記載のデバイス。
【請求項３７】
前記制御チャネル上の前記メッセージが以前に遅延されたことがあると決定することに応答して、次の利用可能な機会において前記スケジュールされた送信を送るための手段をさらに備える、
請求項３６に記載のワイヤレスデバイス。
【請求項３８】
前記制御チャネルは、
高速付随制御チャネル（ＦＡＣＣＨ）と、
低速付随制御チャネル（ＳＡＣＣＨ）と、
スタンドアロン専用制御チャネル（ＳＤＣＣＨ）と、
パケット付随制御チャネル（ＰＡＣＣＨ）と、
ランダムアクセス制御チャネル（ＲＡＣＨ）と
を備えるグループから選択される、請求項３６に記載のワイヤレスデバイス。
【請求項３９】
前記スケジュールされた送信がトラフィックチャネル（ＴＣＨ）上のデータを備え、緩和アクションを選択するための手段は、
前記受信アクティビティがＴＣＨ上でデータを受信することを備えるかどうかを決定するための手段と、
前記受信アクティビティがＴＣＨ上でデータを受信することを備えると決定することに応答して、前記第１のＲＦリソースと前記第２のＲＦリソースとの相対的アクティビティ状態に基づいて、前記スケジュールされた送信を処理することと前記受信アクティビティを処理することとの間で優先度を付けるための手段と
をさらに備える、請求項３５に記載のワイヤレスデバイス。
【請求項４０】
前記制御チャネルは、ＳＡＣＣＨであり、緩和アクションを選択するための手段は、
前記受信アクティビティがＳＡＣＣＨ上でメッセージを受信することを備えるかどうかを決定するための手段と、
前記受信アクティビティがＳＡＣＣＨ上でメッセージを受信することを備えることに応答して、前記第１のＲＦリソースと前記第２のＲＦリソースとの相対的アクティビティ状態に基づいて、前記スケジュールされた送信を処理することと前記受信アクティビティを処理することとの間で優先度を付けるための手段と
をさらに備える、請求項３８に記載のワイヤレスデバイス。
【請求項４１】
前記スケジュールされた送信がサービスに悪影響を及ぼすことなしに遅延され得ると決定することに応答して、前記スケジュールされた送信を遅延させるための手段をさらに備える、
請求項３５に記載のワイヤレスデバイス。
【請求項４２】
電力を低減することが前記スケジュールされた送信の失敗を引き起こすことにならないと決定することに応答して、前記スケジュールされた送信の電力を低減するための手段をさらに備える、
請求項３５に記載のワイヤレスデバイス。
【請求項４３】
前記スケジュールされた送信の一部を取り消すことが潜在的干渉を十分に低減することになると決定することに応答して、前記スケジュールされた送信の一部を取り消すための手段をさらに備え、
前記スケジュールされた送信のすべてではないがいくつかの潜在的干渉データは、アップリンク上で送られる、
請求項３５に記載のワイヤレスデバイス。
【請求項４４】
前記スケジュールされた送信の前記決定された特性は、前記スケジュールされた送信が前記アップリンク上でその上で送られるべきであるチャネルを備える、
請求項３４に記載のワイヤレスデバイス。
【請求項４５】
前記受信アクティビティの前記決定された特性は、データが前記ダウンリンク上でその上で受信され得るチャネルを備える、
請求項３４に記載のワイヤレスデバイス。
【請求項４６】
第１の加入者識別モジュール（ＳＩＭ）に関連付けられた第１の無線周波数（ＲＦ）リソース上のスケジュールされた送信と第２のＳＩＭに関連付けられた第２のＲＦリソース上の受信アクティビティとの間の潜在的干渉を検出することと、
前記スケジュールされた送信と前記受信アクティビティとの間の潜在的干渉のレベルを計算することと、
潜在的干渉の前記計算されたレベルに基づいて前記第２のＲＦリソースの受信回路のデセンスのレベルを予測することと、
前記予測されるデセンスレベルが所定のしきい値を超えるかどうかを決定することと、
前記予測されるデセンスレベルが前記所定のしきい値を超えると決定することに応答して、前記受信アクティビティが高優先度ダウンリンク信号を受信することを備えるかどうかを決定することと、
前記受信アクティビティが高優先度ダウンリンク信号を受信することを備えると決定することに応答して緩和アクションを選択して前記選択された緩和アクションを実行することと、
前記受信アクティビティが高優先度ダウンリンク信号を受信することを備えないと決定することに応答して
前記受信アクティビティが近くのネットワークの信号強度をモニタすることを伴うかどうかを決定することと、
前記受信アクティビティが近くのネットワークの信号強度をモニタすることを伴うと決定することに応答して、前記受信アクティビティを異なるタイムスロットまたはフレームに移動することとと
を備える動作を前記ワイヤレスデバイスプロセッサに実行させるように構成されたプロセッサ実行可能命令を記憶した非一時的プロセッサ可読記憶媒体。
【請求項４７】
前記記憶されたプロセッサ実行可能命令は、前記第１のＲＦリソース上の前記スケジュールされた送信と前記第２のＲＦリソース上の前記受信アクティビティとの間の潜在的干渉を検出することが、前記第１のＲＦリソースからの側波帯雑音と前記第２のＲＦリソースの前記受信回路の通過帯域との重複に基づくような動作を前記マルチＳＩＭワイヤレスデバイスプロセッサに実行させるように構成された、
請求項４６に記載の非一時的プロセッサ可読記憶媒体。
【請求項４８】
前記記憶されたプロセッサ実行可能命令は、前記緩和アクションが、
送信電力を低減することと、
前記スケジュールされた送信中の干渉データの一部分を取り消すことと、
前記スケジュールされた送信中のすべての干渉データを取り消すことと、
前記スケジュールされた送信を遅延させることと、
前記スケジュールされた送信を処理することと
を備えるグループから選択されるような動作を前記マルチＳＩＭワイヤレスデバイスプロセッサに実行させるように構成された、
請求項４６に記載の非一時的プロセッサ可読記憶媒体。
【請求項４９】
前記記憶されたプロセッサ実行可能命令は、緩和アクションを選択することが、
前記スケジュールされた送信の特性と前記受信アクティビティの特性とを決定することと、
前記スケジュールされた送信の前記特性と前記受信アクティビティの前記特性とがテーブルルックアップパラメータとして使用されるテーブルルックアッププロセスを使用することと
を備えるような動作を前記マルチＳＩＭワイヤレスデバイスプロセッサに実行させるように構成され、
前記緩和アクションは、前記スケジュールされた送信の前記特性と前記受信アクティビティの前記特性とに対応するアドレスをもつ要素として記憶される、
請求項４８に記載の非一時的プロセッサ可読記憶媒体。
【請求項５０】
前記記憶されたプロセッサ実行可能命令は、緩和アクションを選択することが、
前記スケジュールされた送信が制御チャネル上のメッセージであるかどうかを決定することと、
前記スケジュールされた送信が制御チャネル上のメッセージでないと決定することに応答して、前記スケジュールされた送信がサービスに悪影響を及ぼすことなしに遅延され得るかどうかを決定することと、
前記スケジュールされた送信がサービスに悪影響を及ぼすことなしには遅延され得ないと決定することに応答して、前記スケジュールされた送信の電力を低減することが前記スケジュールされた送信の失敗を引き起こすことになるかどうかを決定することと、
前記スケジュールされた送信の電力を低減することが前記スケジュールされた送信の失敗を引き起こすことになると決定することに応答して、前記スケジュールされた送信の一部を取り消すことが前記受信アクティビティへの干渉を十分に低減することになるかどうかを決定することと、
前記スケジュールされた送信の一部を取り消すことが干渉を十分に低減することにならないと決定することに応答して、前記スケジュールされた送信のすべてを取り消すことと
を備えるような動作を前記マルチＳＩＭワイヤレスデバイスプロセッサに実行させるように構成された、請求項４６に記載の非一時的プロセッサ可読記憶媒体。
【請求項５１】
前記記憶されたプロセッサ実行可能命令は、
前記スケジュールされた送信が制御チャネル上のメッセージであると決定することに応答して、前記スケジュールされた送信上の制御データが以前に遅延されたことがあるかどうかを決定することと、
前記制御チャネル上の前記メッセージが以前に遅延されたことがないと決定することに応答して、前記スケジュールされた送信を遅延させるためのフレームの数を決定し、遅延させるためのフレームの前記数を保存することと、
フレームの前記決定された数だけ前記スケジュールされた送信を遅延させることと
をさらに備える動作を前記マルチＳＩＭワイヤレスデバイスプロセッサに実行させるように構成された、請求項５０に記載の非一時的プロセッサ可読記憶媒体。
【請求項５２】
前記記憶されたプロセッサ実行可能命令は、
前記制御チャネル上の前記メッセージが以前に遅延されたことがあると決定することに応答して、次の利用可能な機会において前記スケジュールされた送信を送ることをさらに備える動作を前記マルチＳＩＭワイヤレスデバイスプロセッサに実行させるように構成された、
請求項５１に記載の非一時的プロセッサ可読記憶媒体。
【請求項５３】
前記記憶されたプロセッサ実行可能命令は、前記制御チャネルは、
高速付随制御チャネル（ＦＡＣＣＨ）と、
低速付随制御チャネル（ＳＡＣＣＨ）と、
スタンドアロン専用制御チャネル（ＳＤＣＣＨ）と、
パケット付随制御チャネル（ＰＡＣＣＨ）と、
ランダムアクセス制御チャネル（ＲＡＣＨ）と
を備えるグループから選択されるような動作を前記マルチＳＩＭワイヤレスデバイスプロセッサに実行させるように構成された、請求項５１に記載の非一時的プロセッサ可読記憶媒体。
【請求項５４】
前記スケジュールされた送信がトラフィックチャネル（ＴＣＨ）上のデータを備え、前記記憶されたプロセッサ実行可能命令は、緩和アクションを選択することが、
前記受信アクティビティがＴＣＨ上でデータを受信することを備えるかどうかを決定することと、
前記受信アクティビティがＴＣＨ上でデータを受信することを備えると決定することに応答して、前記第１のＲＦリソースと前記第２のＲＦリソースとの相対的アクティビティ状態に基づいて、前記スケジュールされた送信を処理することと前記受信アクティビティを処理することとの間で優先度を付けることと
をさらに備えるような動作を前記マルチＳＩＭワイヤレスデバイスプロセッサに実行させるように構成された、請求項５０に記載の非一時的プロセッサ可読記憶媒体。
【請求項５５】
前記制御チャネルは、ＳＡＣＣＨであり、前記記憶されたプロセッサ実行可能命令は、緩和アクションを選択することが、
前記受信アクティビティがＳＡＣＣＨ上でメッセージを受信することを備えるかどうかを決定することと、
前記受信アクティビティがＳＡＣＣＨ上でメッセージを受信することを備えることに応答して、前記第１のＲＦリソースと前記第２のＲＦリソースとの相対的アクティビティ状態に基づいて、前記スケジュールされた送信を処理することと前記受信アクティビティを処理することとの間で優先度を付けることと
をさらに備えるような動作を前記マルチＳＩＭワイヤレスデバイスプロセッサに実行させるように構成された、請求項５３に記載の非一時的プロセッサ可読記憶媒体。
【請求項５６】
前記記憶されたプロセッサ実行可能命令は、
前記スケジュールされた送信がサービスに悪影響を及ぼすことなしに遅延され得ると決定することに応答して、前記スケジュールされた送信を遅延させること
をさらに備える動作を前記マルチＳＩＭワイヤレスデバイスプロセッサに実行させるように構成された、請求項５０に記載の非一時的プロセッサ可読記憶媒体。
【請求項５７】
前記記憶されたプロセッサ実行可能命令は、
電力を低減することが前記スケジュールされた送信の失敗を引き起こすことにならないと決定することに応答して、前記スケジュールされた送信の電力を低減することをさらに備える動作を前記マルチＳＩＭワイヤレスデバイスプロセッサに実行させるように構成された、
請求項５０に記載の非一時的プロセッサ可読記憶媒体。
【請求項５８】
前記記憶されたプロセッサ実行可能命令は、
前記スケジュールされた送信の一部を取り消すことが潜在的干渉を十分に低減することになると決定することに応答して、前記スケジュールされた送信の一部を取り消すことをさらに備える動作を前記マルチＳＩＭワイヤレスデバイスプロセッサに実行させるように構成され、
前記スケジュールされた送信のすべてではないがいくつかの潜在的干渉データがアップリンク上で送られる、
請求項５０に記載の非一時的プロセッサ可読記憶媒体。
【請求項５９】
前記記憶されたプロセッサ実行可能命令は、前記スケジュールされた送信の前記決定された特性が、前記スケジュールされた送信が前記アップリンク上でその上で送られるべきであるチャネルを備えるような動作を前記マルチＳＩＭワイヤレスデバイスプロセッサに実行させるように構成された、
請求項４９に記載の非一時的プロセッサ可読記憶媒体。
【請求項６０】
前記記憶されたプロセッサ実行可能命令は、前記受信アクティビティの前記決定された特性が、データが前記ダウンリンク上でその上で受信され得るチャネルを備えるような動作を前記マルチＳＩＭワイヤレスデバイスプロセッサに実行させるように構成された、
請求項４９に記載の非一時的プロセッサ可読記憶媒体。
【請求項６１】
高優先度ダウンリンク信号を受信することを備える前記受信アクティビティかどうかを決定することは、
前記ダウンリンクおよびアップリンク信号の間の相対的な優先度を識別することと、
前記アップリンク上で送られるべきデータの取り消しが、前記スケジュールされた送信に有意な影響を有するかどうかを決定することと
のうちの少なくとも１つを備える、請求項１に記載の方法。
【請求項６２】
高優先度ダウンリンク信号を受信することは、
前記スケジュールされた送信がランダムアクセス制御チャネル（ＲＡＣＨ）、トラフィックチャネル（ＴＣＨ）、高速付随制御チャネル（ＦＡＣＣＨ）、パケットデータチャネル（ＰＤＣＨ）、およびパケット付随制御チャネル（ＰＡＣＣＨ）のうちの１つである場合同期チャネル（ＳＣＨ）、ページングチャネル（ＰＣＨ）、ブロードキャスト制御チャネル（ＢＣＣＨ）、および周波数補正チャネル（ＦＣＣＨ）のうちの１つで情報を受信することと、
前記スケジュールされた送信がＲＡＣＨ、ＴＣＨ、ＦＡＣＣＨ、およびＰＤＣＨのうちの１つである場合、低速付随制御チャネル（ＳＡＣＣＨ）およびスタンドアロン専用制御チャネル（ＳＤＣＣＨ）のうちの１つで情報を受信することと、
を備える、請求項１に記載の方法。
【請求項６３】
高優先度ダウンリンク信号を受信することを備えない受信アクティビティは、
前記スケジュールされた送信がランダムアクセス制御チャネル（ＲＡＣＨ）、トラフィックチャネル（ＴＣＨ）、高速付随制御チャネル（ＦＡＣＣＨ）、低速付随制御チャネル（ＳＡＣＣＨ）、スタンドアロン専用制御チャネル（ＳＤＣＣＨ）、およびパケットデータチャネル（ＰＤＣＨ）のうちの１つである場合、パケットデータチャネル（ＰＤＣＨ）およびパケット付随制御チャネル（ＰＡＣＣＨ）のうちの１つで情報を受信することと、
前記スケジュールされた送信がＲＡＣＨ、ＴＣＨ、ＦＡＣＣＨ、ＳＡＣＣＨ、ＳＤＣＣＨ、およびＰＤＣＨのうちの１つである場合、Ｔ３１９２タイマーのためのメッセージを受信することと、
前記スケジュールされた送信がＲＡＣＨ、ＳＡＣＣＨ、ＳＤＣＣＨ、およびＦＡＣＣＨのうちの１つである場合、前記ＴＣＨおよびＦＡＣＣＨのうちの１つで情報を受信することと、
を備える、請求項１に記載の方法。
【請求項６４】
ワイヤレスデバイスにおける受信機デセンスを自律的に緩和する方法であって、
第１の加入者識別モジュール（ＳＩＭ）に関連付けられた第１の無線周波数（ＲＦ）リソース上のスケジュールされた送信と第２のＳＩＭに関連付けられた第２のＲＦリソース上の受信アクティビティとの間の潜在的干渉を検出することと、
前記スケジュールされた送信と前記受信アクティビティとの間の潜在的干渉のレベルを計算することと、
前記潜在的干渉の計算されたレベルに基づいて前記第２のＲＦリソースの受信回路のデセンスのレベルを予測することと、
前記予測されるデセンスレベルが所定のしきい値を超えるかどうかを決定することと、
前記予測されるデセンスレベルが前記所定のしきい値を超えると決定することに応答して、前記受信アクティビティが高優先度ダウンリンク信号を受信することを備えるかどうかを決定することと、
前記受信アクティビティが高優先度ダウンリンク信号を受信することを備えると決定することに応答して
前記スケジュールされた送信が制御チャネル上のメッセージであるかどうかを決定することと、
前記スケジュールされた送信が制御チャネル上のメッセージでないと決定することに応答して、前記スケジュールされた送信がサービスに悪影響を及ぼすことなしに遅延され得るかどうかを決定することと、
前記スケジュールされた送信がサービスに悪影響を及ぼすことなしには遅延され得ないと決定することに応答して緩和アクションを選択して前記選択された緩和アクションを実行することと、
を備える方法。
【請求項６５】
前記スケジュールされた送信がサービスに悪影響を及ぼすことなしに遅延され得ると決定することに応答して、前記スケジュールされた送信を遅延させることをさらに備える、請求項６４に記載の方法。
【請求項６６】
第１の加入者識別モジュール（ＳＩＭ）に関連付けられた第１の無線周波数（ＲＦ）リソースと、
第２のＳＩＭに関連付けられた第２のＲＦリソースと、
第１のＳＩＭに関連付けられた第１ＲＦ上のスケジュールされた送信と前記第２のＲＦリソース上の受信アクティビティとの間の潜在的干渉を検出するための手段と、
前記スケジュールされた送信と前記受信アクティビティとの間の潜在的干渉のレベルを計算するための手段と、
前記潜在的干渉の計算されたレベルに基づいて前記第２のＲＦリソースの受信回路のデセンスのレベルを予測するための手段と、
前記予測されるデセンスレベルが所定のしきい値を超えるかどうかを決定するための手段と、
前記予測されるデセンスレベルが前記所定のしきい値を超えると決定することに応答して、前記受信アクティビティが高優先度ダウンリンク信号を受信することを備えるかどうかを決定するための手段と、
前記受信アクティビティが高優先度ダウンリンク信号を受信することを備えると決定することに応答して
前記スケジュールされた送信が制御チャネル上のメッセージであるかどうかを決定するための手段と、
前記スケジュールされた送信が制御チャネル上のメッセージでないと決定することに応答して、前記スケジュールされた送信がサービスに悪影響を及ぼすことなしに遅延され得るかどうかを決定するための手段と、
前記スケジュールされた送信がサービスに悪影響を及ぼすことなしには遅延され得ないと決定することに応答して緩和アクションを選択して前記選択された緩和アクションを実行するための手段と、
を備える、ワイヤレスデバイス。
【請求項６７】
前記スケジュールされた送信がサービスに悪影響を及ぼすことなしに遅延され得ると決定することに応答して、前記スケジュールされた送信を遅延させるための手段をさらに備える、請求項６６に記載のワイヤレスデバイス。
【手続補正２】
【補正対象書類名】明細書
【補正対象項目名】全文
【補正方法】変更
【補正の内容】
【発明の詳細な説明】
【技術分野】
【０００１】
[0001]本発明は、一般にマルチＳＩＭワイヤレス通信デバイスに関し、より詳細には、複数無線デュアルＳＩＭデュアルアクティブ（ＤＳＤＡ：dual-SIM dual active）ワイヤレス通信デバイスにおける同時通信による受信機感度を下げることを防ぐことに関する。
【背景技術】
【０００２】
[0002]受信機感度を下げること（「デセンス」）、または受信機感度の劣化は、近くの送信機からの雑音干渉から生じ得る。特に、２つの無線機が互いに近接し、一方がアップリンク上で送信し、他方がダウンリンク上で受信しているとき、送信機からのフィードバックが受信機によってピッキングされ得る。その結果、受信信号が破損し、復号することが困難または不可能になり得る。さらに、受信信号を測定する電力モニタによって送信機からのフィードバックが検出され得、それにより、モバイルデバイスがセルサイトの存在を誤って決定し得る。特に、複数の加入者識別モジュール（ＳＩＭ）で構成されたデバイスなど、複数無線デバイスでは、送信機と受信機との必要とされる近接度により、受信機デセンスが問題を提示することがある。
【０００３】
[0003]概して、モバイルデバイス無線受信機は、同時送信信号からの干渉を低減するためのフィルタを有し得る。効果的にするためには、信号が増幅された後の無線回路中に送信フィルタが配置される必要があるが、それには、高電力レベルを処理することができるフィルタが必要であり、そのようなフィルタは高価である。したがって、モバイル通信システムのためのプロトコルは、（ＵＴＲＡＮ  ＴＤＤ、Ｅ−ＵＴＲＡＮ  ＴＤＤなど）同時の送信と受信を回避すること、（ＧＳＭ（登録商標）、ＵＴＲＡＮ  ＦＤＤ、Ｅ−ＵＴＲＡＮ  ＦＤＤなど）送信信号と受信信号との間の周波数領域を十分に分離することなどによって）送信機においてフィルタを使用する必要なしにデセンスを緩和するように設計される。
【０００４】
[0004]デュアルＳＩＭモバイルデバイスは、サービスオプションおよび他の特徴におけるそれらのフレキシビリティにより、増加し普及している。デュアルＳＩＭモバイルデバイスの１つのタイプ、デュアルＳＩＭデュアルアクティブ（ＤＳＤＡ）デバイスは、両方のＳＩＭに対応するネットワークとの同時アクティブ接続を可能にする。ＤＳＤＡデバイスは、典型的には、各ＳＩＭに関連付けられた別々の送信／受信チェーンを有する。したがって、以前の通信システム設計は、ＤＳＤＡモバイルデバイス中など、同じデバイス内で同時にこれらの無線アクセス技術のうちの２つ以上を動作させるデバイスにおいてデセンスを防ぐのには、不十分である。
【発明の概要】
【０００５】
[0005]様々な実施形態のシステム、方法、およびデバイスは、複数無線デバイスが、デバイス上の送信機からデバイス上の受信機への予測されるデセンス干渉を緩和するためのアクションを実行することを可能にする。一実施形態では、マルチＳＩＭワイヤレスデバイス中の受信機へのデセンスを緩和することは、第１のＳＩＭ上のスケジュールされた送信と第２のＳＩＭ上の受信アクティビティとの間の潜在的干渉を検出することを含み得、それにおいて、第１のＳＩＭは第１の無線周波数（ＲＦ）リソースに関連付けられ、第２のＳＩＭは第２のＲＦリソースに関連付けられる。干渉が検出されたとき、スケジュールされた送信と受信アクティビティとの間の潜在的干渉のレベルが計算され得、および、計算された潜在的干渉に基づく受信機へのデセンスのレベルが予測され得る。これに基づいて、予測されるデセンスレベルが所定のしきい値を超えるかどうかに関する決定が行われ得る。予測されるデセンスレベルが所定のしきい値を超える場合、緩和アクションが選択され、マルチＳＩＭデバイス上で実行され得る。
【図面の簡単な説明】
【０００６】
[0006]本明細書に組み込まれ、本明細書の一部をなす添付の図面は、本発明の例示的な実施形態を示し、上記の概略的な説明および下記の発明を実施するための形態とともに、本発明の特徴を説明するのに役立つ。
【図１】様々な実施形態とともに使用するのに好適なネットワークの通信システムブロック図。
【図２】一実施形態によるデュアルＳＩＭデュアルアクティブワイヤレス通信デバイスを示すブロック図。
【図３】一実施形態による、デュアルＳＩＭデュアルアクティブワイヤレス通信デバイス中の異なる送信／受信チェーンの構成要素間の相互作用を示すブロック図。
【図４Ａ】デュアルＳＩＭデュアルアクティブデバイスにおいて受信機へのデセンス干渉を緩和するための実施形態方法を示すプロセスフロー図。
【図４Ｂ】デュアルＳＩＭデュアルアクティブデバイスにおいて受信機へのデセンス干渉を緩和するための実施形態方法を示すプロセスフロー図。
【図５】デュアルＳＩＭデュアルアクティブデバイスにおいて受信機へのデセンス干渉を緩和するための代替実施形態方法を示すプロセスフロー図。
【図６】ワイヤレスデバイスにおいて取られ得る例示的な所定のデセンス緩和アクションを示すデータ構造図。
【図７】様々な実施形態とともに使用するのに好適な例示的なモバイルデバイスの構成要素図。
【図８】様々な実施形態とともに使用するのに好適な別の例示的なモバイルデバイスの構成要素図。
【発明を実施するための形態】
【０００７】
[0015]様々な実施形態について添付の図面を参照しながら詳細に説明する。可能な場合はいつでも、同じまたは同様の部分を指すために図面全体にわたって同じ参照番号が使用される。特定の例および実装形態になされる言及は、説明のためであり、本発明の範囲または特許請求の範囲を限定するものではない。
【０００８】
[0016]「例示的」という単語は、本明細書では「例、事例、または例示の働きをすること」を意味するために使用される。「例示的」として本明細書で説明するいかなる実装形態も、必ずしも他の実装形態よりも好ましいまたは有利であると解釈されるべきではない。
【０００９】
[0017]「ワイヤレスデバイス」、「ワイヤレス通信デバイス」、および「モバイルデバイス」という用語は、本明細書では、セルラー電話、スマートフォン、パーソナルまたはモバイルマルチメディアプレーヤ、個人情報端末（ＰＤＡ）、ラップトップコンピュータ、タブレットコンピュータ、スマートブック、パームトップコンピュータ、ワイヤレス電子メール受信機、マルチメディアインターネット対応セルラー電話、ワイヤレスゲームコントローラ、ならびに、ワイヤレス通信経路を確立し、ワイヤレス通信経路を介してデータを送信／受信するためのプログラマブルプロセッサおよびメモリおよび回路を含む同様のパーソナル電子デバイスのうちのいずれか１つまたはすべてを指すために互換的に使用される。
【００１０】
[0018]本明細書で使用する「ＳＩＭ」、「ＳＩＭカード」および「加入者識別モジュール」という用語は、国際モバイル加入者識別情報（ＩＭＳＩ）、関係するキー、および／またはネットワーク上のワイヤレスデバイスを識別および／または認証するために使用される他の情報を記憶する、リムーバブルカード中に埋め込まれる集積回路を意味するために互換的に使用される。ＳＩＭという用語はまた、ＳＩＭに記憶された情報により、ワイヤレスデバイスが特定のネットワークとの通信リンクを確立し、したがってＳＩＭと通信ネットワークが互いに相関することが可能になるので、特定のＳＩＭに関連付けられた通信ネットワークへの簡略な言及として使用されることがある。
【００１１】
[0019]本明細書で使用する「マルチＳＩＭデバイス」、「マルチＳＩＭワイヤレスデバイス」「デュアルＳＩＭデバイス」「デュアルＳＩＭデュアルアクティブデバイス」および「ＤＳＤＡデバイス」という用語は、２つ以上のＳＩＭで構成され、両方の加入のネットワークとの通信を独立して処理することが可能であるワイヤレスデバイスについて説明するために置換可能に使用される。
【００１２】
[0020]本明細書で使用する「競合」および「競合する」という用語は、送信機からの雑音干渉が受信機において信号干渉を引き起こしているかまたは引き起こし得る状況を指す。
【００１３】
[0021]セルラーネットワークなどの無線周波数通信システムでは、受信機との雑音干渉は送信機によって引き起こされ得る。送信機は、それの動作周波数においてエネルギーを放射することに加えて、それの動作周波数の上および下の周波数（すなわち、側波帯）においてエネルギーを放射する。このバンドスプレッドは、近くのまたはコロケートされた受信機の動作周波数が数メガヘルツ（ＭＨｚ）離れている場合でも、その受信機の通過帯域内に入り得る。したがって、送信機雑音は、受信機において「オンチャネル（on-channel）」信号のように見え得、受信機においてフィルタ処理されて除去されない。受信機デセンスは、この送信機雑音が所望の信号と競合することによって引き起こされ、それにより、事実上、受信機の動作性能が劣化する。これは、送信機と受信機がモバイルデバイスなどの同じデバイス中にあるときに特に問題である。
【００１４】
[0022]様々な実施形態は、同じデバイス内の別の無線機の送信機から受信機への予測されるデセンスを緩和するためのシステムおよび方法を提供する。様々な実施形態では、予測されるデセンスは、送信機と受信機が、隣接または重複する周波数帯域上で動作していることの結果であり得る。様々な実施形態は、ワイヤレスデバイスが受信機へのデセンスを緩和するためにアクションを自律的に取ることを可能にする。本実施形態方法は、異なるそれぞれのＳＩＭに関連付けられた異なる送信／受信チェーン上の信号間の干渉を緩和するための方法を提供する。特に、ワイヤレスデバイスは、受信機デセンスを緩和するために、ネットワーク関与なしに、独立したアクションを取り得る。すなわち、ネットワーク側のアクション（たとえば、信号を異なる周波数またはタイムスロットに移動すること）を必要とするのではなく、本実施形態方法は、干渉状況が認識または予測されるとすぐにモバイルデバイスにおいて問題の解決を可能にする。さらに、本実施形態方法では、ワイヤレスデバイスは、干渉する物理チャネル上にマッピングされた論理チャネルの特性に基づいて、送信メッセージと受信メッセージとの間の予測される干渉を補正し得る。
【００１５】
[0023]図１に、様々な実施形態とともに使用するのに好適なワイヤレスネットワークシステム１００を示す。ワイヤレス通信デバイス１０２、１０３、および１０４とワイヤレス送信機／受信機１０６が一緒にワイヤレスデータネットワーク１０８を構成する。ワイヤレスデータネットワーク１０８を使用して、ワイヤレスデバイス１０２、１０３、および１０４とワイヤレスセルタワーまたは基地局１０６との間でデータがワイヤレス送信され得る。ワイヤレスデバイス１０２、１０３、および１０４とワイヤレスセルタワーまたは基地局１０６との間の送信は、Ｗｉ−Ｆｉ（登録商標）、ＣＤＭＡ、ＴＤＭＡ、ＧＳＭ、ＰＣＳ、Ｇ−３、Ｇ−４、ＬＴＥ、または任意の他のタイプの接続を含む、任意のセルラーネットワークにより得る。ワイヤレスネットワーク１０８は、インターネット１１２に接続するルータ１１０と通信中であり得る。このようにして、データが、当技術分野でよく知られている方法によってワイヤレスデバイス１０２、１０３、および１０４から／にワイヤレスネットワーク１０８およびルータ１１０を介してインターネット１１２上でサーバ１１４に／から送信され得る。様々な実施形態は特にワイヤレスネットワークに有用であるが、本実施形態は、ワイヤレスネットワークに限定されず、本方法への変更なしにワイヤードネットワーク上でも実装され得る。
【００１６】
[0024]ワイヤレスデバイス１０２の一部または全部は、マルチモード能力を用いて構成され得、異なるワイヤレスリンク／無線アクセス技術（ＲＡＴ）を介して異なるワイヤレスネットワークと通信するために複数のトランシーバを含み得る。たとえば、ワイヤレスデバイス１０２は、デュアルＳＩＭワイヤレスデバイスなどにおいて、異なるサブスクリプション上で複数のワイヤレスデータネットワークを介して通信するように構成され得る。特に、ワイヤレスデバイス１０２は、デュアルＳＩＭデバイスが、概して独立した送信／受信チェーンによって、２つの独立した通信セッションに同時に参加することを可能にするデュアルＳＩＭデュアルアクティブ（ＤＳＤＡ）能力を用いて構成され得る。
【００１７】
[0025]明快のために、本明細書で説明する技法および実施形態は、複数のＧＳＭサブスクリプションで構成されたワイヤレスデバイスに関係するが、それらは他の無線アクセスネットワーク（たとえば、ＵＭＴＳ、ＷＣＤＭＡ（登録商標）、ＬＴＥなど）上のサブスクリプションに拡張され得る。
【００１８】
[0026]ＧＳＭ規格は、異なるワイヤレスデバイスと基地局との間で同時通信がどのように行われ得るかを定義する多元接続方式を採用する。各セル内では、その規格によって周波数分割多元接続（ＦＤＭＡ）技法と時分割多元接続（ＴＤＭＡ）技法との組合せが採用される。特に、各２５ＭＨｚ帯域は、２００ｋＨｚ間隔で離間された１２４個のキャリア周波数に分割され、各キャリア周波数は８つのタイムスロットに分割され、各タイムスロットは約０．５７７ｍｓ持続する。各キャリアのための８つのタイムスロットは、約４．６１５ｍｓ持続する単一のＴＤＭＡ「フレーム」と見なされ得、これがワイヤレスデバイスによって採用され得る。このようにして、個々の物理チャネルが形成され得、それらの各々は特定のキャリア周波数およびタイムスロット番号に対応する。
【００１９】
[0027]物理チャネルにマッピングされた論理チャネルは、物理チャネル内で搬送される情報によってカテゴリー分類される。特に、トラフィックチャネル（ＴＣＨ）は、回線交換またはパケット交換ネットワーク中で音声またはユーザデータを搬送し、ハーフレートまたはフルレートであり得る。制御チャネルは、回線交換またはパケット交換ネットワーク中でシグナリングまたは同期データを搬送し、ブロードキャスト制御チャネル（ＢＣＨ）、共通制御チャネル（ＣＣＣＨ）、および専用制御チャネルとしてさらにカテゴリー分類され得る。
【００２０】
[0028]図２は、様々な実施形態を実装するために好適であるマルチＳＩＭワイヤレスデバイス２００の機能ブロック図である。ワイヤレスデバイス２００は、第１のサブスクリプションに関連付けられた第１の識別モジュールＳＩＭ−１  ２０４ａを受け入れ得る第１のＳＩＭインターフェース２０２ａを含み得る。ワイヤレスデバイス２００はまた、第２のサブスクリプションに関連付けられた第２の識別モジュールＳＩＭ−２  ２０４ｂを受け入れ得る第２のＳＩＭインターフェース２０２ｂを含み得る。
【００２１】
[0029]様々な実施形態におけるＳＩＭは、ＧＳＭおよび／またはＵＭＴＳネットワークへのアクセスを可能にする、ＳＩＭおよび／またはＵＳＩＭ適用例で構成されたユニバーサル集積回路カード（ＵＩＣＣ：Universal Integrated Circuit Card）であり得る。ＵＩＣＣはまた、電話帳のための記憶および他の適用例を与え得る。代替的に、ＣＤＭＡネットワークでは、ＳＩＭはカード上のＵＩＣＣリムーバブルユーザ識別モジュール（Ｒ−ＵＩＭ）またはＣＤＭＡ加入者識別モジュール（ＣＳＩＭ）であり得る。
【００２２】
[0030]各ＳＩＭカードは、ＣＰＵ、ＲＯＭ、ＲＡＭ、ＥＥＰＲＯＭ（登録商標）およびＩ／Ｏ回路を有し得る。様々な実施形態において使用されるＳＩＭは、ユーザアカウント情報、国際モバイル加入者識別情報（ＩＭＳＩ）、ＳＩＭアプリケーションツールキット（ＳＡＴ）コマンドのセットおよび電話帳連絡先のための記憶スペースを含んでいることがある。ＳＩＭカードは、ＳＩＭカードネットワーク事業者プロバイダを示すためのホームパブリックランドモバイルネットワーク（ＨＰＬＭＮ）コードをさらに記憶し得る。識別のために集積回路カード識別情報（ＩＣＣＩＤ）ＳＩＭシリアル番号がＳＩＭカード上に印刷される。
【００２３】
[0031]ワイヤレスデバイス２００は、コーダ／デコーダ（ＣＯＤＥＣ）２０８に結合され得る、汎用プロセッサ２０６などの少なくとも１つのコントローラを含み得る。ＣＯＤＥＣ２０８は、今度は、スピーカー２１０とマイクロフォン２１２とに結合され得る。汎用プロセッサ２０６はまた、少なくとも１つのメモリ２１４に結合され得る。メモリ２１４は、プロセッサ実行可能命令を記憶する非一時的有形コンピュータ可読記憶媒体であり得る。たとえば、これらの命令は、対応するベースバンドＲＦリソースチェーンによって第１または第２のサブスクリプションに関係する通信データをルーティングすることを含み得る。
【００２４】
[0032]メモリ２１４は、オペレーティングシステム（ＯＳ）、ならびにユーザアプリケーションソフトウェアおよび実行可能命令を記憶し得る。メモリ２１４はまた、アレイデータ構造などのアプリケーションデータを記憶し得、所定のまたはプリフェッチされた要素をルックアップテーブル／デセンス緩和行列に記憶するために使用され得、それの一例については図５および図６を参照しながら以下で詳細に説明する。
【００２５】
[0033]汎用プロセッサ２０６およびメモリ２１４はそれぞれ、少なくとも１つのベースバンドモデムプロセッサ２１６に結合され得る。ワイヤレスデバイス２００中の各ＳＩＭ（たとえば、ＳＩＭ−１  ２０２ａおよびＳＩＭ−２  ２０２ｂ）はベースバンドＲＦリソースチェーンに関連付けられ得る。各ベースバンドＲＦリソースチェーンは、ＳＩＭ上での通信のためのベースバンド／モデム機能を実行するためのベースバンドモデムプロセッサ２１６と、本明細書では一般にＲＦリソース２１８と呼ばれる１つまたは複数の増幅器および無線機とを含み得る。一実施形態では、ベースバンドＲＦリソースチェーンは、共通のベースバンドモデムプロセッサ２１６（すなわち、ワイヤレスデバイス上のすべてのＳＩＭのためのベースバンド／モデム機能を実行する単一のデバイス）を共有し得る。代替的に、各ベースバンドＲＦリソースチェーンは物理的または論理的に別々のベースバンドプロセッサ（たとえば、ＢＢ１、ＢＢ２）を含み得る。
【００２６】
[0034]ＲＦリソース２１８ａ、２１８ｂはそれぞれ、ワイヤレスデバイスの関連するＳＩＭのための送信／受信機能を実行するトランシーバであり得る。ＲＦリソース２１８ａ、２１８ｂは、別々の送信回路および受信回路を含むか、または送信機機能と受信機機能とを組み合わせるトランシーバを含み得る。ＲＦリソース２１８ａ、２１８ｂはワイヤレスアンテナ（たとえば、第１のワイヤレスアンテナ２２０ａおよび第２のワイヤレスアンテナ２２０ｂ）に結合され得る。ワイヤレスデバイス２００の少なくとも１つのメモリ２１４はオペレーティングシステム（ＯＳ）とユーザアプリケーションソフトウェアとを記憶し得る。
【００２７】
[0035]特定の実施形態では、汎用プロセッサ２０６、メモリ２１４、ベースバンドプロセッサ２１６、およびＲＦリソーレス２１８ａ、２１８ｂはシステムオンチップデバイス２２２中に含まれ得る。第１および第２のＳＩＭ２０２ａ、２０２ｂならびにそれらの対応するインターフェース２０４ａ、２０４ｂはシステムオンチップデバイス２２２の外部にあり得る。さらに、インターフェースまたはコントローラなど、様々な入出力デバイスがシステムオンチップデバイス２２２の構成要素に結合され得る。ワイヤレスデバイス２００において使用するのに好適な例示的なユーザ入力構成要素としては、限定はしないが、キーパッド２２４およびタッチスクリーンディスプレイ２２６があり得る。
【００２８】
[0036]一実施形態では、キーパッド２２４、タッチスクリーンディスプレイ２２６、マイクロフォン２１２、またはそれらの組合せは、出呼を開始するようにとの要求を受信する機能を実行し得る。たとえば、タッチスクリーンディスプレイ２２６は、連絡先リストから連絡先の選択を受け取るかまたは電話番号を受け取り得る。別の例では、タッチスクリーンディスプレイ２２６とマイクロフォン２１２の一方または両方は、出呼を開始するようにとの要求を受信する機能を実行し得る。たとえば、タッチスクリーンディスプレイ２２６は、連絡先リストからまたは電話番号を受け取るために連絡先の選択を受け取り得る。別の例として、出呼を開始するようにとの要求は、マイクロフォン２１２を介して受信される音声コマンドの形態であり得る。当技術分野で知られているように、ワイヤレスデバイス２００中の様々なソフトウェアモジュールおよび機能の間に、それらの間の通信を可能にするためのインターフェースが設けられ得る。
【００２９】
[0037]図３に、別々のＲＦリソース中の送信構成要素と受信構成要素とのブロック図を示す。たとえば、図２を参照しながら上記で説明したように、送信機３０２は１つのＲＦリソース２１８ａの一部であり得、受信機３０４は別のＲＦリソース２１８ｂの一部であり得る。特定の実施形態では、送信機３０２は、送信されるべきデータをフォーマットし、符号化し、インターリーブし得るデータプロセッサ３０６を含み得る。送信機３０２は、たとえば、ガウス型最小シフトキーイング（ＧＭＳＫ）を実行することによって、キャリア信号を符号化データで変調する変調器３０８を含み得る。１つまたは複数の送信回路３１０は、送信のためのＲＦ被変調信号を生成するために、（たとえば、フィルタ処理、増幅、およびアップコンバートすることによって）被変調信号を調整し得る。ＲＦ被変調信号は、たとえば、図２に示されているアンテナ２２０ａなどのアンテナを介して基地局３１２に送信され得る。
【００３０】
[0038]受信機３０４において、アンテナ２２０ｂは、たとえば基地局３１４からＲＦ被変調信号を受信し得る。ただし、アンテナ２２０ｂは、送信機３０２から何らかのＲＦシグナリングをも受信し得、このＲＦシグナリングは、最終的に基地局３１４からの所望の信号と競合する。１つまたは複数の受信回路３１６は、受信されたＲＦ被変調信号を調整（たとえば、フィルタ処理、増幅、およびダウンコンバート）し、調整された信号をデジタル化し、サンプルを復調器３１８に与え得る。復調器３１８は、変調された搬送波から元の情報を担持する信号を抽出し得、復調された信号をデータプロセッサ３２０に与え得る。データプロセッサ３２０は、信号をデインターリーブし、復号して、元の復号されたデータを取得し得、復号されたデータをワイヤレスデバイス中の他の構成要素に与え得る。送信機と受信機との動作は、図２に示されているベースバンドプロセッサ２０６などのプロセッサによって制御され得る。様々な実施形態では、送信機３０２と受信機３０４との各々は、それらの対応する受信回路および送信回路（図示せず）から分離された回路として実装され得る。代替的に、送信機３０２および受信機３０４はそれぞれ、対応する受信回路および送信回路と（すなわち、ＳＩＭ−１とＳＩＭ−２とに関連付けられたトランシーバとして）組み合わせられ得る。
【００３１】
[0039]上記で説明したように、受信機デセンスは、アップリンク上で送信される第１のＳＩＭに関連付けられたデータが、第２のＳＩＭに関連付けられた異なる送信／受信チェーン上の受信アクティビティに干渉するときに起こり得る。所望の信号が破損し、復号することが困難または不可能になり得る。さらに、周囲のセルの信号強度を測定する電力モニタによって送信機からの雑音が検出され得、それにより、モバイルデバイスが近くのセルサイトの存在を誤って決定し得る。例示的な実施形態では２つのＳＩＭに関連付けられた送信データと受信データとの間の干渉に関して説明するが、追加のＳＩＭおよびネットワーク接続がマルチＳＩＭワイヤレスデバイスにおいて使用可能であり得る。
【００３２】
[0040]一実施形態では、マルチＳＩＭデバイス中の別のＳＩＭに関連付けられた送信信号からの干渉により受信機デセンスが起こり得ることを予測すると、ワイヤレスデバイスは、最適なデセンス緩和アクションを選択するためのアルゴリズムを実装し得る。緩和アクションは、限定はしないが、送信信号の電力を低減すること、アップリンク上で干渉データの一部のみを送信すること、アップリンク上での送信を遅延させること、送信を通常処理すること、およびアップリンク上の干渉データを取り消すことを含み得る。送信信号と受信信号との様々な特性（たとえば、チャネル特性、優先度など）への緩和アクションを調整することによって、ワイヤレスデバイスは、サービスの起こり得る劣化を最小限に抑えながら干渉の低減を最大にし得る。緩和アクションは、干渉が予測されるとすぐに、ネットワークからの応答を待つことなしに取られ得る。
【００３３】
[0041]ワイヤレスデバイスにおけるいくつかの緩和アクションは、スケジュールされた送信への変更を伴い得る。たとえば、アップリンク上で送られるべきデータは通常ワイヤレスデバイスによってスケジュールされ、処理され得るが、そのようなデータ送信がいくつかのスケジュールされた受信バースト（たとえば、呼設定）と競合することになる（すなわち、干渉することになる）とき、優先度はダウンリンク信号に割り振られ得、ワイヤレスデバイスは、（たとえば、スケジュールされた送信を遅延させるか、取り消すかまたは調整することによって）アップリンク上の競合する送信を回避し得る。
【００３４】
[0042]一実施形態では、ワイヤレスデバイスは、デセンス緩和アルゴリズム／プロセスを実装することによってデセンス緩和アクションのアドホック選択を行い得る。図４Ａに示された実施形態では、マルチＳＩＭワイヤレスデバイスは、第１のＳＩＭ上のスケジュールされた送信と第２のＳＩＭ上の受信アクティビティとの間の競合を回避または低減するための方法４００を採用し得る。方法４００の動作は、図２に示された汎用プロセッサ２０６、またはメモリとベースバンドモデムプロセッサ２１６とに結合され得る別個のコントローラ（図示せず）など、ワイヤレスデバイスの１つまたは複数のプロセッサによって実装され得る。
【００３５】
[0043]方法４００のブロック４０２において、ワイヤレスデバイスのプロセッサが、スケジュールされた送信からおよび受信アクティビティへの潜在的干渉を検出し得る。たとえば、ワイヤレスデバイスは、送信および／または受信周波数、送信および／または受信電力、あるいはそれらの組合せなど、各ＳＩＭに関連付けられた通信のためのパラメータ値を検出し得る。一実施形態では、送信／受信電力は、ワイヤレスデバイス中に構成要素として含まれ得、測定値をプロセッサに出力し得る、様々なＲＦ信号分析器および／または計測器のうちの１つまたは複数を使用して測定され得る。ブロック４０４において、プロセッサは、検出された送信／受信パラメータ値を使用して受信アクティビティへの潜在的干渉の量を計算し得る。たとえば、プロセッサによってアクセスされ、検出された送信／受信パラメータ値に適用され得るワイヤレスデバイスのメモリ上に、ルックアップテーブルまたは式が記憶され得る。ブロック４０６において、プロセッサは、受信アクティビティへの潜在的干渉の計算された量に基づいて、第２のＳＩＭに関連付けられた受信機へのデセンスのレベルを予測し得る。決定ブロック４０８において、プロセッサは、デセンスの予測されるレベルが所定のしきい値を超えるかどうかを決定することによって、受信機デセンスを緩和するためのプロセスを使用すべきかどうかを決定し得る。予測されるデセンスが所定のしきい値よりも大きくない場合（すなわち、決定ブロック４０８＝「Ｎｏ」）、プロセッサは、ブロック４１０において、潜在的受信機デセンスを許容し、スケジュールされた送信を通常通り処理し得る。予測されるデセンスが、決定されたしきい値を超える場合（すなわち、決定ブロック４０８＝「Ｙｅｓ」）、決定ブロック４１２において、プロセッサは、受信アクティビティが高優先度信号であるかどうかを決定し得る。この決定は、受信信号の重要性にのみ基づくか、または競合する送信および受信バースト間の相対的優先度と活用可能な特性とに基づき得る。
【００３６】
[0044]たとえば、概して優先度を伴って扱われない受信信号は、トラフィックチャネル（ＴＣＨ）上で送られる音声データよりも高い優先度として指定され得る。すなわち、符号化された音声データバーストの取消しは、受信相手のデバイスが、受話者にとって検出不可能な小さいギャップを生成する快適雑音を挿入し得るので、送信への有意な影響を有しないことがある。したがって、ＴＣＨ上のバーストは必要な場合は最終的に取り消され得るので、そのようなフレキシビリティをもたない他の信号は、アップリンク上で送られるべきＴＣＨデータに勝る「高優先度」ステータスを受け取り得る。
【００３７】
[0045]干渉が予測される受信信号が高優先度信号でない場合（すなわち、決定ブロック４１２＝「Ｎｏ」）、ワイヤレスデバイスプロセッサは、決定ブロック４１４において、受信アクティビティが、第２のＳＩＭ上で周囲セルの信号強度をモニタすることを構成するかどうかを決定し得る。受信アクティビティが周囲セルの信号強度をモニタすることを構成する場合（すなわち、決定ブロック４１４＝「はい」）、プロセッサは、ブロック４１６において、受信信号をＴＤＭＡフレーム中の異なるタイムスロットにまたは異なるＴＤＭＡフレームに移動し、受信アクティビティを処理し得る。予測される干渉が、第２のＳＩＭに関連付けられた受信機のための電力モニタからの信号へのものでない場合（すなわち、決定ブロック４１４＝「いいえ」）、ワイヤレスデバイスプロセッサは、ブロック４１８において、受信アクティビティを取り消し得る。
【００３８】
[0046]プロセッサが、受信アクティビティが高優先度信号であると決定した場合（すなわち、決定ブロック４１２＝「はい」）、ワイヤレスデバイスプロセッサは、決定ブロック４２０において、競合するデータがアップリンク制御チャネル上で送られるようにスケジュールされるかどうかを決定し得る。競合するデータがアップリンク制御チャネル上で送られるようにスケジュールされる場合（すなわち、決定ブロック４２０＝「はい」）、ブロック４２２において、ワイヤレスデバイスプロセッサは、図４Ｂを参照しながら以下で説明するようにアップリンク制御チャネルバーストを処理するための別個のプロセスを実行し得る。
【００３９】
[0047]競合するデータがアップリンク制御チャネル上で送られるようにスケジュールされない場合（すなわち、決定ブロック４２０＝「いいえ」）、決定ブロック４２４において、ワイヤレスデバイスは、潜在的干渉を回避するために、スケジュールされた送信が遅延され得るかどうかを決定し得る。そのような決定は、遅延がサービスに悪影響を及ぼさないいくつかのチャネルの特性を活用し得る。干渉を回避するために送信信号が遅延され得る場合（すなわち、決定ブロック４２４＝「はい」）、ブロック４２６において、受信アクティビティが完了するまで、またはスケジュールされた受信アクティビティ中に既知のギャップがあるまで、スケジュールされた送信は遅延され得る。干渉を回避するためにスケジュールされた送信が遅延され得ない場合（すなわち、決定ブロック４２４＝「いいえ」）、ワイヤレスデバイスプロセッサは、決定ブロック４２８において、第１のＳＩＭに関連付けられた送信機のための電力を低減することが、スケジュールされた送信の失敗を引き起こすことなしに、受信アクティビティへの予測される干渉を十分に低減し得るかどうかを決定し得る。送信電力を低減することが、スケジュールされた送信の失敗を引き起こすことなしに予測される干渉を十分に低減し得る場合（すなわち、決定ブロック４２８＝「はい」）、ブロック４３０において、ワイヤレスデバイスプロセッサは、第１のＳＩＭに関連付けられた送信信号を低減し得る。送信電力を低減することが、成功した送信のための要件を満たしながら、予測される干渉を十分に低減し得ない場合（すなわち、決定ブロック４２８＝「いいえ」）、決定ブロック４３２において、ワイヤレスデバイスプロセッサは、スケジュールされた送信フレーム中の競合するバーストのいくつかを取り消すこと（すなわち、部分送信）が、受信信号への予測される干渉を十分に低減し得るかどうかを決定し得る。たとえば、部分送信は、いくつかの制御信号のための符号化に組み込まれた冗長性を活用し得る。
【００４０】
[0048]スケジュールされた送信フレーム中の競合するバーストのいくつかを取り消すことが、予測される干渉を十分に低減し得る場合（すなわち、決定ブロック４３２＝「はい」）、ワイヤレスデバイスは、ブロック４３４において、アップリンク上でフレームを部分的に送信し得る。競合するバーストのいくつかを取り消すことが、予測される干渉を十分に低減し得ない場合（すなわち、決定ブロック４３２＝「いいえ」）、ワイヤレスデバイスプロセッサは、ブロック４３６において、スケジュールされた送信フレームを取り消し得る。
【００４１】
[0049]このようにして、送信アクティビティと受信アクティビティとの特定の組合せへの緩和アクションを調整することによって、ワイヤレスデバイスプロセッサは、サービスの起こり得る劣化を最小限に抑えながら干渉の低減を最大にし得る。
【００４２】
[0050]予測されるデセンスレベルが所定のしきい値を超えると決定した（すなわち、決定ブロック４０８＝「はい」）後の方法４００のための例示的な使用事例、スケジュールされた送信は、ＲＡＣＨ上で送られるべきバーストであり得、受信アクティビティはブロードキャスト制御チャネル（ＢＣＣＨ）上のメッセージであり得る。ワイヤレスデバイスプロセッサは、決定ブロック４１２において、ＢＣＣＨが高優先度（またはＲＡＣＨ上の信号よりも高い優先度）を割り振られるべきであると決定し得る。ワイヤレスデバイスプロセッサは、決定ブロック４２０において、送信が制御チャネル上で送られるようにスケジュールされないと決定し得る。
【００４３】
[0051]図４Ｂに、制御チャネル上で送られるべきであるスケジュールされた送信（すなわち、決定ブロック４２０＝「はい」）を処理するための実施形態方法を示す。特に、制御チャネル上のメッセージが遅延され得る間、ワイヤレスデバイスプロセッサは、プロトコルスタックの上位レイヤへの悪影響を回避するために、制御チャネルを１回のみ遅延させるように構成され得る。方法４５０では、ワイヤレスデバイスプロセッサは、決定ブロック４５２において、スケジュールされた送信が以前に遅延されたことがあるかどうかを決定し得る。たとえば、ワイヤレスデバイスプロセッサは、この決定を行うためにアプリケーション記憶のエリアまたはＲＡＭにアクセスし得る。スケジュールされた送信が以前に遅延されたことがない場合（すなわち、決定ブロック４５２＝「いいえ」）、ワイヤレスデバイスプロセッサは、ブロック４５４において、受信アクティビティへの潜在的干渉を回避するために制御チャネル送信をそれだけ遅延させるフレームの数を決定し得る。ブロック４５６において、ワイヤレスデバイスプロセッサは、遅延情報を、たとえば、アプリケーション記憶またはＲＡＭに保存して、遅延情報を方法４５０の後続のサイクルにとってアクセス可能にし得る。ブロック４５８において、ワイヤレスデバイスプロセッサは、決定されたフレームの数だけ制御チャネル上の送信を遅延させ得る。
【００４４】
[0052]スケジュールされた送信が以前に遅延されたことがある場合（すなわち、決定ブロック４５２＝「はい」）、ワイヤレスデバイスプロセッサは、ブロック４６０において、次の利用可能な機会において制御チャネル上で遅延されたメッセージを送信し得る。
【００４５】
[0053]別の実施形態では、ワイヤレスデバイスプロセッサ上でデセンス緩和アクションを選択することに関与する多数のステップが事前に実行され得る。すなわち、図４Ａを参照しながら上記で説明したようにアドホック選択に依拠する代わりに、スケジュールされた送信と受信アクティビティとの様々な組合せのための選択プロセス（たとえば、図４Ａの方法４００におけるアルゴリズム）の結果があらかじめ決定され、デセンス緩和行列／ルックアップテーブルに記憶され得る。アップリンク信号とダウンリンク信号との多くの特性は事前に知られ、ワイヤレスデバイスプロセッサ上に記憶され得るので、この実施形態では、ワイヤレスデバイスプロセッサは、競合シナリオごとに、それが発生したときに、デセンス緩和アルゴリズム（たとえば、方法４５０）のステップを実行することを必要とされない。このようにして、送信および受信の信号タイプのための大部分またはすべての干渉シナリオについて結果が展開され得る。特定の実施形態では、デセンス行列は、図４Ａを参照しながら上記で説明した可能な緩和アクションのうちの１つを示し得る。このようにして、送信アクティビティと受信アクティビティとの特定の組合せへの緩和アクションを調整することによって、ワイヤレスデバイスは、サービスの起こり得る劣化を最小限に抑えながら干渉の低減を最大にし得る（すなわち、干渉を最小限に抑え得る）。
【００４６】
[0054]図５に、デセンス緩和行列を使用して最適な緩和アクションを選択する実施形態方法を示す。方法５００は、図４Ａのブロック４０２〜４０８中の動作から開始し得る。ブロック５０２において、ワイヤレスデバイスプロセッサは、デセンス緩和アクションまたは情報を含んでいるかまたはそれにリンクされたアレイ、行列または他のデータ構造上でテーブルルックアッププロセスを実行し得る。ブロック５０２において、ワイヤレスデバイスプロセッサは、対応する緩和アクションが記憶されたメモリアドレスの位置を特定するために、スケジュールされた送信の特性を第１のルックアップインデックスまたはパラメータとして使用し、受信アクティビティの特性を第２のルックアップインデックスまたはパラメータとして使用し得る。ブロック５０４において、ワイヤレスデバイスプロセッサは、行列を使用して、スケジュールされた送信の特性（たとえば、論理チャネルなど）に基づいて最適なデセンス緩和アクションを選択し得る。ブロック５０６において、ワイヤレスデバイスプロセッサは、ワイヤレスデバイスプロセッサ上で、選択された緩和アクションを実装し得る。このようにして、図４Ａと同様に、緩和アクションは、送信アクティビティと受信アクティビティとの特定の組合せ調整され得る。
【００４７】
[0055]図６に、表６００に示された例示的なデセンス行列を示す。表６００は、ワイヤレスデバイス上のメモリに記憶され、上記の図２に示された汎用プロセッサ２０６などのプロセッサによってアクセスされ得る。ルックアップ基準のために使用され得る、スケジュールされた送信のための様々なチャネルは、表の列の見出し６０２として示され、のためのルックアップ基準のために使用され得る、スケジュールされた受信アクティビティのための受信チャネルは、表の行の見出し６０４として記載されている。スケジュールされた送信アクティビティと受信アクティビティとの各組合せに適した緩和アクション（たとえば、ＸＭＬスクリプトまたはコマンドリスト）が、スケジュールされた送信アクティビティと受信アクティビティとの特性に対応するアドレスとともにメモリに記憶され得る。言い換えれば、スケジュールされた送信アクティビティと受信アクティビティとの特性は、対応する緩和アクションが記憶されたメモリ中のアドレスの位置を特定するためのルックアップインデックスまたはパラメータとして使用され得る。
【００４８】
[0056]図６中の列と行との見出しに記載されているチャネルは、３ＧＰＰ  ＴＲ  ２１．９０５バージョン１１．２．０リリース１１において定義されている略語である。スケジュールされた送信の可能なキャリアとして与えられ得るアップリンク制御チャネルとしては、限定はしないが、ランダムアクセス制御チャネル（ＲＡＣＨ）、トラフィックチャネル（ＴＣＨ）、低速専用制御チャネル（ＳＤＣＣＨ）上のバーストに関連付けられた低速付随制御チャネル（ＳＡＣＣＨ）、ＴＣＨに関連付けられたＳＡＣＣＨ、高速付随制御チャネル（ＦＡＣＣＨ）、パケットデータチャネル（ＰＤＣＨ）、およびパケット付随制御チャネル（ＰＡＣＣＨ）があり得る。
【００４９】
[0057]ＰＡＣＣＨチャネルはＲＬＣ／ＭＡＣ制御メッセージを搬送する。ＰＡＣＣＨメッセージを送信するためのブロックは、表６００の最後の列に示された予約済み無線ブロック期間（ＲＲＢＰ）を使用して、パケット交換ネットワークによってワイヤレスデバイスのために予約され得る。
【００５０】
[0058]可能な受信アクティビティとして与えられ得るダウンリンクチャネルとしては、限定はしないが、同期チャネル（ＳＣＨ）、ページングチャネル（ＰＣＨ）、ブロードキャスト制御チャネル（ＢＣＣＨ）、（ＦＡＣＣＨをも含んでいることがある）ＴＣＨ、ＴＣＨに関連付けられたＳＡＣＣＨ、ＳＤＣＣＨに関連付けられたＳＡＣＣＨ、周波数補正チャネル（ＦＣＣＨ）、パケット専用チャネル（ＰＤＣＨ）、およびパケット付随制御チャネル（ＰＡＣＣＨ）を含み得る。表６００の最下行６０４に示された、別の可能な受信アクティビティは、近くのセルにおいて信号強度を測定するモニタから信号を受信することを含み得る。たとえば、受信アクティビティは、近くのＧＳＭセルについての信号強度の測定を含み得る。別の実施形態では、受信アクティビティは、（すなわち、ＩｎｔｅｒＲＡＴ測定（「ＩＲＡＴ」））と呼ばれる、他の技術を使用するセルについての信号強度の測定を含み得る。表６００の下から３番目の行６０４に示された、別の可能な受信アクティビティは、ＰＤＣＨのリリースを強制するためのメッセージを受信するまで動作していることがあるＴ３１９２タイマーのためのメッセージを含み得る。
【００５１】
[0059]例示的な緩和アクションは、様々な信号干渉について図６のデセンス緩和行列に示されている。この場合も、スケジュールされた送信チャネルと受信アクティビティとの各組合せについて、あらかじめ定義された緩和アクションが、ルックアップ基準として行列と送信特性（列）と受信アクティビティ特性（行）とを使用して識別され得るアドレスにおいてメモリに記憶され得る。
【００５２】
[0060]これらの論理チャネルのマッピングを定義する特性および詳細については、ＧＳＭ規格に、特に３ＧＰＰ  ＴＳ  ４５．００２．  ３ＧＰＰ  ＴＳ  ４５．００２バージョン１１．０．０リリース１１に詳細に記載されている。
【００５３】
[0061]デセンス緩和行列６００は、ワイヤレスデバイス上にアレイデータ構造で記憶され得る。様々な実施形態では、予測される干渉を低減するために、送信アクティビティから受信アクティビティへの潜在的干渉のためのそれらの特性に基づく緩和アクションが、必要に応じて送信信号チャネルと受信信号チャネルとの組合せについて取り出され得る。緩和アクションの選択を最適化するために、デセンス緩和行列データとともに、送信信号と受信信号との他の特性に関係するデータ値が記憶され得る（たとえば、信号強度、ＱｏＳなど）。図４Ａを参照しながら上記で説明したのと同じ使用事例（すなわち、ＲＡＣＨ上で送られるべき送信およびＢＣＣＨ上の受信バースト）では、ワイヤレスデバイスプロセッサは、ＲＡＣＨを遅延させるための命令として示された、記憶された行列中の対応する情報にアクセスするだけであり得る。
【００５４】
[0062]様々な実施形態は、図７にそれの一例が示されている、様々なモバイルデバイスのいずれかにおいて実装され得る。たとえば、モバイルデバイス７００は、内部メモリ７０４および７１０に結合されたプロセッサ７０２を含み得る。内部メモリ７０４および７１０は、揮発性メモリまたは不揮発性メモリであり得、セキュアメモリおよび／または暗号化メモリ、あるいは非セキュアメモリおよび／または非暗号化メモリ、またはそれらの任意の組合せでもあり得る。プロセッサ７０２はまた、抵抗性感知タッチスクリーン、容量性感知タッチスクリーン赤外線感知タッチスクリーンなど、タッチスクリーンディスプレイ７０６に結合され得る。さらに、モバイルデバイス７００のディスプレイはタッチスクリーン能力を有する必要がない。さらに、モバイルデバイス７００は、プロセッサ７０２に結合されたワイヤレスデータリンクおよび／またはセルラー電話トランシーバ７１６に接続され得る、電磁放射を送信および受信するための１つまたは複数のアンテナ７０８を有し得る。モバイルデバイス７００はまた、ユーザ入力を受け入れるための物理的ボタン７１２ａおよび７１２ｂを含み得る。モバイルデバイス７００はまた、モバイルデバイス７００をオンおよびオフするための電源ボタン７１８を含み得る。
【００５５】
[0063]上記で説明した様々な実施形態はまた、図８に示されたラップトップコンピュータ８１０など、様々なパーソナルコンピューティングデバイス内に実装され得る。多くのラップトップコンピュータは、コンピュータのポインティングデバイスとして機能するタッチパッドタッチ面８１７を含み、したがって、タッチスクリーンディスプレイを装備したモバイルコンピューティングデバイス上で実装され上記で説明したものと同様の、ドラッグ、スクロール、およびフリックジェスチャーを受け入れ得る。ラップトップコンピュータ８１０は、典型的には、揮発性メモリ８１２と、フラッシュメモリのディスクドライブ８１３などの大容量不揮発性メモリとに結合されたプロセッサ８１１を含むことになる。コンピュータ８１０はまた、プロセッサ８１１に結合されたフロッピー（登録商標）ディスクドライブ８１４とコンパクトディスク（ＣＤ）ドライブ８１５とを含み得る。コンピュータデバイス８１０はまた、ＵＳＢまたはＦｉｒｅＷｉｒｅ（登録商標）コネクタソケットなど、データ接続を確立するための、または外部メモリデバイスを受け入れるための、プロセッサ８１１に結合されたいくつかのコネクタポート、あるいはプロセッサ８１１をネットワークに結合するための他のネットワーク接続回路を含み得る。ノートブック構成では、コンピュータ筐体は、プロセッサ８１１にすべて結合された、タッチパッド８１７と、キーボード８１８と、ディスプレイ８１９とを含む。コンピューティングデバイスの他の構成は、よく知られているように、プロセッサに（たとえば、ＵＳＢ入力を介して）結合されたコンピュータマウスまたはトラックボールを含み得、これも、様々な実施形態とともに使用され得る。
【００５６】
[0064]プロセッサ７０２および８１１は、上記で説明した様々な実施形態の機能を含む、様々な機能を実行するようにソフトウェア命令（アプリケーション）によって構成され得る任意のプログラマブルマイクロプロセッサ、マイクロコンピュータ、あるいは１つまたは複数のマルチプルプロセッサチップであり得る。いくつかのデバイスでは、１つのプロセッサがワイヤレス通信機能専用にされ、１つのプロセッサが他のアプリケーションの実行専用にされるなど、マルチプルプロセッサが設けられ得る。典型的には、ソフトウェアアプリケーションは、アクセスされプロセッサ７０２および８１１にロードされる前に、内部メモリ７０４、７１０、８１２および８１３に記憶され得る。プロセッサ７０２および８１は、アプリケーションソフトウェア命令を記憶するのに十分な内部メモリを含み得る。多くのデバイスでは、内部メモリは、揮発性メモリ、またはフラッシュメモリなどの不揮発性メモリ、あるいは両方の混合であり得る。本明細書では、メモリへの一般的言及は、内部メモリ、またはデバイスに接続されたリムーバブルメモリ、ならびにプロセッサ７０２および８１１自体の内部のメモリを含む、プロセッサ７０２および８１１によってアクセス可能なメモリを指す。
【００５７】
[0065]上記の方法の説明およびプロセスフロー図は、例示的な例として与えられたものにすぎず、様々な実施形態のステップが提示された順序で実行されなければならないことを要求または暗示するものではない。当業者によって諒解されるように、上記の実施形態におけるステップの順序は任意の順序で実行され得る。「その後」、「次いで」、「次に」などの単語は、ステップの順序を限定するものではなく、これらの単語は、単に、読者に方法の説明を案内するために使用される。さらに、たとえば、冠詞「ａ」、「ａｎ」または「ｔｈｅ」を使用する単数形の請求項要素への言及は、その要素を単数形に限定するものと解釈されるべきではない。
【００５８】
[0066]本明細書では、あるＳＩＭに関連付けられたデータ送信と、異なるＳＩＭに関連付けられたデータ受信とについて説明するために「第１の」および「第２の」という用語が使用されるが、そのような識別子は便宜上のものにすぎず、様々な実施形態を特定の順序、シーケンス、ネットワークまたはキャリアのタイプに限定するものではない。
【００５９】
[0067]本明細書で開示する実施形態に関して説明した様々な例示的な論理ブロック、モジュール、回路、およびアルゴリズムステップは、電子ハードウェア、コンピュータソフトウェア、または両方の組合せとして実装され得る。ハードウェアとソフトウェアのこの互換性を明確に示すために、様々な例示的な構成要素、ブロック、モジュール、回路、およびステップについて、上記では概してそれらの機能に関して説明した。そのような機能がハードウェアとして実装されるか、またはソフトウェアとして実装されるかは、特定の適用例および全体的なシステムに課せられた設計制約に依存する。当業者は、説明した機能を特定の適用例ごとに様々な方法で実装し得るが、そのような実装の決定は、本発明の範囲からの逸脱を生じるものと解釈されるべきではない。
【００６０】
[0068]本明細書で開示する態様に関して説明した様々な例示的な論理、論理ブロック、モジュール、および回路を実装するために使用されるハードウェアは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰおよびマイクロプロセッサの組合せ、複数のマイクロプロセッサ、ＤＳＰコアと連携する１つまたは複数のマイクロプロセッサ、あるいは任意の他のそのような構成として実装され得る。代替的に、いくつかのステップまたは方法は、所与の機能に固有の回路によって実行され得る。
【００６１】
[0069]１つまたは複数の例示的な態様では、説明した機能は、ハードウェア、ソフトウェア、ファームウェア、またはそれらの任意の組合せで実装され得る。ソフトウェアで実装される場合、これらの機能は、非一時的コンピュータ可読媒体または非一時的プロセッサ可読媒体上に１つまたは複数の命令またはコードとして記憶され得る。本明細書で開示する方法またはアルゴリズムのステップは、非一時的コンピュータ可読記憶媒体または非一時的プロセッサ可読記憶媒体上に存在し得るプロセッサ実行可能ソフトウェアモジュール中で実施され得る。非一時的コンピュータ可読記憶媒体または非一時的プロセッサ可読記憶媒体は、コンピュータまたはプロセッサによってアクセスされ得る任意の記憶媒体であり得る。限定ではなく例として、そのような非一時的コンピュータ可読媒体または非一時的プロセッサ可読媒体は、所望のプログラムコードを命令またはデータ構造の形態で記憶するために使用され得、コンピュータによってアクセスされ得る、ＲＡＭ、ＲＯＭ、ＥＥＰＲＯＭ、ＦＬＡＳＨメモリ、ＣＤ−ＲＯＭまたは他の光ディスクストレージ、磁気ディスクストレージまたは他の磁気ストレージデバイス、あるいは任意の他の媒体を含み得る。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピーディスク（disk）、およびｂｌｕ−ｒａｙ（登録商標）ディスク（disc）を含み、ディスク（disk）は、通常、データを磁気的に再生し、ディスク（disc）は、データをレーザーで光学的に再生する。上記の組合せも、非一時的コンピュータ可読媒体および非一時的プロセッサ可読媒体の範囲内に含まれる。さらに、方法またはアルゴリズムの動作は、コンピュータプログラム製品に組み込まれ得る、非一時的プロセッサ可読媒体および／またはコンピュータ可読媒体上のコードおよび／または命令の１つまたは任意の組合せ、あるいはそのセットとして存在し得る。
【００６２】
[0070]開示する実施形態の上記の説明は、当業者が本発明を製作または使用できるように与えられたものである。これらの実施形態に対する様々な変更は当業者には容易に明らかであり、本明細書で定義した一般原理は、本発明の趣旨または範囲から逸脱することなく他の実施形態に適用され得る。したがって、本発明は、本明細書で示された実施形態に限定されるものではなく、以下の特許請求の範囲ならびに本明細書で開示する原理および新規の特徴に合致する最も広い範囲を与えられるべきである。
以下に、本願出願の当初の特許請求の範囲に記載された発明を付記する。
［Ｃ１］  マルチＳＩＭワイヤレスデバイスにおける受信機デセンスを自律的に緩和する方法であって、
第１の加入者識別モジュール（ＳＩＭ）に関連付けられた第１の無線周波数（ＲＦ）リソース上のスケジュールされた送信と第２のＳＩＭに関連付けられた第２のＲＦリソース上の受信アクティビティとの間の潜在的干渉を検出することと、
前記スケジュールされた送信と前記受信アクティビティとの間の潜在的干渉のレベルを計算することと、
前記潜在的干渉の計算されたレベルに基づいて前記第２のＲＦリソースの受信回路のデセンスのレベルを予測することと、
前記予測されるデセンスレベルが所定のしきい値を超えるかどうかを決定することと、
前記予測されるデセンスレベルが前記所定のしきい値を超えると決定することに応答して緩和アクションを選択することと、
前記マルチＳＩＭワイヤレスデバイス上で前記選択された緩和アクションを実行することと
を備える方法。
［Ｃ２］  前記第１のＲＦリソース上の前記スケジュールされた送信と前記第２のＲＦリソース上の前記受信アクティビティとの間の潜在的干渉を検出することは、前記第１のＲＦリソースからの側波帯雑音と前記第２のＲＦリソースの前記受信回路の通過帯域との重複に基づく、
Ｃ１に記載の方法。
［Ｃ３］  前記緩和アクションは、
送信電力を低減することと、
前記スケジュールされた送信中の干渉データの一部分を取り消すことと、
前記スケジュールされた送信中のすべての干渉データを取り消すことと、
前記スケジュールされた送信を遅延させることと、
前記スケジュールされた送信を処理することと
からなるグループから選択される、Ｃ１に記載の方法。
［Ｃ４］  緩和アクションを選択することは、
前記スケジュールされた送信の特性と前記受信アクティビティの特性とを決定することと、
前記スケジュールされた送信の前記特性と前記受信アクティビティの前記特性とがテーブルルックアップパラメータとして使用されるテーブルルックアッププロセスを使用することと
を備え、前記緩和アクションは、前記スケジュールされた送信の前記特性と前記受信アクティビティの前記特性とに対応するアドレスをもつ要素として記憶される、
Ｃ３に記載の方法。
［Ｃ５］  緩和アクションを選択することは、
前記受信アクティビティが前記ダウンリンク上で高優先度データを受信することを備えるかどうかを決定することと、
前記受信アクティビティが前記ダウンリンク上で高優先度データを受信することを備えると決定することに応答して、前記スケジュールされた送信が制御チャネル上のメッセージであるかどうかを決定することと、
前記スケジュールされた送信が制御チャネル上のメッセージでないと決定することに応答して、前記スケジュールされた送信がサービスに悪影響を及ぼすことなしに遅延され得るかどうかを決定することと、
前記スケジュールされた送信がサービスに悪影響を及ぼすことなしには遅延され得ないと決定することに応答して、前記スケジュールされた送信の電力を低減することが前記スケジュールされた送信の失敗を引き起こすことになるかどうかを決定することと、
前記スケジュールされた送信の電力を低減することが前記スケジュールされた送信の失敗を引き起こすことになると決定することに応答して、前記スケジュールされた送信の一部を取り消すことが前記受信アクティビティへの干渉を十分に低減することになるかどうかを決定することと、
前記スケジュールされた送信の一部を取り消すことが干渉を十分に低減することにならないと決定することに応答して、前記スケジュールされた送信のすべてを取り消すことと
を備える、Ｃ３に記載の方法。
［Ｃ６］  前記スケジュールされた送信が制御チャネル上のメッセージであると決定することに応答して、前記スケジュールされた送信上の制御データが以前に遅延されたことがあるかどうかを決定することと、
前記制御チャネル上の前記メッセージが以前に遅延されたことがないと決定することに応答して、前記スケジュールされた送信を遅延させるためのフレームの数を決定し、遅延させるためのフレームの前記数を保存することと、
フレームの前記決定された数だけ前記スケジュールされた送信を遅延させることと
をさらに備える、Ｃ５に記載の方法。
［Ｃ７］  前記制御チャネル上の前記メッセージが以前に遅延されたことがあると決定することに応答して、次の利用可能な機会において前記スケジュールされた送信を送ることをさらに備える、
Ｃ６に記載の方法。
［Ｃ８］  前記制御チャネルは、
高速付随制御チャネル（ＦＡＣＣＨ）と、
低速付随制御チャネル（ＳＡＣＣＨ）と、
スタンドアロン専用制御チャネル（ＳＤＣＣＨ）と、
パケット付随制御チャネル（ＰＡＣＣＨ）と、
ランダムアクセス制御チャネル（ＲＡＣＨ）と
からなるグループから選択される、Ｃ６に記載の方法。
［Ｃ９］  前記スケジュールされた送信は、トラフィックチャネル（ＴＣＨ）上のデータを備え、緩和アクションを選択することは、
前記受信アクティビティがＴＣＨ上でデータを受信することを備えるかどうかを決定することと、
前記受信アクティビティがＴＣＨ上でデータを受信することを備えると決定することに応答して、前記第１のＲＦリソースと前記第２のＲＦリソースとの相対的アクティビティ状態に基づいて、前記スケジュールされた送信を処理することと前記受信アクティビティを処理することとの間で優先度を付けることと
をさらに備える、Ｃ５に記載の方法。
［Ｃ１０］  前記制御チャネルは、ＳＡＣＣＨであり、緩和アクションを選択することは、
前記受信アクティビティがＳＡＣＣＨ上でメッセージを受信することを備えるかどうかを決定することと、
前記受信アクティビティがＳＡＣＣＨ上でメッセージを受信することを備えることに応答して、前記第１のＲＦリソースと前記第２のＲＦリソースとの相対的アクティビティ状態に基づいて、前記スケジュールされた送信を処理することと前記受信アクティビティを処理することとの間で優先度を付けることと
をさらに備える、Ｃ８に記載の方法。
［Ｃ１１］  前記受信アクティビティが近くのネットワークの信号強度をモニタすることを伴うかどうかを決定することと、
前記受信アクティビティが近くのネットワークの信号強度をモニタすることを伴うと決定することに応答して、前記受信アクティビティを異なるタイムスロットまたはフレームに移動することと
をさらに備える、Ｃ５に記載の方法。
［Ｃ１２］  前記スケジュールされた送信がサービスに悪影響を及ぼすことなしに遅延され得ると決定することに応答して、前記スケジュールされた送信を遅延させることをさらに備える、
Ｃ５に記載の方法。
［Ｃ１３］  電力を低減することが前記スケジュールされた送信の失敗を引き起こすことにならないと決定することに応答して、前記スケジュールされた送信の電力を低減することをさらに備える、
Ｃ５に記載の方法。
［Ｃ１４］  前記スケジュールされた送信の一部を取り消すことが潜在的干渉を十分に低減することになると決定することに応答して、前記スケジュールされた送信の一部を取り消すことをさらに備え、
前記スケジュールされた送信のすべてではないがいくつかの潜在的干渉データは、前記アップリンク上で送られる、
Ｃ５に記載の方法。
［Ｃ１５］  前記スケジュールされた送信の前記決定された特性は、前記スケジュールされた送信は、前記アップリンク上でその上で送られるべきであるチャネルを備える、
Ｃ４に記載の方法。
［Ｃ１６］  前記受信アクティビティの前記決定された特性は、データが前記ダウンリンク上でその上で受信され得るチャネルを備える、
Ｃ４に記載の方法。
［Ｃ１７］  第１の加入者識別モジュール（ＳＩＭ）と、
第２のＳＩＭと、
ディスプレイと、
メモリと、
前記第１のＳＩＭに関連付けられた第１の無線周波数（ＲＦ）リソースと、
前記第２のＳＩＭに関連付けられた第２のＲＦリソースと、
前記ディスプレイ、前記メモリ、前記第１のＲＦリソース、および前記第２のＲＦリソースに結合されたプロセッサと
を備え、前記プロセッサは、
前記第１のＲＦリソース上のスケジュールされた送信と前記第２のＲＦリソース上の受信アクティビティとの間の潜在的干渉を検出することと、
前記スケジュールされた送信と前記受信アクティビティとの間の潜在的干渉のレベルを計算することと、
潜在的干渉の前記計算されたレベルに基づいて前記第２のＲＦリソースの受信回路のデセンスのレベルを予測することと、
前記予測されるデセンスレベルが所定のしきい値を超えるかどうかを決定することと、
前記予測されるデセンスレベルが前記所定のしきい値を超えると決定することに応答して緩和アクションを選択することと、
前記マルチＳＩＭワイヤレスデバイス上で前記選択された緩和アクションを実行することと
を備える動作を実行するようにプロセッサ実行可能命令で構成された、マルチＳＩＭワイヤレスデバイス。
［Ｃ１８］  前記プロセッサは、
前記第１のＲＦリソース上の前記スケジュールされた送信と前記第２のＲＦリソース上の前記受信アクティビティとの間の潜在的干渉を検出することは、前記第１のＲＦリソースからの側波帯雑音と前記第２のＲＦリソースの前記受信回路の通過帯域との重複に基づくような動作を実行するようにプロセッサ実行可能命令で構成された、
Ｃ１７に記載のマルチＳＩＭワイヤレスデバイス。
［Ｃ１９］  前記プロセッサは、前記緩和アクションが、
送信電力を低減することと、
前記スケジュールされた送信中の干渉データの一部分を取り消すことと、
前記スケジュールされた送信中のすべての干渉データを取り消すことと、
前記スケジュールされた送信を遅延させることと、
前記スケジュールされた送信を処理することと
からなるグループから選択されるような動作を実行するようにプロセッサ実行可能命令で構成された、Ｃ１７に記載のマルチＳＩＭワイヤレスデバイス。
［Ｃ２０］  前記プロセッサは、緩和アクションを選択することが、
前記スケジュールされた送信の特性と前記受信アクティビティの特性とを決定することと、
前記スケジュールされた送信の前記特性と前記受信アクティビティの前記特性とがテーブルルックアップパラメータとして使用されるテーブルルックアッププロセスを使用することと
をさらに備えるような動作を実行するようにプロセッサ実行可能命令で構成され、
前記緩和アクションは、前記スケジュールされた送信の前記特性と前記受信アクティビティの前記特性とに対応するアドレスをもつ要素として記憶される、
Ｃ１９に記載のマルチＳＩＭワイヤレスデバイス。
［Ｃ２１］  前記プロセッサは、緩和アクションを選択することが、
前記受信アクティビティが前記ダウンリンク上で高優先度データを受信することを備えるかどうかを決定することと、
前記受信アクティビティが前記ダウンリンク上で高優先度データを受信することを備えると決定することに応答して、前記スケジュールされた送信が制御チャネル上のメッセージであるかどうかを決定することと、
前記スケジュールされた送信が制御チャネル上のメッセージでないと決定することに応答して、前記スケジュールされた送信がサービスに悪影響を及ぼすことなしに遅延され得るかどうかを決定することと、
前記スケジュールされた送信がサービスに悪影響を及ぼすことなしには遅延され得ないと決定することに応答して、前記スケジュールされた送信の電力を低減することが前記スケジュールされた送信の失敗を引き起こすことになるかどうかを決定することと、
前記スケジュールされた送信の電力を低減することが前記スケジュールされた送信の失敗を引き起こすことになると決定することに応答して、前記スケジュールされた送信の一部を取り消すことが前記受信アクティビティへの干渉を十分に低減することになるかどうかを決定することと、
前記スケジュールされた送信の一部を取り消すことが干渉を十分に低減することにならないと決定することに応答して、前記スケジュールされた送信のすべてを取り消すことと
をさらに備えるような動作を実行するようにプロセッサ実行可能命令で構成される、Ｃ１９に記載のマルチＳＩＭワイヤレスデバイス。
［Ｃ２２］  前記プロセッサは、
前記スケジュールされた送信が制御チャネル上のメッセージであると決定することに応答して、前記スケジュールされた送信上の制御データが以前に遅延されたことがあるかどうかを決定することと、
前記制御チャネル上の前記メッセージが以前に遅延されたことがないと決定することに応答して、前記スケジュールされた送信を遅延させるためのフレームの数を決定し、遅延させるためのフレームの前記数を保存することと、
フレームの前記決定された数だけ前記スケジュールされた送信を遅延させることと
をさらに備える動作を実行するようにプロセッサ実行可能命令で構成された、Ｃ２１に記載のマルチＳＩＭワイヤレスデバイス。
［Ｃ２３］  前記プロセッサは、
前記制御チャネル上の前記メッセージが以前に遅延されたことがあると決定することに応答して、次の利用可能な機会において前記スケジュールされた送信を送ることをさらに備える、
動作を実行するようにプロセッサ実行可能命令で構成された、Ｃ２２に記載のマルチＳＩＭワイヤレスデバイス。
［Ｃ２４］  前記プロセッサは、前記制御チャネルが、
高速付随制御チャネル（ＦＡＣＣＨ）と、
低速付随制御チャネル（ＳＡＣＣＨ）と、
スタンドアロン専用制御チャネル（ＳＤＣＣＨ）と、
パケット付随制御チャネル（ＰＡＣＣＨ）と、
ランダムアクセス制御チャネル（ＲＡＣＨ）と
からなるグループから選択されるような動作を実行するようにプロセッサ実行可能命令で構成された、Ｃ２２に記載のマルチＳＩＭワイヤレスデバイス。
［Ｃ２５］  前記プロセッサは、
前記スケジュールされた送信がトラフィックチャネル（ＴＣＨ）上のデータを備え、
緩和アクションを選択することは、
前記受信アクティビティがＴＣＨ上でデータを受信することを備えるかどうかを決定することと、
前記受信アクティビティがＴＣＨ上でデータを受信することを備えると決定することに応答して、前記第１のＲＦリソースと前記第２のＲＦリソースとの相対的アクティビティ状態に基づいて、前記スケジュールされた送信を処理することと前記受信アクティビティを処理することとの間で優先度を付けることと
を備えるような動作を実行するようにプロセッサ実行可能命令で構成された、Ｃ２１に記載のマルチＳＩＭワイヤレスデバイス。
［Ｃ２６］  前記制御チャネルがＳＡＣＣＨであり、前記プロセッサは、緩和アクションを選択することが、
前記受信アクティビティがＳＡＣＣＨ上でメッセージを受信することを備えるかどうかを決定することと、
前記受信アクティビティがＳＡＣＣＨ上でメッセージを受信することを備えることに応答して、前記第１のＲＦリソースと前記第２のＲＦリソースとの相対的アクティビティ状態に基づいて、前記スケジュールされた送信を処理することと前記受信アクティビティを処理することとの間で優先度を付けることと
をさらに備えるような動作を実行するようにプロセッサ実行可能命令で構成される、Ｃ２４に記載のマルチＳＩＭワイヤレスデバイス。
［Ｃ２７］  前記プロセッサは、
前記受信アクティビティが近くのネットワークの信号強度をモニタすることを伴うかどうかを決定することと、
前記受信アクティビティが近くのネットワークの信号強度をモニタすることを伴うと決定することに応答して、前記受信アクティビティを異なるタイムスロットまたはフレームに移動することと
をさらに備える動作を実行するようにプロセッサ実行可能命令で構成された、Ｃ２１に記載のマルチＳＩＭワイヤレスデバイス。
［Ｃ２８］  前記プロセッサは、
前記スケジュールされた送信がサービスに悪影響を及ぼすことなしに遅延され得ると決定することに応答して、前記スケジュールされた送信を遅延させることをさらに備える動作を実行するようにプロセッサ実行可能命令で構成された、
Ｃ２１に記載のマルチＳＩＭワイヤレスデバイス。
［Ｃ２９］  前記プロセッサは、
電力を低減することが前記スケジュールされた送信の失敗を引き起こすことにならないと決定することに応答して、前記スケジュールされた送信の電力を低減することをさらに備える動作を実行するようにプロセッサ実行可能命令で構成された、
Ｃ２１に記載のマルチＳＩＭワイヤレスデバイス。
［Ｃ３０］  前記プロセッサは、
前記スケジュールされた送信の一部を取り消すことが潜在的干渉を十分に低減することになると決定することに応答して、前記スケジュールされた送信の一部を取り消すことをさらに備える動作を実行するようにプロセッサ実行可能命令で構成され、
前記スケジュールされた送信のすべてではないがいくつかの潜在的干渉データは、前記アップリンク上で送られる、
Ｃ２１に記載のマルチＳＩＭワイヤレスデバイス。
［Ｃ３１］  前記プロセッサは、前記スケジュールされた送信の前記決定された特性が、前記スケジュールされた送信が前記アップリンク上でその上で送られるべきであるチャネルを備えるような動作を実行するようにプロセッサ実行可能命令で構成された、
Ｃ２０に記載のマルチＳＩＭワイヤレスデバイス。
［Ｃ３２］  前記プロセッサは、前記受信アクティビティの前記決定された特性が、データが前記ダウンリンク上でその上で受信され得るチャネルを備えるような動作を実行するようにプロセッサ実行可能命令で構成された、
Ｃ２０に記載のマルチＳＩＭワイヤレスデバイス。
［Ｃ３３］  マルチＳＩＭワイヤレスデバイスであって、
第１の加入者識別モジュール（ＳＩＭ）と、
第２のＳＩＭと、
前記第１のＳＩＭに関連付けられた第１の無線周波数（ＲＦ）リソースと、
前記第２のＳＩＭに関連付けられた第２のＲＦリソースと、
前記第１のＳＩＭに関連付けられた前記第１のＲＦリソース上のスケジュールされた送信と前記第２のＳＩＭに関連付けられた前記第２のＲＦリソース上の受信アクティビティとの間の潜在的干渉を検出するための手段と、
前記スケジュールされた送信と前記受信アクティビティとの間の潜在的干渉のレベルを計算するための手段と、
潜在的干渉の前記計算されたレベルに基づいて前記第２のＲＦリソースの受信回路のデセンスのレベルを予測するための手段と、
前記予測されるデセンスレベルが所定のしきい値を超えるかどうかを決定するための手段と、
前記予測されるデセンスレベルが前記所定のしきい値を超えると決定することに応答して緩和アクションを選択するための手段と、
前記マルチＳＩＭワイヤレスデバイス上で前記選択された緩和アクションを実行するための手段と
を備える、マルチＳＩＭワイヤレスデバイス。
［Ｃ３４］  前記第１のＲＦリソース上の前記スケジュールされた送信と前記第２のＲＦリソース上の前記受信アクティビティとの間の潜在的干渉を検出するための手段は、前記第１のＲＦリソースからの側波帯雑音と前記第２のＲＦリソースの前記受信回路の通過帯域との重複に基づく、
Ｃ３３に記載のマルチＳＩＭワイヤレスデバイス。
［Ｃ３５］  前記緩和アクションは、
送信電力を低減することと、
前記スケジュールされた送信中の干渉データの一部分を取り消すことと、
前記スケジュールされた送信中のすべての干渉データを取り消すことと、
前記スケジュールされた送信を遅延させることと、
前記スケジュールされた送信を処理することと
からなるグループから選択される、Ｃ３３に記載のマルチＳＩＭワイヤレスデバイス。
［Ｃ３６］  緩和アクションを選択するための手段は、
前記スケジュールされた送信の特性と前記受信アクティビティの特性とを決定するための手段と、
前記スケジュールされた送信の前記特性と前記受信アクティビティの前記特性とがテーブルルックアップパラメータとして使用されるテーブルルックアッププロセスを使用するための手段と
を備え、前記緩和アクションは、前記スケジュールされた送信の前記特性と前記受信アクティビティの前記特性とに対応するアドレスをもつ要素として記憶される、
Ｃ３５に記載のマルチＳＩＭワイヤレスデバイス。
［Ｃ３７］  緩和アクションを選択するための手段は、
前記受信アクティビティが前記ダウンリンク上で高優先度データを受信することを備えるかどうかを決定するための手段と、
前記受信アクティビティが前記ダウンリンク上で高優先度データを受信することを備えると決定することに応答して、前記スケジュールされた送信が制御チャネル上のメッセージであるかどうかを決定するための手段と、
前記スケジュールされた送信が制御チャネル上のメッセージでないと決定することに応答して、前記スケジュールされた送信がサービスに悪影響を及ぼすことなしに遅延され得るかどうかを決定するための手段と、
前記スケジュールされた送信がサービスに悪影響を及ぼすことなしには遅延され得ないと決定することに応答して、前記スケジュールされた送信の電力を低減することが前記スケジュールされた送信の失敗を引き起こすことになるかどうかを決定するための手段と、
前記スケジュールされた送信の電力を低減することが前記スケジュールされた送信の失敗を引き起こすことになると決定することに応答して、前記スケジュールされた送信の一部を取り消すことが前記受信アクティビティへの干渉を十分に低減することになるかどうかを決定するための手段と、
前記スケジュールされた送信の一部を取り消すことが干渉を十分に低減することにならないと決定することに応答して、前記スケジュールされた送信のすべてを取り消すための手段と
を備える、Ｃ３５に記載のマルチＳＩＭワイヤレスデバイス。
［Ｃ３８］  前記スケジュールされた送信が制御チャネル上のメッセージであると決定することに応答して、前記スケジュールされた送信上の制御データが以前に遅延されたことがあるかどうかを決定するための手段と、
前記制御チャネル上の前記メッセージが以前に遅延されたことがないと決定することに応答して、前記スケジュールされた送信を遅延させるためのフレームの数を決定し、遅延させるためのフレームの前記数を保存するための手段と、
フレームの前記決定された数だけ前記スケジュールされた送信を遅延させるための手段と
をさらに備える、Ｃ３７に記載のマルチＳＩＭデバイス。
［Ｃ３９］  前記制御チャネル上の前記メッセージが以前に遅延されたことがあると決定することに応答して、次の利用可能な機会において前記スケジュールされた送信を送るための手段をさらに備える、
Ｃ３８に記載のマルチＳＩＭワイヤレスデバイス。
［Ｃ４０］  前記制御チャネルは、
高速付随制御チャネル（ＦＡＣＣＨ）と、
低速付随制御チャネル（ＳＡＣＣＨ）と、
スタンドアロン専用制御チャネル（ＳＤＣＣＨ）と、
パケット付随制御チャネル（ＰＡＣＣＨ）と、
ランダムアクセス制御チャネル（ＲＡＣＨ）と
からなるグループから選択される、Ｃ３８に記載のマルチＳＩＭワイヤレスデバイス。
［Ｃ４１］  前記スケジュールされた送信がトラフィックチャネル（ＴＣＨ）上のデータを備え、緩和アクションを選択するための手段は、
前記受信アクティビティがＴＣＨ上でデータを受信することを備えるかどうかを決定するための手段と、
前記受信アクティビティがＴＣＨ上でデータを受信することを備えると決定することに応答して、前記第１のＲＦリソースと前記第２のＲＦリソースとの相対的アクティビティ状態に基づいて、前記スケジュールされた送信を処理することと前記受信アクティビティを処理することとの間で優先度を付けるための手段と
をさらに備える、Ｃ３７に記載のマルチＳＩＭワイヤレスデバイス。
［Ｃ４２］  前記制御チャネルは、ＳＡＣＣＨであり、緩和アクションを選択するための手段は、
前記受信アクティビティがＳＡＣＣＨ上でメッセージを受信することを備えるかどうかを決定するための手段と、
前記受信アクティビティがＳＡＣＣＨ上でメッセージを受信することを備えることに応答して、前記第１のＲＦリソースと前記第２のＲＦリソースとの相対的アクティビティ状態に基づいて、前記スケジュールされた送信を処理することと前記受信アクティビティを処理することとの間で優先度を付けるための手段と
をさらに備える、Ｃ４０に記載のマルチＳＩＭワイヤレスデバイス。
［Ｃ４３］  前記受信アクティビティが近くのネットワークの信号強度をモニタすることを伴うかどうかを決定するための手段と、
前記受信アクティビティが近くのネットワークの信号強度をモニタすることを伴うと決定することに応答して、前記受信アクティビティを異なるタイムスロットまたはフレームに移動するための手段と
をさらに備える、Ｃ３７に記載のマルチＳＩＭワイヤレスデバイス。
［Ｃ４４］  前記スケジュールされた送信がサービスに悪影響を及ぼすことなしに遅延され得ると決定することに応答して、前記スケジュールされた送信を遅延させるための手段をさらに備える、
Ｃ３７に記載のマルチＳＩＭワイヤレスデバイス。
［Ｃ４５］  電力を低減することが前記スケジュールされた送信の失敗を引き起こすことにならないと決定することに応答して、前記スケジュールされた送信の電力を低減するための手段をさらに備える、
Ｃ３７に記載のマルチＳＩＭワイヤレスデバイス。
［Ｃ４６］  前記スケジュールされた送信の一部を取り消すことが潜在的干渉を十分に低減することになると決定することに応答して、前記スケジュールされた送信の一部を取り消すための手段をさらに備え、
前記スケジュールされた送信のすべてではないがいくつかの潜在的干渉データは、アップリンク上で送られる、
Ｃ３７に記載のマルチＳＩＭワイヤレスデバイス。
［Ｃ４７］  前記スケジュールされた送信の前記決定された特性は、前記スケジュールされた送信が前記アップリンク上でその上で送られるべきであるチャネルを備える、
Ｃ３６に記載のマルチＳＩＭワイヤレスデバイス。
［Ｃ４８］  前記受信アクティビティの前記決定された特性は、データが前記ダウンリンク上でその上で受信され得るチャネルを備える、
Ｃ３６に記載のマルチＳＩＭワイヤレスデバイス。
［Ｃ４９］  第１の加入者識別モジュール（ＳＩＭ）に関連付けられた第１の無線周波数（ＲＦ）リソース上のスケジュールされた送信と第２のＳＩＭに関連付けられた第２のＲＦリソース上の受信アクティビティとの間の潜在的干渉を検出することと、
前記スケジュールされた送信と前記受信アクティビティとの間の潜在的干渉のレベルを計算することと、
潜在的干渉の前記計算されたレベルに基づいて前記第２のＲＦリソースの受信回路のデセンスのレベルを予測することと、
前記予測されるデセンスレベルが所定のしきい値を超えるかどうかを決定することと、
前記予測されるデセンスレベルが前記所定のしきい値を超えると決定することに応答して緩和アクションを選択することと、
マルチＳＩＭワイヤレスデバイス上で前記選択された緩和アクションを実行することと
を備える動作を前記マルチＳＩＭワイヤレスデバイスプロセッサに実行させるように構成されたプロセッサ実行可能命令を記憶した非一時的プロセッサ可読記憶媒体。
［Ｃ５０］  前記記憶されたプロセッサ実行可能命令は、前記第１のＲＦリソース上の前記スケジュールされた送信と前記第２のＲＦリソース上の前記受信アクティビティとの間の潜在的干渉を検出することが、前記第１のＲＦリソースからの側波帯雑音と前記第２のＲＦリソースの前記受信回路の通過帯域との重複に基づくような動作を前記マルチＳＩＭワイヤレスデバイスプロセッサに実行させるように構成された、
Ｃ４９に記載の非一時的プロセッサ可読記憶媒体。
［Ｃ５１］  前記記憶されたプロセッサ実行可能命令は、前記緩和アクションが、
送信電力を低減することと、
前記スケジュールされた送信中の干渉データの一部分を取り消すことと、
前記スケジュールされた送信中のすべての干渉データを取り消すことと、
前記スケジュールされた送信を遅延させることと、
前記スケジュールされた送信を処理することと
からなるグループから選択されるような動作を前記マルチＳＩＭワイヤレスデバイスプロセッサに実行させるように構成された、
Ｃ４９に記載の非一時的プロセッサ可読記憶媒体。
［Ｃ５２］  前記記憶されたプロセッサ実行可能命令は、緩和アクションを選択することが、
前記スケジュールされた送信の特性と前記受信アクティビティの特性とを決定することと、
前記スケジュールされた送信の前記特性と前記受信アクティビティの前記特性とがテーブルルックアップパラメータとして使用されるテーブルルックアッププロセスを使用することと
を備えるような動作を前記マルチＳＩＭワイヤレスデバイスプロセッサに実行させるように構成され、
前記緩和アクションは、前記スケジュールされた送信の前記特性と前記受信アクティビティの前記特性とに対応するアドレスをもつ要素として記憶される、
Ｃ５１に記載の非一時的プロセッサ可読記憶媒体。
［Ｃ５３］  前記記憶されたプロセッサ実行可能命令は、緩和アクションを選択することが、
前記受信アクティビティがダウンリンク上で高優先度データを受信することを備えるかどうかを決定することと、
前記受信アクティビティが前記ダウンリンク上で高優先度データを受信することを備えると決定することに応答して、前記スケジュールされた送信が制御チャネル上のメッセージであるかどうかを決定することと、
前記スケジュールされた送信が制御チャネル上のメッセージでないと決定することに応答して、前記スケジュールされた送信がサービスに悪影響を及ぼすことなしに遅延され得るかどうかを決定することと、
前記スケジュールされた送信がサービスに悪影響を及ぼすことなしには遅延され得ないと決定することに応答して、前記スケジュールされた送信の電力を低減することが前記スケジュールされた送信の失敗を引き起こすことになるかどうかを決定することと、
前記スケジュールされた送信の電力を低減することが前記スケジュールされた送信の失敗を引き起こすことになると決定することに応答して、前記スケジュールされた送信の一部を取り消すことが前記受信アクティビティへの干渉を十分に低減することになるかどうかを決定することと、
前記スケジュールされた送信の一部を取り消すことが干渉を十分に低減することにならないと決定することに応答して、前記スケジュールされた送信のすべてを取り消すことと
を備えるような動作を前記マルチＳＩＭワイヤレスデバイスプロセッサに実行させるように構成された、Ｃ５１に記載の非一時的プロセッサ可読記憶媒体。
［Ｃ５４］  前記記憶されたプロセッサ実行可能命令は、
前記スケジュールされた送信が制御チャネル上のメッセージであると決定することに応答して、前記スケジュールされた送信上の制御データが以前に遅延されたことがあるかどうかを決定することと、
前記制御チャネル上の前記メッセージが以前に遅延されたことがないと決定することに応答して、前記スケジュールされた送信を遅延させるためのフレームの数を決定し、遅延させるためのフレームの前記数を保存することと、
フレームの前記決定された数だけ前記スケジュールされた送信を遅延させることと
をさらに備える動作を前記マルチＳＩＭワイヤレスデバイスプロセッサに実行させるように構成された、Ｃ５３に記載の非一時的プロセッサ可読記憶媒体。
［Ｃ５５］  前記記憶されたプロセッサ実行可能命令は、
前記制御チャネル上の前記メッセージが以前に遅延されたことがあると決定することに応答して、次の利用可能な機会において前記スケジュールされた送信を送ることをさらに備える動作を前記マルチＳＩＭワイヤレスデバイスプロセッサに実行させるように構成された、
Ｃ５４に記載の非一時的プロセッサ可読記憶媒体。
［Ｃ５６］  前記記憶されたプロセッサ実行可能命令は、前記制御チャネルは、
高速付随制御チャネル（ＦＡＣＣＨ）と、
低速付随制御チャネル（ＳＡＣＣＨ）と、
スタンドアロン専用制御チャネル（ＳＤＣＣＨ）と、
パケット付随制御チャネル（ＰＡＣＣＨ）と、
ランダムアクセス制御チャネル（ＲＡＣＨ）と
からなるグループから選択されるような動作を前記マルチＳＩＭワイヤレスデバイスプロセッサに実行させるように構成された、Ｃ５４に記載の非一時的プロセッサ可読記憶媒体。
［Ｃ５７］  前記スケジュールされた送信がトラフィックチャネル（ＴＣＨ）上のデータを備え、前記記憶されたプロセッサ実行可能命令は、緩和アクションを選択することが、
前記受信アクティビティがＴＣＨ上でデータを受信することを備えるかどうかを決定することと、
前記受信アクティビティがＴＣＨ上でデータを受信することを備えると決定することに応答して、前記第１のＲＦリソースと前記第２のＲＦリソースとの相対的アクティビティ状態に基づいて、前記スケジュールされた送信を処理することと前記受信アクティビティを処理することとの間で優先度を付けることと
をさらに備えるような動作を前記マルチＳＩＭワイヤレスデバイスプロセッサに実行させるように構成された、Ｃ５３に記載の非一時的プロセッサ可読記憶媒体。
［Ｃ５８］  前記制御チャネルは、ＳＡＣＣＨであり、前記記憶されたプロセッサ実行可能命令は、緩和アクションを選択することが、
前記受信アクティビティがＳＡＣＣＨ上でメッセージを受信することを備えるかどうかを決定することと、
前記受信アクティビティがＳＡＣＣＨ上でメッセージを受信することを備えることに応答して、前記第１のＲＦリソースと前記第２のＲＦリソースとの相対的アクティビティ状態に基づいて、前記スケジュールされた送信を処理することと前記受信アクティビティを処理することとの間で優先度を付けることと
をさらに備えるような動作を前記マルチＳＩＭワイヤレスデバイスプロセッサに実行させるように構成された、Ｃ５６に記載の非一時的プロセッサ可読記憶媒体。
［Ｃ５９］  前記記憶されたプロセッサ実行可能命令は、
前記受信アクティビティが近くのネットワークの信号強度をモニタすることを伴うかどうかを決定することと、
前記受信アクティビティが近くのネットワークの信号強度をモニタすることを伴うと決定することに応答して、前記受信アクティビティを異なるタイムスロットまたはフレームに移動することと
をさらに備える動作を前記マルチＳＩＭワイヤレスデバイスプロセッサに実行させるように構成された、Ｃ５３に記載の非一時的プロセッサ可読記憶媒体。
［Ｃ６０］  前記記憶されたプロセッサ実行可能命令は、
前記スケジュールされた送信がサービスに悪影響を及ぼすことなしに遅延され得ると決定することに応答して、前記スケジュールされた送信を遅延させること
をさらに備える動作を前記マルチＳＩＭワイヤレスデバイスプロセッサに実行させるように構成された、Ｃ５３に記載の非一時的プロセッサ可読記憶媒体。
［Ｃ６１］  前記記憶されたプロセッサ実行可能命令は、
電力を低減することが前記スケジュールされた送信の失敗を引き起こすことにならないと決定することに応答して、前記スケジュールされた送信の電力を低減することをさらに備える動作を前記マルチＳＩＭワイヤレスデバイスプロセッサに実行させるように構成された、
Ｃ５３に記載の非一時的プロセッサ可読記憶媒体。
［Ｃ６２］  前記記憶されたプロセッサ実行可能命令は、
前記スケジュールされた送信の一部を取り消すことが潜在的干渉を十分に低減することになると決定することに応答して、前記スケジュールされた送信の一部を取り消すことをさらに備える動作を前記マルチＳＩＭワイヤレスデバイスプロセッサに実行させるように構成され、
前記スケジュールされた送信のすべてではないがいくつかの潜在的干渉データがアップリンク上で送られる、
Ｃ５３に記載の非一時的プロセッサ可読記憶媒体。
［Ｃ６３］  前記記憶されたプロセッサ実行可能命令は、前記スケジュールされた送信の前記決定された特性が、前記スケジュールされた送信が前記アップリンク上でその上で送られるべきであるチャネルを備えるような動作を前記マルチＳＩＭワイヤレスデバイスプロセッサに実行させるように構成された、
Ｃ５２に記載の非一時的プロセッサ可読記憶媒体。
［Ｃ６４］  前記記憶されたプロセッサ実行可能命令は、前記受信アクティビティの前記決定された特性が、データが前記ダウンリンク上でその上で受信され得るチャネルを備えるような動作を前記マルチＳＩＭワイヤレスデバイスプロセッサに実行させるように構成された、
Ｃ５２に記載の非一時的プロセッサ可読記憶媒体。
【手続補正３】
【補正対象書類名】図面
【補正対象項目名】図４Ａ
【補正方法】変更
【補正の内容】
【図４Ａ】
2016507181.tif 000012
【手続補正４】
【補正対象書類名】図面
【補正対象項目名】図７
【補正方法】変更
【補正の内容】
【図７】
2016507181.tif 000013
【手続補正５】
【補正対象書類名】図面
【補正対象項目名】図８
【補正方法】変更
【補正の内容】
【図８】
2016507181.tif 000014
【国際調査報告】
2016507181.tif 000015
2016507181.tif 000016